(57)【要約】  改善された疎水性有益剤の付着を提供する消費者製品組成物。有益剤は、有益剤／付着助剤エマルションとして提供され、有益剤は、エマルションを成分の残部に加えられる前に、付着助剤に物理的に吸着される。【特許請求の範囲】
【請求項１】
有益剤と、カチオン性付着助剤と、を含む有益剤エマルジョンであって、
前記カチオン性付着助剤が、
次式：
ＭwＤxＴyＱz
を有するオルガノポリシロキサンであり、
式中、
Ｍ＝［ＳｉＲ1Ｒ2Ｒ3Ｏ1/2］、［ＳｉＲ1Ｒ2Ｇ1Ｏ1/2］、［ＳｉＲ1Ｇ1Ｇ2Ｏ1/2］、［ＳｉＧ1Ｇ2Ｇ3Ｏ1/2］、又はこれらの組み合わせであり、
Ｄ＝［ＳｉＲ1Ｒ2Ｏ2/2］、［ＳｉＲ1Ｇ1Ｏ2/2］、［ＳｉＧ1Ｇ2Ｏ2/2］又はこれらの組み合わせであり、
Ｔ＝［ＳｉＲ1Ｏ3/2］、［ＳｉＧ1Ｏ3/2］又はこれらの組み合わせであり、
Ｑ＝［ＳｉＯ4/2］であり、
ｗ＝１〜（２＋ｙ＋２ｚ）の整数であり、
ｘ＝５〜１５，０００の整数であり、
ｙ＝０〜９８の整数であり、
ｚ＝０〜９８の整数であり、
Ｒ1、Ｒ2及びＲ3が、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ、Ｃ1〜Ｃ32置換アルコキシ、Ｃ1〜Ｃ32アルキルアミノ、及びＣ1〜Ｃ32置換アルキルアミノからなる群からそれぞれ独立して選択され、
少なくとも１つのＭ、Ｄ、又はＴが、少なくとも１つの部分Ｇ1、Ｇ2又はＧ3を組み込み、Ｇ1、Ｇ2、及びＧ3が、次式：
【化１】
2015501335.tif 000035
からそれぞれ独立して選択され、
式中、
Ｘが、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から選択される二価基を含み、ただし、Ｘが繰り返しアルキレンオキシド部分を含まない場合、Ｘが、Ｐ、Ｎ及びＯからなる群から選択されるヘテロ原子を更に含んでよく、
各Ｒ4が、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アルキルアリールからなる群から独立して選択される同一の又は異なる一価基を含み、
Ｅが、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から選択される二価基を含み、ただし、Ｅが繰り返しアルキレンオキシド部分を含まない場合、Ｅが、Ｐ、Ｎ、及びＯからなる群から選択されるヘテロ原子を更に含んでよく、
Ｅ’が、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から選択される二価基を含み、ただし、Ｅ’が繰り返しアルキレンオキシド部分を含まない場合、Ｅ’が、Ｐ、Ｎ、及びＯからなる群から選択されるヘテロ原子を更に含んでよく、
ｐが、１〜５０から独立して選択される整数であり、
ｎが、１又は２から独立して選択される整数であり、
少なくとも１つのＧ1、Ｇ2、又はＧ3が正に荷電されるとき、Ａ-tは好適な電荷均衡アニオン（１つ又は複数）であり、電荷均衡アニオン（１つ又は複数）の全電荷であるｋは、部分Ｇ1、Ｇ2又はＧ3の正味電荷と等しくかつ反対であり、ここでｔは１、２、又は３から独立して選択される整数であり、ｋ≦（ｐ*２／ｔ）＋１であり、オルガノポリシロキサン分子中のカチオン電荷の総数がアニオン電荷の総数と釣り合い、
少なくとも１つのＥがエチレン部分を含まない、有益剤エマルション。
【請求項２】
前記オルガノポリシロキサンが、０．１ｍｅｑ／ｇ〜１２ｍｅｑ／ｇ、又は０．２〜７ｍｅｑ／ｇ、又は０．４〜５の電荷密度を有する、請求項１に記載のエマルション。
【請求項３】
前記オルガノポリシロキサンのシロキシル残基が、１，０００〜３０，０００ダルトンの分子量を有する、請求項１又は２に記載のエマルション。
【請求項４】
更に、前記オルガノポリシロキサンが０．１ｍｅｑ／ｇ〜８ｍｅｑ／ｇの電荷密度を有し、前記オルガノポリシロキサンのシロキシル残基が１，０００〜３０，０００ダルトンの分子量を有する、請求項１〜３のいずれか一項に記載のエマルション。
【請求項５】
前記カチオン性オルガノポリシロキサン付着助剤が、前記有益剤上に吸着される、請求項１〜４のいずれか一項に記載のエマルション。
【請求項６】
前記有益剤が疎水性である、請求項１〜５のいずれか一項に記載のエマルション。
【請求項７】
前記有益剤が、シリコーン、ビニルポリマー、ポリエーテル、炭化水素ワックス含有材料、炭化水素液体、流体糖ポリエステル、流体糖ポリエーテル、及びこれらの混合物からなる群から選択される材料を含む、請求項１〜６のいずれか一項に記載のエマルション。
【請求項８】
有益剤とオルガノポリシロキサンの比が、１０００：１〜１：１、又は５００：１〜５：１、又は２５０：１〜５：１、又は１００：１〜５：１、又は１００：１〜１０：１である、請求項１〜７のいずれか一項に記載のエマルション。
【請求項９】
有益剤とオルガノポリシロキサンの比が、４０：１〜２０：１、又は３０：１〜１５：１である、請求項１〜８のいずれか一項に記載のエマルション。
【請求項１０】
（ａ）請求項１〜９のいずれか一項に記載のエマルションと、
（ｂ）副組成物と、を含む、消費者製品組成物。
【請求項１１】
前記組成物が、カチオン性、アニオン性、両性、非イオン性、及びこれらの組み合わせからなる群から選択される界面活性剤を含む、請求項１０に記載の消費者製品組成物。
【請求項１２】
前記副組成物が、カチオン性、アニオン性、両性、非イオン性、及びこれらの組み合わせからなる群から選択される界面活性剤を含む、請求項１０又は１１に記載の消費者製品組成物。
【請求項１３】
前記エマルションが、シリコーン、ビニルポリマー、ポリエーテル、炭化水素ワックス含有材料、炭化水素液体、流体糖ポリエステル、流体糖ポリエーテル、及びこれらの混合物からなる群から選択される有益剤を含む、請求項１０〜１２のいずれか一項に記載の消費者製品組成物。
【請求項１４】
粘土、金属酸化物、シリコーン、及びマイクロカプセルからなる群から選択される第２の有益剤を含む、請求項１０〜１３のいずれか一項に記載の消費者製品組成物。
【請求項１５】
前記シリコーン材料有益剤が、ポリジメチルシロキサン、アミノシリコーン、カチオン性シリコーン、シリコーンポリエーテル、環状シリコーン、シリコーン樹脂、フッ素化シリコーン、及びこれらの混合物からなる群から選択される、請求項１３に記載の消費者製品組成物。
【請求項１６】
請求項１５に記載の消費者製品組成物であって、
ａ）前記ポリジメチルシロキサンが、１×１０-5ｍ2／ｓ〜２ｍ2／ｓ（１０センチストークス（ｃＳｔ）〜２，０００，０００ｃＳｔ）、５×１０-5ｍ2／ｓ〜１ｍ2／ｓ（５０ｃＳｔ〜１，０００，０００ｃＳｔ）、５×１０-4ｍ2／ｓ〜０．１ｍ2／ｓ（５００ｃＳｔ〜１００，０００ｃＳｔ）、又は７．５×１０-4ｍ2／ｓ〜１×１０-3ｍ2／ｓ（７５０ｃＳｔ〜１０００ｃＳｔ）の粘度を有し、
ｂ）前記アミノシリコーンが、１×１０-4ｍ2／ｓ〜０．３ｍ2／ｓ（１００ｃＳｔ〜３００，０００ｃＳｔ）、５×１０-4ｍ2／ｓ〜０．２ｍ2／ｓ（５００ｃＳｔ〜２００，０００ｃＳｔ）、７．５×１０-4ｍ2／ｓ〜５×１０-2ｍ2／ｓ（７５０ｃＳｔ〜５０，０００ｃＳｔ）、又は１×１０-3ｍ2／ｓ〜５×１０-3ｍ2／ｓ（１０００ｃＳｔ〜５０００ｃＳｔ）の粘度を有し、
ｃ）前記カチオン性シリコーンが、１×１０-4ｍ2／ｓ〜１ｍ2／ｓ（１００ｃＳｔ〜１，０００，０００ｃＳｔ）、５×１０-4ｍ2／ｓ〜０．５ｍ2／ｓ（５００ｃＳｔ〜５００，０００ｃＳｔ）、７．５×１０-4ｍ2／ｓ〜５×１０-2ｍ2／ｓ（７５０ｃＳｔ〜５０，０００ｃＳｔ）、又は１×１０-3ｍ2／ｓ〜５×１０-3０．００５ｍ2／ｓ（１０００ｃＳｔ〜５０００ｃＳｔ）の粘度を有し、
ｄ）前記シリコーンポリエーテルが、１×１０-4ｍ2／ｓ〜１ｍ2／ｓ（１００ｃＳｔ〜１，０００，０００ｃＳｔ）、５×１０-4ｍ2／ｓ〜０．５ｍ2／ｓ（５００ｃＳｔ〜５００，０００ｃＳｔ）、７．５×１０-4ｍ2／ｓ〜５×１０-2ｍ2／ｓ（７５０ｃＳｔ〜５０，０００ｃＳｔ）、又は１×１０-3ｍ2／ｓ〜５×１０-3ｍ2／ｓ（１０００ｃＳｔ〜５０００ｃＳｔ）の粘度を有し、
ｅ）前記環状シリコーンが、１×１０-5ｍ2／ｓ〜１×１０-2ｍ2／ｓ（１０ｃＳｔ〜１０，０００ｃＳｔ）、５×１０-5ｍ2／ｓ〜５×１０-3ｍ2／ｓ（５０ｃＳｔ〜５，０００ｃＳｔ）、１×１０-4ｍ2／ｓ〜２×１０-3ｍ2／ｓ（１００ｃＳｔ〜２，０００ｃＳｔ）、又は２×１０-4ｍ2／ｓ〜１×１０-3ｍ2／ｓ（２００ｃＳｔ〜１０００ｃＳｔ）の粘度を有し、
ｆ）前記シリコーン樹脂が、１×１０-5ｍ2／ｓ〜１×１０-2ｍ2／ｓ（１０ｃＳｔ〜１０，０００ｃＳｔ）、５×１０-5ｍ2／ｓ〜５×１０-3ｍ2／ｓ（５０ｃＳｔ〜５，０００ｃＳｔ）、１×１０-4〜２×１０-3２ｍ2／ｓ（１００ｃＳｔ〜２，０００ｃＳｔ）、又は２×１０-4ｍ2／ｓ〜１×１０-3ｍ2／ｓ（２００ｃＳｔ〜１０００ｃＳｔ）の粘度を有し、
ｇ）前記フッ素化シリコーンが、１×１０-4ｍ2／ｓ〜０．３ｍ2／ｓ（１００ｃＳｔ〜３００，０００ｃＳｔ）、５×１０-4ｍ2／ｓ〜０．２ｍ2／ｓ（５００ｃＳｔ〜２００，０００ｃＳｔ）、７．５×１０-4ｍ2／ｓ〜０．０５ｍ2／ｓ（７５０ｃＳｔ〜５０，０００ｃＳｔ）、又は１×１０-3ｍ2／ｓ〜５×１０-4ｍ2／ｓ（１０００ｃＳｔ〜５０００ｃＳｔ）の粘度を有する、消費者製品組成物。
【請求項１７】
請求項１５に記載の組成物であって、
前記シリコーン有益剤材料が次の構造：
［Ｒ”1Ｒ”2Ｒ”3ＳｉＯ1/2］(c+2)［（Ｒ”4Ｓｉ（Ｘ−Ｚ）Ｏ2/2］g［Ｒ”4Ｒ”4ＳｉＯ2/2］r［Ｒ”4ＳｉＯ3/2］c
であり、式中、
ｃが０〜９８の整数であり、一態様では、ｃが０〜４８の整数であり、一態様では、ｃが０であり、
ｇが０〜２００の整数であり、一態様では、ｇが０〜５０の整数であり；ｇ＝０のとき、少なくとも１つのＲ”1、Ｒ”2又はＲ”3＝Ｘ”−Ｚ”であり、
ｒが４〜５，０００の整数であり、一態様では、ｒが１０〜４，０００の整数であり、別の態様では、ｒが５０〜２，０００の整数であり、
Ｒ”1、Ｒ”2及びＲ”3がそれぞれ、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ、Ｃ1〜Ｃ32置換アルコキシ及びＸ”−Ｚ”からなる群から独立して選択され、
各Ｒ”4が、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ及びＣ1〜Ｃ32置換アルコキシからなる群から独立して選択され、
各Ｘ”−Ｚ”について、
Ｘ”が、２〜１２個の炭素原子を含む二価アルキレン基を含み、
前記オルガノシロキサン中の少なくとも１つのＺ”が、
Ｒ”5；
【化２】
2015501335.tif 000036
からなる群から選択され、
前記オルガノシリコーン中の各追加のＺ”が、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｒ”5、
【化３】
2015501335.tif 000037
からなる群から独立して選択され、
各Ｒ”5が、Ｈ；Ｃ1〜Ｃ32アルキル；Ｃ1〜Ｃ32置換アルキル、Ｃ5〜Ｃ32又はＣ6〜Ｃ32アリール、Ｃ5〜Ｃ32又はＣ6〜Ｃ32置換アリール又はＣ6〜Ｃ32アルキルアリール、又はＣ6〜Ｃ32置換アルキルアリール、−（ＣＨＲ”6−ＣＨＲ”6−Ｏ−）b−ＣＨＲ”6−ＣＨＲ”6−Ｌ及びシロキシル残基からなる群から独立して選択され、
ｂが０〜５００の整数であり、一態様では、ｂが０〜２００の整数であり、一態様では、ｂが０〜５０の整数であり、
各Ｒ6が、Ｈ又はＣ1〜Ｃ18アルキルから独立して選択され、
各Ｌが、−Ｏ−Ｃ（Ｏ）−Ｒ7又は−Ｏ−Ｒ7；
【化４】
2015501335.tif 000038
から独立して選択され、
各Ｒ7は、独立して、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アリール、並びにシロキシル残基からなる群から選択され、
各Ｔ”が、Ｈ；
【化５】
2015501335.tif 000039
から独立して選択され、前記オルガノシリコーン中の各ｖが、１〜１０の整数であり、一態様では、ｖが１〜５の整数であり、前記オルガノシリコーン中の各Ｚのすべての添え字ｖの合計が、１〜３０、又は１〜２０、又は１〜１０の整数であり、ただし、分子中の部分Ｔの合計が６を超えないものである、組成物。
【請求項１８】
前記オルガノシリコーン有益剤が、ペンダントアミノシリコーン又は末端アミノシリコーンを含む、請求項１７に記載の組成物。
【請求項１９】
請求項１８に記載の組成物であって、
前記オルガノシリコーンが、次の構造：
［Ｒ”1Ｒ”2Ｒ”3ＳｉＯ1/2］(c+2)［（Ｒ”4Ｓｉ（Ｘ−Ｋ）Ｏ2/2］g［Ｒ”4Ｒ”4ＳｉＯ2/2］r［Ｒ”4ＳｉＯ3/2］c
を有するペンダントアミノシリコーンを含み、
式中、
ｃが０〜９８の整数であり、一態様では、ｃが０〜４８の整数であり、一態様では、ｃが０であり、
ｇが０〜２００の整数であり、一態様では、ｇが０〜５０の整数であり、ｇ＝０のとき、少なくとも１つのＲ”1、Ｒ”2又はＲ”3＝Ｘ”−Ｋ”であり、
ｈが４〜５，０００の整数であり、一態様では、ｈが１０〜４，０００の整数であり、別の態様では、ｈが５０〜２，０００の整数であり、
Ｒ”1、Ｒ”2及びＲ”3がそれぞれ、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ、Ｃ1〜Ｃ32置換アルコキシ及びＸ”−Ｋ”からなる群から独立して選択され、
各Ｒ”4が、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ及びＣ1〜Ｃ32置換アルコキシからなる群から独立して選択され、
各Ｘ−Ｋについて、Ｘが、２〜１２個の炭素原子を含む二価アルキレン基を含み、一態様では、各二価アルキレン基が、−（ＣＨ2）s−からなる群から独立して選択され、このときｓが２〜８の整数、又は２〜４の整数であり、
各Ｋが、
【化６】
2015501335.tif 000040
からなる群から独立して選択され、各Ｑ”が、独立して、Ｈ又はＣ1〜Ｃ32直鎖又は分枝鎖、置換又は非置換炭化水素であり、ただし、Ｋ”が第四級アンモニウム化合物のとき、Ｑ”がアミド、イミン、又は尿素部分ではあり得ず、Ｑ”がアミド、イミン、又は尿素部分の場合には、前記アミド、イミン、又は尿素部分として同じ窒素に結合する任意の追加のＱ”が、Ｈ又はＣ1〜Ｃ6アルキルでなければならず、一態様では、前記追加のＱ”がＨであり、
Ｘが上で定義され、
Ｋ”について、Ａh-は好適な電荷均衡アニオンであり、一態様では、Ａh-が、Ｃｌ-、Ｂｒ-、Ｉ-、硫酸メチル、トルエンスルホネート、カルボキシレート、及びホスフェートからなる群から選択され、前記オルガノシリコーンの少なくとも１つのＱ”が、
【化７】
2015501335.tif 000041
から独立して選択され、
陽イオン性に荷電したＫ”について、Ａ”h-が好適な電荷均衡アニオンであり、一態様では、Ａ”h-が、Ｃｌ−、Ｂｒ−、Ｉ−、硫酸メチル、トルエンスルホネート、カルボキシレート及びホスフェートからなる群から選択され、
式中、各Ｒ”5が、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、−（ＣＨＲ6−ＣＨＲ6−Ｏ−）b−Ｌ及びシロキシル残基からなる群から独立して選択され、
各Ｒ6は、独立して、Ｈ、Ｃ1〜Ｃ18アルキルから選択され、
各Ｌは、独立して、−Ｃ（Ｏ）−Ｒ7又はＲ7から選択され、
Ｒ7が、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール及びシロキシル残基からなる群から独立して選択され、
ｂが０〜５００の整数であり、一態様では、ｂが１〜２００の整数であり、一態様では、ｂが１〜５０の整数である、組成物。
【請求項２０】
ペンダントアミノシリコーンが、１０００ダルトン〜１，０００，０００ダルトン、１０，０００ダルトン〜１００，０００ダルトン、又は１５，０００ダルトン〜５０，０００ダルトンの分子量を有する、請求項１９に記載の組成物。
【請求項２１】
０．１重量％〜２５重量％、又は０．１重量％〜２０重量％、又は０．１重量％〜１５、又は０．１重量％〜１０重量％、又は０．１重量％〜５重量％、又は０．１重量％〜１重量％、又は０．２５重量％〜２５重量％、又は０．５重量％〜２０重量％、又は１重量％〜１５重量％の前記エマルションを含む、請求項１０〜２０のいずれか一項に記載の消費者製品組成物。
【請求項２２】
前記消費者製品組成物が、シャンプー、コンディショナー、ボディーウォッシュ（body wash）、洗剤、布地向上剤、抗菌ウォッシュ（antimicrobial wash）、及び硬質表面洗浄剤からなる群から選択される形態である、請求項１０〜２１のいずれか一項に記載の消費者製品組成物。
【請求項２３】
シリコーン、芳香剤、皮膚軟化剤、抗菌剤、日焼け止め剤、脂質、油、炭化水素、ワックス、疎水変性顔料、無機化合物、及びこれらの混合物からなる群から選択される疎水性有益剤を含む、請求項１０〜２２のいずれか一項に記載の消費者製品組成物。
【請求項２４】
ヘアコンディショニング、皮膚保湿、布地柔軟化、又は布地防しわ特性の提供方法であって、毛髪、皮膚、及び布地からなる群から選択される基材を、請求項１〜２３のいずれか一項に記載の組成物と接触させる工程を含む、方法。
【請求項２５】
基材上への疎水性有益剤の付着方法であって、前記基材を請求項１〜２３のいずれか一項に記載の組成物と接触させる工程を含む、方法。
【請求項２６】
前記消費者製品組成物が、コンディショナー、ボディーウォッシュ、洗剤、及び布地向上剤からなる群から選択される形態である、請求項１０〜２３のいずれか一項に記載の消費者製品組成物。
【発明の詳細な説明】
【技術分野】
【０００１】
本発明は、オルガノポリシロキサンエマルションを含む消費者製品組成物に関する。このエマルションは、内部に含まれる有益剤の基材上への付着及び定着の改善を促進する。
【背景技術】
【０００２】
多くの消費者製品は、負に荷電した標的表面（例えば、布地、皮膚、又は毛髪）上に送達し付着させることを目的とした有益剤を含有する。これらの製品は、柔軟性、手触り、防しわ、ヘアコンディショニング、縮れ制御、皮膚保湿、及び着色防止などの消費者が所望する効果をもたらすことができる。これらの表面に効果的に有益剤を付着させるには、有益剤がリンスオフ消費者製品組成物によって送達されるとき、特に組成物が洗浄製品であるときに、困難が生じることが多い。
【０００３】
シャンプー、ボディーウォッシュ（bodywashes）、液状石鹸、及び洗濯洗剤などの洗浄製品は、典型的に過剰のアニオン性界面活性剤を含有する。これは、アニオン性標的表面上への疎水性有益剤の付着及び定着を特に難しくする。種々のカチオン性ポリマーは、このような組成物の付着助剤として提唱されているが、その性能は完全に満足されるものではないことが多い。例えば、アニオン性界面活性剤は、付着助剤上に吸着することによって、並びに、貯蔵安定性の悪化、及び洗浄効果の喪失（例えば、凝集及び沈殿による）をもたらす複合体を形成することによって、カチオン性付着助剤の性能を妨げることがある。このことによって、不良な有益剤送達に加え、費用効果がない使用や材料の無駄を招く。
【０００４】
更に、残念ながら付着助剤は、所望の有益剤の付着を増す一方で、汚れなどの所望されない物質の付着も増し、及び／又は所望の有益剤の性質を変えることもある。付着助剤が汚れを付着させると、白さ、感触、外観、及び／又は洗浄効果が低下する。付着助剤が所望の有益剤の性質に悪影響を及ぼすと、有益剤の有効性が低下し、及び／又は有益剤の使用によって生じる消費者の経験がマイナス方向に変わる場合がある。
【０００５】
付着助剤は、有益剤だけではなく、汚れなどの他の物質と疎水性及び／又は静電相互作用し、毛髪、皮膚、布地、及び／又は硬質表面などの消費者関連基材への親和性を有する粒子を形成する。かかる相互作用は、界面活性剤の存在下で特に顕著な場合がある。したがって、有益剤を効率的に付着させるが、所望されない物質は付着させない付着助剤を提供する必要性がある。
【０００６】
当該技術分野において開示される多くのカチオン性ポリマーは、消費者製品組成物中の付着助剤として完全に満足されるものではない。例えば、Ｏｎｏ（国際公開第９９／３２５３９号）によって説明される材料は、酸素、窒素、イオウ、又はハロゲンなどのヘテロ原子を有する末端基を含む。これらの官能化末端基は、これらの材料を含む組成物の安定性に関する問題の原因となる、好ましくない（undesireable）反応を招く場合がある。例えば、Ｏｎｏのシリコーンは、これら末端基を介して更に反応でき、保管中における組成物中のシリコーンの更なる縮合／重合につながる。
【０００７】
Ｍａｓｓｃｈｅｌｅｉｎに対する米国特許第６，９０３，０６１号など、当該技術分野において更に既知であるのは、アルキレンオキシド単位を含む四級化シリコーンである。Ｍａｓｓｃｈｅｌｅｉｎによって説明される四級化シリコーンは、水溶性が高すぎる傾向があり、それによって、これらの材料が所望されるより高いレベルで水に分配される傾向があることから、付着助剤としての能力が緩和される。更に、これらの材料を付着剤として用いるとき、水及び水蒸気の透過性が高いことから、好ましくない感触を有する。加えて、この水溶性によって、これらの材料を再現性よく配合することが難しい場合がある。更に、Ｍａｓｓｃｈｅｌｅｉｎは、分子の片側あたり四級化窒素性基を１つのみ有する材料を開示している。これによって、シリコーン物質中の望ましい官能性度が制限される場合がある。四級化のレベルによって高い可撓性をもたらす材料を有することが望ましい。同様に、米国特許第６，８３３，３４４号でＢｏｕｔｉｑｕｅによって開示されるエトキシル化四級化シリコーン物質は、Ｍａｓｓｃｈｅｌｅｉｎによって説明されるものと同じ多くの欠点を抱えている。
【０００８】
消費者製品組成物の成分間の不相溶性を防ぐために、先行技術では、米国特許第７，１１８，０５７号、同第７，２９４，６１２号、及び国際公開第９８／１１８７０号に開示されるものなどの親水性の水溶性ポリマーを含む壁部内に封入された疎水性有益剤を開示している。封入された有益剤は、界面活性剤を含む洗浄／洗い流し製品組成物内に混合される。封入によって、成分間の所望されない反応を防ぐことができるが、表面処理に利用可能な有益剤の量を制限する場合もある。有益剤カプセルが基材上に十分に付着しても、表面処理に利用可能な有益剤の濃度が、カプセル壁を通って拡散できる、及び／又はカプセルの破裂によって漏出できる量に制限される場合がある。
【先行技術文献】
【特許文献】
【０００９】
【特許文献１】国際公開第９９／３２５３９号
【特許文献２】米国特許第６，９０３，０６１号
【特許文献３】米国特許第６，８３３，３４４号
【特許文献４】米国特許第７，１１８，０５７号
【特許文献５】米国特許第７，２９４，６１２号
【特許文献６】国際公開第９８／１１８７０号
【発明の概要】
【発明が解決しようとする課題】
【００１０】
したがって、上記欠点を持たずに負に荷電した基材上に疎水性有益剤を十分に付着させることができる、更なる消費者製品洗浄組成物の必要性が残っている。
【課題を解決するための手段】
【００１１】
一態様では、本発明は、本発明のオルガノポリシロキサン付着助剤ポリマーを含む消費者製品組成物を提供することによって、上記１つ以上の必要性の解決を試みる。本明細書に開示される組成物は、所望のレベルの有益剤を付着させることができる。更に、一旦基材上に付着されると、有益剤は、ヘアコンディショニング、布地柔軟化、及び皮膚保湿などの所望の最終用途特性を提供するのに好適な物理的形状で利用可能である。この改善された性能は、消費者製品組成物、並びに本明細書に開示される本発明の付着助剤に組み込まれる有益剤の特定の添加剤形態によるものである。本発明によると、有益剤は、有益剤／付着助剤エマルションとして提供され、有益剤は、他の組成物成分に加える前に、付着助剤と物理的にブレンドされる（例えば、吸着される）。
【発明を実施するための形態】
【００１２】
一態様では、本発明は、有益剤と、有益剤の表面に結合したカチオン性付着助剤と、を含む、有益剤エマルションを提供する。一態様では、有益剤は疎水性である。特定の態様では、エマルションは界面活性剤を実質的に含まない。
【００１３】
別の態様では、本発明は、洗浄又は表面コンディショニング消費者製品組成物の製造方法を提供する。この方法は、（ａ）有益剤エマルションを準備する工程と、（ｂ）副組成物を準備する工程と、（ｃ）前記エマルションと前記副組成物を混合して消費者製品組成物を形成する工程と、を含む。副組成物は、エマルションと組み合わせて最終消費者製品組成物を形成する成分の残部を含む。副組成物は、エマルションと別々に又は共に組み合わせて最終消費者製品を形成できる１つ以上の別の組成物を含んでよい。特定の実施形態では、副組成物は、溶媒（例えば、水などの親水性溶媒）及び／又は界面活性剤、並びに任意のその他所望の成分を含む。
【００１４】
有益剤（例えば、疎水性有益剤）とカチオン性付着助剤との間の吸着は、副組成物の添加に先立ち、エマルション組成物中で行われる。エマルションが水性又は他の親水性溶液、特に界面活性剤を含むものに分散されるとき、付着助剤を有益剤に予備吸着させることによって、エマルション構成成分の付着効率及び分散安定性（すなわち、凝集抵抗性及び合体抵抗性）が促進される。
【００１５】
特定の実施形態では、有益剤をカプセル様エンクロージャ内に封入でき、別の実施形態では、有益剤は封入されない。封入によって、表面処理に利用可能な有益剤の量を制限する場合があるが、更に有益剤と他の成分との間の有害な相互作用を防ぐ場合もある。したがって、封入の必要性は、例えば、有害な成分相互作用の影響に対する、カプセル壁を通って分散できる又は破裂によって漏出できる有益剤濃度によって決まるであろう。
【００１６】
一態様では、エマルションは水中油型エマルションの形態であり、エマルションは、有益剤であってよい、又は有益剤に加えるものであってよい少なくとも１種の疎水性液体を含む。疎水性有益剤を、疎水性液体中に均一に分散できる。例えば、一実施形態では、エマルションは、水中油型エマルション中の乳化油滴の形態であり、このとき付着助剤は、水中油型エマルション（すなわち、エマルション）を副組成物と混合する前に、有益剤相を水相中に乳化する乳化剤として作用する。
【００１７】
一実施形態では、界面活性剤は、アニオン性、非イオン性、双性イオン性、カチオン性、両性、及びこれらの混合物からなる群から選択することができる。特定の実施形態では、界面活性剤はアニオン性界面活性剤を含む。
【００１８】
一実施形態では、疎水性有益剤は、シリコーン、芳香剤、皮膚軟化剤、抗菌剤、日焼け止め剤、脂質、油、炭化水素、ワックス、疎水変性顔料、無機化合物、及びこれらの混合物からなる群から選択される。
【００１９】
別の態様では、本発明は、消費者製品組成物の形態で送達できるエマルションと、基材を接触させる工程を含む、基材上への有益剤の付着方法を提供する。別の態様では、本発明は、毛髪、皮膚、及び布地からなる群から選択される基材と、最終消費者製品組成物と、を接触させる工程を含む、ヘアコンディショニング、皮膚保湿、布地柔軟化、又は布地防しわ特性の供給方法を提供する。
【００２０】
本明細書に記載される消費者製品組成物は、毛髪、皮膚、及び布地上に、含有される１つ以上の有益剤、望ましくは疎水性有益剤を実質的に付着かつ定着させる、シャンプー、ボディーウォッシュ、液状石鹸、洗濯洗剤、及び布地柔軟剤などの洗浄並びに／又は表面コンディショニング製品としての使用に好適である。
【００２１】
一態様では、本発明は、有益剤と、カチオン性付着助剤と、を含む、有益剤エマルションを提供し、前記カチオン性付着助剤が、次式：
ＭwＤxＴyＱz
を有するオルガノポリシロキサンであり、式中、
Ｍ＝［ＳｉＲ1Ｒ2Ｒ3Ｏ1/2］、［ＳｉＲ1Ｒ2Ｇ1Ｏ1/2］、［ＳｉＲ1Ｇ1Ｇ2Ｏ1/2］、［ＳｉＧ1Ｇ2Ｇ3Ｏ1/2］、又はこれらの組み合わせであり、
Ｄ＝［ＳｉＲ1Ｒ2Ｏ2/2］、［ＳｉＲ1Ｇ1Ｏ2/2］、［ＳｉＧ1Ｇ2Ｏ2/2］又はこれらの組み合わせであり、
Ｔ＝［ＳｉＲ1Ｏ3/2］、［ＳｉＧ1Ｏ3/2］又はこれらの組み合わせであり、
Ｑ＝［ＳｉＯ4/2］であり、
ｗ＝１〜（２＋ｙ＋２ｚ）の整数であり、
ｘ＝５〜１５，０００の整数であり、
ｙ＝０〜９８の整数であり、
ｚ＝０〜９８の整数であり、
Ｒ1、Ｒ2及びＲ3は、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ、Ｃ1〜Ｃ32置換アルコキシ、Ｃ1〜Ｃ32アルキルアミノ、及びＣ1〜Ｃ32置換アルキルアミノからなる群からそれぞれ独立して選択され、
少なくとも１つのＭ、Ｄ、又はＴが、少なくとも１つの部分Ｇ1、Ｇ2又はＧ3を組み込み、
Ｇ1、Ｇ2、及びＧ3が、次式：
【００２２】
【化１】
2015501335.tif 000002
からそれぞれ独立して選択され、式中、
Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から選択される二価基を含み、ただし、Ｘが繰り返しアルキレンオキシド部分を含まない場合、Ｘが、Ｐ、Ｎ及びＯからなる群から選択されるヘテロ原子を更に含んでよく、
Ｒ4は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アルキルアリールからなる群から選択される同一の又は異なる一価基を含み、
Ｅは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｅが繰り返しアルキレンオキシド部分を含まない場合、Ｅが、Ｐ、Ｎ、及びＯからなる群から選択されるヘテロ原子を更に含んでよく、
Ｅ’は、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｅ’が繰り返しアルキレンオキシド部分を含まない場合、Ｅ’が、Ｐ、Ｎ、及びＯからなる群から選択されるヘテロ原子を更に含んでよく、
ｐは、１〜５０から独立して選択される整数であり、
ｎは、１又は２から独立して選択される整数であり、
少なくとも１つのＧ1、Ｇ2、又はＧ3が正に荷電されるとき、Ａ-tは好適な電荷均衡アニオン（１つ又は複数）であり、電荷均衡アニオン（１つ又は複数）の全電荷であるｋは、部分Ｇ1、Ｇ2又はＧ3の正味電荷と等しくかつ反対であり、ｋ≦ｐ*（２／ｔ）＋１であり、ここでｔは１、２、又は３から独立して選択される整数であり、オルガノポリシロキサン分子中のカチオン電荷の総数がアニオン電荷の総数と釣り合う。
【００２３】
一実施形態では、少なくとも１つのＥ又はＥ’はエチレン部分を含まず、別の実施形態では、Ｅ又はＥ’部分はエチレン部分ではない。
【００２４】
本発明のオルガノポリシロキサンは、０．０４ｍｅｑ／ｇ〜１２ｍｅｑ／ｇ、又は０．０４ｍｅｑ／ｇ〜４ｍｅｑ／ｇ、又は１ｍｅｑ／ｇ〜１２ｍｅｑ／ｇの電荷密度を有してよい。一実施形態では、ｗは２〜５０の整数であり、別の実施形態では、ｗは２に等しい。別の実施形態では、ｘは１０〜４，０００、又は４０〜２，０００の整数である。いくつかの実施形態では、ｗは２に等しく、ｘは２０〜１，０００の整数であり、ｙ及びｚは０に等しい。
【００２５】
各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から独立して選択される二価基であってよい。あるいは、各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、及びＣ6〜Ｃ32置換アリールアルキレンからなる群から独立して選択される二価基であってよい。
【００２６】
特定の実施形態では、Ａ-tは、Ｃｌ-、Ｂｒ-、Ｉ-、硫酸メチル、トルエンスルホネート、カルボキシレート、ホスフェート、水酸化物、アセテート、ホルメート、カーボネート、ニトレート、及びこれらの組み合わせからなる群から選択されてよい。別の実施形態では、Ａ-tは、Ｃｌ-、Ｂｒ-、Ｉ-、硫酸メチル、トルエンスルホネート、カルボキシレート、ホスフェート及びこれらの組み合わせからなる群から選択される。
【００２７】
Ｅ及びＥ’はそれぞれ、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から独立して選択される二価基であってよい。あるいは、Ｅ及びＥ’はそれぞれ、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、及びＣ6〜Ｃ32置換アリールアルキレンからなる群から独立して選択される二価基であってよい。
【００２８】
いくつかの実施形態では、少なくとも１つのＥ又はＥ’は、次のもの：
【００２９】
【化２】
2015501335.tif 000003
からなる群から独立して選択され、式中、
Ｒ6は、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から選択される二価基を含み、ただし、Ｒ6が繰り返しアルキレンオキシド部分を含まない場合、Ｒ6が、Ｐ、Ｎ、及びＯからなる群から選択されるヘテロ原子を更に含んでよく、
ｕは３〜３２から独立して選択される整数であり、
Ｒ9は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アルキルアリールからなる群から独立して選択される同一の又は異なる一価基を含む。
【００３０】
本発明のオルガノポリシロキサンの特定の実施形態では、少なくとも１つのＥ又はＥ’は、エチレン基であってよい。別の実施形態では、少なくとも１つのＥ又はＥ’は、３個以上の炭素原子を含む。各Ｒ4は異なる基であってよく、及び／又はいくつかの実施形態では、少なくとも１つのＲ4はメチル基であってよい。
【００３１】
一実施形態では、Ｇ1、Ｇ2及びＧ3は同一であり、別の実施形態では、Ｇ1及びＧ2は同一で、一方Ｇ3が異なっており、別の実施形態では、Ｇ1、Ｇ2、及びＧ3のそれぞれが異なっている。少なくとも１つのＧ1、Ｇ2又はＧ3において、ｐは、１〜２５、又は１〜１３、又は１〜５から独立して選択される整数であってよい。更に、少なくとも１つのＧ1、Ｇ2又はＧ3において、ｋは、０〜１０１、又は２〜５０から独立して選択される整数であってよい。少なくとも一実施形態では、ｙ＝ｚ＝０である。いくつかの実施形態では、オルガノポリシロキサン分子中に存在するアミンの５０％〜１００％、又は７０％〜１００％、又は９０％〜１００％が四級化されてよい。
【００３２】
当業者は、本発明のブロック状オルガノポリシロキサンは、多くの異なる実施形態を包含することを認識するであろう。この目的のために、ｙ及びｚがゼロに等しいとき、本発明のブロック状オルガノポリシロキサンは次式：
ＭwＤx
で表すことができ、式中、
Ｍ＝［ＳｉＲ1Ｒ2Ｒ3Ｏ1/2］、［ＳｉＲ1Ｒ2Ｇ1Ｏ1/2］、［ＳｉＲ1Ｇ1Ｇ2Ｏ1/2］、［ＳｉＧ1Ｇ2Ｇ3Ｏ1/2］、又はこれらの組み合わせであり、
Ｄ＝［ＳｉＲ1Ｒ2Ｏ2/2］であり、
ｗ＝１〜２から独立して選択される整数であり、
ｘ＝５〜１５，０００から独立して選択される整数であり、
Ｒ1、Ｒ2及びＲ3は、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ、Ｃ1〜Ｃ32置換アルコキシ、Ｃ1〜Ｃ32アルキルアミノ、及びＣ1〜Ｃ32置換アルキルアミノからなる群からそれぞれ独立して選択される。
【００３３】
少なくとも１つのＭ又はＤは、少なくとも１つの部分Ｇ1、Ｇ2又はＧ3を組み込み、Ｇ1、Ｇ2、及びＧ3は、次式：
【００３４】
【化３】
2015501335.tif 000004
から独立して選択され、式中、
Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｘが繰り返しアルキレンオキシド部分を含まない場合、Ｘが、Ｐ、Ｎ、及びＯからなる群から選択されるヘテロ原子を更に含んでよい。
Ｒ4は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アルキルアリールからなる群から選択される同一の又は異なる一価基を含む。
Ｅは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｅが繰り返しアルキレンオキシド部分を含まない場合、Ｅが、Ｐ、Ｎ、及びＯからなる群から選択されるヘテロ原子を更に含んでよい。
Ｅ’は、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｅ’が繰り返しアルキレンオキシド部分を含まない場合、Ｅ’が、Ｐ、Ｎ、及びＯからなる群から選択されるヘテロ原子を更に含んでよい。更に、ｐは、１〜５０から独立して選択される整数であり、ｎは、１又は２から独立して選択される整数である。少なくとも１つのＧ1、Ｇ2、又はＧ3が正に荷電されるとき、Ａ-tは好適な電荷均衡アニオン（１つ又は複数）であり、電荷均衡アニオン（１つ又は複数）の全電荷であるｋは、各部分Ｇ1、Ｇ2又はＧ3の正味電荷と等しくかつ反対であり、更に各部分Ｇについて、ｋ≦（ｐ*２）／ｔ＋１である。この実施形態では、Ｅ及びＥ’は異なる部分であり、ｔは１、２、又は３から独立して選択される整数であり、オルガノポリシロキサン分子中のカチオン電荷の総数がアニオン電荷の総数と釣り合う。
【００３５】
オルガノポリシロキサンは、０．０４ｍｅｑ／ｇ〜１２ｍｅｑ／ｇ、又は０．０４ｍｅｑ／ｇ〜４ｍｅｑ／ｇ、又は１ｍｅｑ／ｇ〜１２ｍｅｑ／ｇの電荷密度を有してよい。いくつかの実施形態では、ｗは２に等しい。更に、ｘは、１０〜４，０００、又は４０〜２，０００から独立して選択される整数であってよい。
【００３６】
更に、各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から独立して選択される二価基であってよく、あるいは、各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、及びＣ6〜Ｃ32置換アリールアルキレンからなる群から独立して選択される二価基であってよい。
【００３７】
各Ａ-tは、Ｃｌ-、Ｂｒ-、Ｉ-、硫酸メチル、トルエンスルホネート、カルボキシレート、ホスフェート、水酸化物、アセテート、ホルメート、カーボネート、ニトレート、及びこれらの組み合わせからなる群から、又はＣｌ-、Ｂｒ-、Ｉ-、硫酸メチル、トルエンスルホネート、カルボキシレート、ホスフェート、及びこれらの組み合わせからなる群から、独立して選択されてよい。
【００３８】
各Ｅは、同一の又は異なる基であってよい。いくつかの実施形態では、各Ｅは異なる基である。各Ｅは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から独立して選択される二価基であってよい。あるいは、各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、及びＣ6〜Ｃ32置換アリールアルキレンからなる群から独立して選択される二価基であってよい。
【００３９】
一実施形態では、少なくとも１つのＥ又はＥ’は、次のもの：
【００４０】
【化４】
2015501335.tif 000005
からなる群から独立して選択され、式中、
Ｒ6は、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から選択される二価基を含み、ただし、Ｒ6が繰り返しアルキレンオキシド部分を含まない場合、Ｒ6が、Ｐ、Ｎ、及びＯからなる群から選択されるヘテロ原子を更に含んでよく、
ｕは３〜３２から独立して選択される整数であり、
Ｒ9は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アルキルアリールからなる群から選択される同一の又は異なる一価基を含み、ｕは３〜３２から独立して選択される整数である。
【００４１】
更に、いくつかの実施形態では、少なくとも１つのＥ又はＥ’基はエチレン基である。別の実施形態では、少なくとも１つのＥ又はＥ’は、３個以上の炭素原子を含む。いくつかの実施形態では、各Ｒ4は異なる基であり、及び／又は少なくとも１つのＲ4はメチル基である。少なくとも１つのＧ1、Ｇ2又はＧ3において、ｐは、１〜２５、又は１〜１３、又は１〜５から独立して選択される整数である。少なくとも１つのＧ1、Ｇ2又はＧ3において、ｋは、０〜２０１、又は０〜５０から独立して選択される整数である。
【００４２】
一実施形態では、Ｅは、３個以上の炭素原子、又は４個以上の炭素原子、又は５個以上の炭素原子、又は４〜３２個の炭素原子を有する一級アルキル鎖である。理論によって制限されることなく、Ｅがちょうど２個の炭素原子を有する一級アルキル鎖である実施形態では、部分Ｇは、脱離反応の可能性に対して不安定であり得ると考えられる。これは、反応してアルケンを生成する非共有電子対によって、好ましくない脱離反応が起こる可能性があるからである。したがって、Ｅ部分として３個未満の炭素原子を有する物質は、不安定であることがあり、好ましくない。
【００４３】
別の実施形態では、部分Ｅは、異なる長さの異なる基から独立して選択され、鎖に沿って間隔及び電荷密度を制御できる。特定の用途では、密に配置されたこれらの電荷を有することが望ましい場合があり、別の用途では、更に離れて配置されたこれらの電荷を有することが望ましい場合がある。荷電部分Ｇは、オルガノポリシロキサンのシリコーン部分から離れていてよく、より具体的には、シロキサン部分の末端部に配置されてよい。理論によって制限されることなく、終末シロキサン部分の末端部に配置される電荷を「ブロック状」に維持することによって、処理された基材の表面からシロキサン部分を突き出すことができ、その結果、処理された基材がより滑らかで柔らかい感触になると考えられる。
【００４４】
荷電オルガノポリシロキサンは、特に水性製品中への配合が難しい場合もあり、通常は乳化が必要である。長いスペーサーを用いると、オルガノポリシロキサンを含む水性組成物の水性媒体中で濃縮されず、より分散された電荷密度が可能になる。この結果、配合中にオルガノポリシロキサンを良好に分散できる。長いスペーサーによって、より分子全体に分散された電荷を可能にする。
【００４５】
更に、一実施形態では、本発明のオルガノポリシロキサンは複数の部分Ｅを含み、交互のパターンで構成されてよい。次式では、部分Ｅ及びＥ’が交互になっている例を示し、Ｅ及びＥ’は異なっている（例えば、Ｅ＝Ｃ2でＥ’＝Ｃ10である）。
【００４６】
【化５】
2015501335.tif 000006
【００４７】
理論によって制限されることなく、種々Ｅ部分を変え及び／又は交互にすることによって、四級部分に沿って電荷密度を更に制御することができると考えられる。これにより、オルガノポリシロキサンを狙って付着させることができる。したがって、様々な交互のスペーサーを使用することによって、本発明は、所望の最終用途及び基材に対して、特に適応させた材料を提供するカスタマイズ性を有する。
【００４８】
重要なことに、本明細書に開示される本オルガノポリシロキサンの製造プロセスに従って、複数の異なる及び／又は交互のＥ部分を使用すると、特定の複数及び／又は交互のＥ部分パターンが所望されるようになることがある。例えば、製造が可能な合成方法の１つは、交互のＥ部分をもたらす。前記例では、第１の前記Ｅ部分をビスハライド化合物に、第２のＥ部分（すなわちＥ’）をビスアミンに組み込むことを含む。
【００４９】
一実施形態では、Ｘは、任意のヘテロ原子を含まない（例えば、任意のヘテロ原子を実質的に含まない）炭化水素部分である。理論によって制限されるものではないが、反応性末端基の存在によって、時間と共に分解する、若しくは組成物中の他の物質と反応する傾向、又は使用環境において不安定化因子の悪影響を受ける傾向によって、貯蔵安定性がない不安定な製品をもたらすと考えられる。
【００５０】
一実施形態では、オルガノポリシロキサンの末端部分は、任意のヘテロ原子を含まない（例えば、任意のヘテロ原子を実質的に含まない）炭化水素基である。理論によって制限されることなく、本発明のオルガノポリシロキサンのアルキル末端基は、分解性又は反応性が高くなく、よって、より安定で、好適により長い貯蔵寿命を有する組成物が得られると考えられる。
【００５１】
有益剤とオルガノポリシロキサンの比は、１０００：１〜１：１、又は５００：１〜５：１、又は２５０：１〜５：１、又は１００：１〜５：１、又は１００：１〜１０：１であってよい。特定の実施形態では、有益剤とオルガノポリシロキサンの比は４０：１〜２０：１である。
【００５２】
また本発明は、本発明のエマルションと、副組成物と、を含む、消費者製品組成物も提供する。消費者製品組成物は、カチオン性、アニオン性、両性、双性イオン性、非イオン性、及びこれらの組み合わせからなる群から選択される界面活性剤を含んでよい。いくつかの実施形態では、消費者製品は、シリコーン、ビニルポリマー、ポリエーテル、炭化水素ワックス含有材料、炭化水素液体、流体糖ポリエステル、流体糖ポリエーテル、及びこれらの混合物からなる群から選択される有益剤を含む。消費者製品組成物は、粘土、金属酸化物、シリコーン、及びマイクロカプセルからなる群から選択される第２の有益剤を更に含んでよい。
【００５３】
一実施形態では、消費者製品組成物は、ポリジメチルシロキサン、アミノシリコーン、カチオン性シリコーン、シリコーンポリエーテル、環状シリコーン、シリコーン樹脂、フッ素化シリコーン、及びこれらの混合物からなる群から選択されるシリコーン材料有益剤を含む。いくつかの実施形態では、ａ）かかるポリジメチルシロキサンは、１×１０-5ｍ2／ｓ〜２ｍ2／ｓ（１０センチストークス（ｃＳｔ）〜２，０００，０００ｃＳｔ）、５×１０-5ｍ2／ｓ〜１ｍ2／ｓ（５０ｃＳｔ〜１，０００，０００ｃＳｔ）、５×１０-4ｍ2／ｓ〜０．１ｍ2／ｓ（５００ｃＳｔ〜１００，０００ｃＳｔ）、又は７．５×１０-4ｍ2／ｓ〜１×１０-3ｍ2／ｓ（７５０ｃＳｔ〜１０００ｃＳｔ）の粘度を有し、ｂ）かかるアミノシリコーンは、１×１０-4ｍ2／ｓ〜０．３ｍ2／ｓ（１００ｃＳｔ〜３００，０００ｃＳｔ）、５×１０-4ｍ2／ｓ〜０．２ｍ2／ｓ（５００ｃＳｔ〜２００，０００ｃＳｔ）、７．５×１０-4ｍ2／ｓ〜５×１０-2ｍ2／ｓ（７５０ｃＳｔ〜５０，０００ｃＳｔ）、又は１×１０-3ｍ2／ｓ〜５×１０-3ｍ2／ｓ（１０００ｃＳｔ〜５０００ｃＳｔ）の粘度を有し、ｃ）かかるカチオン性シリコーンは、１×１０-4ｍ2／ｓ〜１ｍ2／ｓ（１００ｃＳｔ〜１，０００，０００ｃＳｔ）、５×１０-4ｍ2／ｓ〜０．５ｍ2／ｓ（５００ｃＳｔ〜５００，０００ｃＳｔ）、７．５×１０-4ｍ2／ｓ〜５×１０-2ｍ2／ｓ（７５０ｃＳｔ〜５０，０００ｃＳｔ）、又は１×１０-3ｍ2／ｓ〜５×１０-3ｍ2／ｓ（１０００ｃＳｔ〜５０００ｃＳｔ）の粘度を有し、ｄ）かかるシリコーンポリエーテルは、１×１０-4ｍ2／ｓ〜１ｍ2／ｓ（１００ｃＳｔ〜１，０００，０００ｃＳｔ）、５×１０-4ｍ2／ｓ〜０．５ｍ2／ｓ（５００ｃＳｔ〜５００，０００ｃＳｔ）、７．５×１０-4ｍ2／ｓ〜５×１０-2ｍ2／ｓ（７５０ｃＳｔ〜５０，０００ｃＳｔ）、又は１×１０-3ｍ2／ｓ〜５×１０-3ｍ2／ｓ（１０００ｃＳｔ〜５０００ｃＳｔ）の粘度を有し、ｅ）かかる環状シリコーンは、１×１０-5ｍ2／ｓ〜１×１０-2ｍ2／ｓ（１０ｃＳｔ〜１０，０００ｃＳｔ）、５×１０-5ｍ2／ｓ〜５×１０-3ｍ2／ｓ（５０ｃＳｔ〜５，０００ｃＳｔ）、１×１０-4ｍ2／ｓ〜２×１０-3ｍ2／ｓ（１００ｃＳｔ〜２，０００ｃＳｔ）、又は２×１０-4ｍ2／ｓ〜１×１０-3ｍ2／ｓ（２００ｃＳｔ〜１０００ｃＳｔ）の粘度を有し、ｆ）かかるシリコーン樹脂は、１×１０-5ｍ2／ｓ〜１×１０-2ｍ2／ｓ（１０ｃＳｔ〜１０，０００ｃＳｔ）、５×１０-5ｍ2／ｓ〜５×１０-3ｍ2／ｓ（５０ｃＳｔ〜５，０００ｃＳｔ）、１×１０-4ｍ2／ｓ〜２×１０-3ｍ2／ｓ（１００ｃＳｔ〜２，０００ｃＳｔ）、又は２×１０-4ｍ2／ｓ〜１×１０-3ｍ2／ｓ（２００ｃＳｔ〜１０００ｃＳｔ）の粘度を有し、ｇ）かかるフッ素化シリコーンは、１×１０-4ｍ2／ｓ〜０．３ｍ2／ｓ（１００ｃＳｔ〜３００，０００ｃＳｔ）、５×１０-4ｍ2／ｓ〜０．２ｍ2／ｓ（５００ｃＳｔ〜２００，０００ｃＳｔ）、７．５×１０-4ｍ2／ｓ〜５×１０-2ｍ2／ｓ（７５０ｃＳｔ〜５０，０００ｃＳｔ）、又は１×１０-3ｍ2／ｓ〜５×１０-3ｍ2／ｓ（１０００ｃＳｔ〜５０００ｃＳｔ）の粘度を有する。
【００５４】
いくつかの実施形態では、シリコーン有益剤材料は、次の構造：
［Ｒ1”Ｒ2”Ｒ3”ＳｉＯ1/2］(c+2)［（Ｒ4”Ｓｉ（Ｘ”−Ｚ”）Ｏ2/2］g［Ｒ4”Ｒ4”ＳｉＯ2/2］r［Ｒ4”ＳｉＯ3/2］c
を有し、式中、
ｃは０〜９８の整数であり、一態様では、ｃは０〜４８の整数であり、一態様では、ｃは０であり、
ｇは０〜２００の整数であり、一態様では、ｇは０〜５０の整数であり、ｇ＝０のとき、少なくとも１つのＲ1”、Ｒ2”又はＲ3”＝Ｘ”−Ｚ”であり、
ｒは４〜５，０００の整数であり、一態様では、ｒは１０〜４，０００の整数であり、別の態様では、ｒは５０〜２，０００の整数であり、
Ｒ1”、Ｒ2”及びＲ3”はそれぞれ、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ、Ｃ1〜Ｃ32置換アルコキシ及びＸ”−Ｚ”からなる群から独立して選択され、
各Ｒ4”は、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ及びＣ1〜Ｃ32置換アルコキシからなる群から独立して選択され、
各Ｘ”−Ｚ”について、
Ｘ”は、２〜１２個の炭素原子を含む二価アルキレン基を含み、
前記オルガノシロキサン中の少なくとも１つのＺ”は、
Ｒ”5
【００５５】
【化６】
2015501335.tif 000007
からなる群から選択され、
前記オルガノシリコーン中の各追加のＺ”は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｒ5”、
【００５６】
【化７】
2015501335.tif 000008
からなる群から独立して選択され、
各Ｒ5”は、Ｈ；Ｃ1〜Ｃ32アルキル；Ｃ1〜Ｃ32置換アルキル、Ｃ5〜Ｃ32又はＣ6〜Ｃ32アリール、Ｃ5〜Ｃ32又はＣ6〜Ｃ32置換アリール又はＣ6〜Ｃ32アルキルアリール、又はＣ6〜Ｃ32置換アルキルアリール、−（ＣＨＲ6−ＣＨＲ6−Ｏ−）b−ＣＨＲ6−ＣＨＲ6−Ｌ”及びシロキシル残基からなる群から独立して選択され、
ｂは０〜５００の整数であり、一態様では、ｂは０〜２００の整数であり、一態様では、ｂは０〜５０の整数であり、
各Ｒ6”は、Ｈ又はＣ1〜Ｃ18アルキルから独立して選択され、
各Ｌ”は、−Ｏ−Ｃ（Ｏ）−Ｒ7”又は−Ｏ−Ｒ7”；
【００５７】
【化８】
2015501335.tif 000009
から独立して選択され、
各Ｒ7は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アリール、並びにシロキシル残基からなる群から独立して選択され、
各Ｔ”は、Ｈ；
【００５８】
【化９】
2015501335.tif 000010
から独立して選択され、
前記オルガノシリコーン中の各ｖ’は１〜１０の整数であり、一態様では、ｖ”は１〜５の整数であり、前記オルガノシリコーン中の各Ｚ”のすべての添え字ｖ”の合計は、１〜３０、又は１〜２０、又は１〜１０の整数であり、ただし、分子中の部分Ｔ”の合計が６を超えない。
【００５９】
特定の実施形態では、オルガノシリコーン有益剤は、ペンダントアミノシリコーン又は末端アミノシリコーンを含む。これらの実施形態では、オルガノシリコーンは、次の構造：
［Ｒ1”Ｒ2”Ｒ3”ＳｉＯ1/2］(c+2)［（Ｒ4”Ｓｉ（Ｘ”−Ｋ”）Ｏ2/2］g［Ｒ4”Ｒ4”ＳｉＯ2/2］r［Ｒ4”ＳｉＯ3/2］c
を有するペンダントアミノシリコーンを含んでよく、式中、
ｃは０〜９８の整数であり、一態様では、ｃは０〜４８の整数であり、一態様では、ｃは０であり、
ｇは０〜２００の整数であり、一態様では、ｇは０〜５０の整数であり、ｇ＝０のとき、少なくとも１つのＲ1、Ｒ2又はＲ3はＸ”−Ｋ”であり、
ｒは４〜５，０００の整数であり、一態様では、ｒは１０〜４，０００の整数であり、別の態様では、ｒは５０〜２，０００の整数であり、
Ｒ1”、Ｒ2”及びＲ3”はそれぞれ、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ、Ｃ1〜Ｃ32置換アルコキシ及びＸ”−Ｋ”からなる群から独立して選択され、
各Ｒ4”は、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ及びＣ1〜Ｃ32置換アルコキシからなる群から独立して選択され、
各Ｘ”−Ｋ”について、Ｘ”は、２〜１２個の炭素原子を含む二価アルキレン基を含み、一態様では、各二価アルキレン基は、−（ＣＨ2）s−からなる群から独立して選択され、このときｓは２〜８の整数、又は２〜４の整数であり、
各Ｋ”は、
【００６０】
【化１０】
2015501335.tif 000011
からなる群から独立して選択され、各Ｑ”は、独立して、Ｈ又はＣ1〜Ｃ32直鎖又は分枝鎖、置換又は非置換炭化水素であり、ただし、Ｋ”が第四級アンモニウム化合物のとき、Ｑ”はアミド、イミン、又は尿素部分ではあり得ず、Ｑ”がアミド、イミン、又は尿素部分の場合には、前記アミド、イミン、又は尿素部分として同じ窒素に結合する任意の追加のＱ”は、Ｈ又はＣ1〜Ｃ6アルキルでなければならず、一態様では、かかる追加のＱ”はＨであり、
Ｘ”は上で定義され、
Ｋ”について、Ａ”h-は好適な電荷均衡アニオンである。一態様では、Ａ”h-は、Ｃｌ-、Ｂｒ-、Ｉ-、硫酸メチル、トルエンスルホネート、カルボキシレート及びホスフェートからなる群から選択され、前記オルガノシリコーン中の少なくとも１つのＱ”は、
【００６１】
【化１１】
2015501335.tif 000012
からなる群から独立して選択され、陽イオン性に荷電したＫ”について、Ａ”h-は好適な電荷均衡アニオンであり、一態様では、Ａh-は、Ｃｌ−、Ｂｒ−、Ｉ−、硫酸メチル、トルエンスルホネート、カルボキシレート及びホスフェートからなる群から選択され、
式中、各Ｒ5”は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、−（ＣＨＲ6−ＣＨＲ6−Ｏ−）b−Ｌ”及びシロキシル残基からなる群から独立して選択され、
各Ｒ6”は、Ｈ、Ｃ1〜Ｃ18アルキルから独立して選択され、
各Ｌ”は、−Ｃ（Ｏ）−Ｒ7”又はＲ7”から独立して選択され、
Ｒ7”は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール及びシロキシル残基からなる群から独立して選択され、
ｂは０〜５００の整数であり、一態様では、ｂは１〜２００の整数であり、一態様では、ｂは１〜５０の整数である。
【００６２】
ペンダントアミノシリコーンは、１０００ダルトン〜１，０００，０００ダルトン、１０，０００ダルトン〜１００，０００ダルトン、又は１５，０００ダルトン〜５０，０００ダルトンの分子量を有してよい。いくつかの消費者製品組成物は、０．１重量％〜２５重量％、又は０．１重量％〜２０重量％、又は０．１重量％〜１５、又は０．１重量％〜１０重量％、又は０．１重量％〜５重量％、又は０．１重量％〜１重量％、又は０．２５重量％〜２５重量％、又は０．５重量％〜２０重量％、又は１重量％〜１５重量％前記エマルションを含む。
【００６３】
消費者製品組成物は、任意の好適な形態であってよい。一実施形態では、消費者製品組成物は、シャンプー、コンディショナー、ボディーウォッシュ（body wash）、洗剤、布地向上剤、抗菌ウォッシュ（antimicrobial wash）、及び硬質表面洗浄剤からなる群から選択される形態である。消費者製品組成物は、疎水性有益剤、例えば、シリコーン、芳香剤、皮膚軟化剤、抗菌剤、日焼け止め剤、脂質、油、炭化水素、ワックス、疎水変性顔料、無機化合物、及びこれらの混合物からなる群から選択されるものを含んでよい。
【００６４】
また本発明は、毛髪、皮膚、及び布地からなる群から選択される基材を、本発明のエマルション又は前記エマルションを含む消費者製品と接触させる工程を含む、ヘアコンディショニング、皮膚保湿、布地柔軟化、又は布地防しわ特性の供給方法も提供する。また、前記基材を、本発明のエマルション又は前記エマルションを含む消費者製品と接触させる工程を含む、基材上への疎水性有益剤の付着方法も提供する。
【００６５】
本発明の種々の実施形態の特性及び利点は、本発明の幅広い表現を与えるよう意図される特定の実施形態の例を含む以下の記述から明らかになる。種々の修正は、本発明の本記述及び実践から当業者には明らかである。範囲が開示の特定の形態に制限されるよう意図されず、本発明は、「特許請求の範囲」によって定義される本発明の趣旨及び範囲に収まるすべての修正、等価物、及び代替物を網羅する。
【００６６】
Ｉ．用語の定義
本明細書で使用するとき、「消費者製品」は、販売される形態で使用又は消費されることが通常意図される、ベビーケア、パーソナルケア、布地＆ホームケア、ファミリーケア（例えば、フェイシャルティッシュ、ペーパータオル）、女性ケア、ヘルスケア、ビューティケアなどの製品を意味する。このような製品としては、おむつ、よだれかけ、拭き取り用品；脱色、着色、染色、コンディショニング、シャンプー、スタイリングを含む毛髪（ヒト、イヌ、及び／又はネコ）の処理に関連する製品及び／又は方法；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、並びに消費者用又は業務用の他の洗浄などの、布地及びホームケア範囲内の布地、硬質表面、及び任意のその他の表面処理に関する製品及び／又は方法；トイレットペーパー、フェイシャルティッシュ、紙ハンカチ、及び／又は紙タオルに関連する製品及び／又は方法；タンポン、女性用ナプキン；練り歯磨き、歯用ジェル、歯用リンス、義歯接着剤、歯ホワイトニングを含む口腔ケアに関連する製品及び／又は方法が挙げられるが、これらに限定されない。
【００６７】
本明細書で使用するとき、用語「洗浄及び／又は処理組成物」は、特に断りのない限り、パーソナルケア、布地ケア、及びホームケア製品を含む消費者製品の部分集合である。このような製品としては、脱色、着色、染色、コンディショニング、シャンプー、スタイリングを含む毛髪（ヒト、イヌ、及び／又はネコ）を処理するための製品；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品、エアフレッシュナー及び芳香送達系を含む空気ケア、車ケア、食器洗浄、布地コンディショニング（柔軟化及び／又はフレッシュニングを含む）、洗濯洗浄、洗濯及びすすぎ添加剤並びに／又はケア、床及び便器洗浄剤を含む硬質表面洗浄及び／又は処理、顆粒又は粉末状の多目的すなわち「重質」洗浄剤、特に洗浄洗剤を含む、布地及びホームケア領域内の布地、硬質表面、及び任意の他の表面を処理するための製品；液体、ゲル又はペースト状の多目的洗浄剤、特にいわゆる重質液体型；液体高級衣類用洗剤；手洗い食器洗浄剤又は軽質食器洗浄剤、特に泡立ちのよいもの；家庭又は業務用の各種の錠剤、顆粒、液体、及びすすぎ補助剤型を含む食器洗い機用洗剤；抗菌手洗い用型を含む液体洗浄及び殺菌剤、手洗い石鹸、マウスウォッシュ、義歯洗浄剤、歯磨剤、車又はカーペット用シャンプー、便器洗浄剤を含む浴室洗浄剤；ヘアシャンプー及びヘアリンス；シャワーゲル、上質な芳香剤、及び発泡入浴剤、並びに金属洗浄剤；並びに漂白添加剤、及び「染み用スティック」又は前処理用型などの洗浄助剤、乾燥機添加シートなどの基材を有する製品、乾燥及び湿潤型拭取り用品並びにパッド、不織布基材、及びスポンジ；並びにすべて消費者及び／又は業務用のスプレー剤、及びミスト剤；並びに／又は練り歯磨き、歯用ジェル、歯用リンス、義歯接着剤、歯ホワイトニングを含む口腔ケアに関連する方法が挙げられるが、これらに限定されない。家庭用艶出し剤、並びに床及びカウンター用洗浄剤中でケア剤を有利に用いて、光沢改善などの効果をもたらすことができる。布地柔軟剤中のケア剤は、柔軟化特性によって「新しさ」の維持に役立つことができ、弾性を有するものは、しわを伸ばすのに役立つことができる。ケア剤はまた、靴洗浄及び艶出し製品を強化することもできる。
【００６８】
本明細書で使用するとき、用語「パーソナルケア洗浄及び／又は処理組成物」は、特に断りのない限り、脱色、着色、染色、コンディショニング、シャンプー、スタイリングを含む毛髪を処理するための製品；防臭剤及び制汗剤；パーソナルクレンジング；化粧品；上質な芳香剤を含む消費者使用のためのクリーム、ローション、及び他の局所塗布製品の塗布を含むスキンケア；並びにシェービング製品；抗菌手洗い用型を含む液体洗浄及び殺菌剤、手洗い石鹸、マウスウォッシュ、義歯洗浄剤、歯磨剤；ヘアシャンプー及びヘアリンス；シャワーゲル、上質な芳香剤、及び発泡入浴剤；乾燥及び湿潤型拭取り用品及びパッド、不織布基材、並びにスポンジなどの基材を有する製品；並びにすべて消費者及び／又は業務用のスプレー剤、及びミスト剤；並びに／又は練り歯磨き、歯用ジェル、歯用リンス、義歯接着剤、歯ホワイトニングを含む口腔ケアに関連する方法を含む、洗浄及び処理組成物の部分集合である。
【００６９】
本明細書で使用するとき、「布地及び／若しくは硬質表面洗浄及び／又は処理組成物」という用語は、特に指示のない限り、顆粒又は粉末状の多目的すなわち「強力」洗浄剤、特に洗浄洗剤；液体、ゲル又はペースト状の多目的洗浄剤、特にいわゆる強力液体型；液体高級衣類用洗剤；手洗い食器洗浄剤又は軽質食器洗浄剤、特に泡立ちのよいもの；家庭用及び業務用の各種の錠剤、顆粒、液体、及びすすぎ補助剤型を含む食器洗い機用洗剤；抗菌手洗い用型を含む液体洗浄殺菌剤、手洗い石鹸、車又はカーペット用シャンプー、便器洗浄剤を含む浴室洗浄剤；並びに金属洗浄剤、液体、固体、及び／又は乾燥機用シート形態であり得る柔軟化及び／又はフレッシュニングを含む布地コンディショニング製品；これらに加えて漂白添加剤、及び「染み用スティック」又は前処理用型などの洗浄助剤、乾燥機添加シートなどの基材を有する製品、乾燥及び湿潤型拭取り用品並びにパッド、不織布基材、及びスポンジ；並びにスプレー剤、及びミスト剤が挙げられる洗浄及び処理組成物の部分集合である。適用可能であるこのような製品のすべては、標準形態若しくは濃縮形態であり得る、又は特定の態様は、このような製品は、更には非水性であり得る程度に高濃縮された形態であり得る。
【００７０】
本明細書で使用するとき、表現「〜上に吸着される」は、エマルション中で２つ以上の材料が互いに接触していることを含むほど、広い意味である。
【００７１】
本明細書で使用するとき、「ａ」及び「ａｎ」のような冠詞は、１つ以上の請求又は記載されるものを意味するものと理解される。
【００７２】
本明細書で使用するとき、用語「含む（include）」、「含有する（contain）」及び「有する（have）」は、非限定的であり、説明又は請求項中に明示的に特定されるもの以外の他の構成成分又は特徴を除外しない。
【００７３】
本明細書で使用するとき、用語「トリートメント剤」、「有益剤」、「活性物質」、「活性剤」、及び／又は「ケア剤」などは、互換的に使用され、所望の審美的及び／又は機能的特性（例えば、柔軟化又はフレッシュニングなどのコンディショニング効果）を基材に付与することができる材料を意味する。
【００７４】
本明細書で使用するとき、用語「コンディショニング剤」及び「コンディショニング助剤」は、互換的に使用され、所望のコンディショニング効果（例えば、柔軟化又はフレッシュニングなどの効果）を基材に送達する材料を指す。コンディショニング剤は、トリートメント剤の一種である。
【００７５】
本明細書で使用するとき、用語「コンディショニングポリマー」は、所望のコンディショニング効果（例えば、柔軟化又はフレッシュニング）を基材に送達するポリマーを意味する。
【００７６】
本明細書で使用するとき、用語「基材」は、用語「部位」及び「表面」と同義であり、互換的に用いられる。基材の非限定例として、紙製品、布地、衣服、硬質表面、毛髪、及び皮膚が挙げられる。
【００７７】
本明細書で使用するとき、「標的基材」は、付着を目的とする基材、又は基材の関連部位を意味する。
【００７８】
本明細書で使用するとき、「付着助剤」は、標的基材への別の材料（例えば有益剤）の付着（例えば接着）を補助する材料である。用語「付着助剤」は、ポリマー性付着助剤（すなわち、「付着ポリマー」）及び非ポリマー性付着助剤の両方を包含するほど広い意味である。
【００７９】
本明細書で使用するとき、「補助剤」は、組成物の審美的及び／又は機能的特性を補完するために組成物に添加できる任意の材料を意味する。
【００８０】
本明細書で使用するとき、「副組成物」は、本発明の有益剤エマルションと混合されると、消費者製品組成物を形成する１つ以上の組成物を指す。副組成物は、１つ以上の成分又は成分の組み合わせの形態であってよい。
【００８１】
本明細書で使用するとき、「キャリア」は、有益剤（例えば、コンディショニングポリマー）と組み合わせて有益剤の送達及び／又は利用を促進できる、固体又は流体を含むがこれらに限定されない、任意の材料を意味する。
【００８２】
本明細書で使用するとき、用語「固体」は、顆粒、粉末、塊、及び錠剤の製品形態を含む。
【００８３】
本明細書で使用するとき、用語「流体」は、１回用量形態などの液体、ゲル、ペースト及び気体の製品形態を含み、パウチ又はその他送達用賦形剤に封入された流体組成物を一般に含む。
【００８４】
本明細書で使用するとき、用語「粒子」は、固体及び半固体粒子、並びにエマルション液滴を含む。
【００８５】
特に断りのない限り、本明細書中のすべての百分率及び比率は重量を基準とする。
【００８６】
すべての百分率及び比率は、別途記載のない限り組成物全体の重量を基準にして計算される。
【００８７】
特に指定のない限り、すべての分子量はダルトンで表される。
【００８８】
特に断りのない限り、すべての分子量は、当業者に既知であるように、ＭＡＬＳ検出器（ＳＥＣ−ＭＡＬＳ）を用いるサイズ排除クロマトグラフィーによって決定される重量平均分子量である。ＭＡＬＳ検出器（Ｍａｌｖｅｒｎ  Ｉｎｓｔｒｕｍｅｎｔｓ  Ｌｔｄ．（Ｍａｌｖｅｒｎ，ＵＫ）製のものなどの多角度光散乱検出器）は、相対分子量（すなわち、標準に対して決定される）ではなく絶対分子量を決定する。
【００８９】
特記しない限り、すべての構成要素（すなわち、成分）又は組成物の濃度は、当該構成要素又は組成物の活性部分に関するものあり、このような構成要素又は組成物の市販の供給源に存在し得る不純物、例えば残留溶媒又は副生成物は除外される。
【００９０】
本明細書で使用するとき、用語「電荷密度」は、ポリマーが構成されるモノマー単位における正の電荷数と前記モノマー単位の分子量との比を指す。ポリマー分子量により乗じた電荷密度は、所与のポリマー鎖における正に荷電した部位の数を決定する。また電荷密度は、次の等式の形態で表すこともできる。
【００９１】
【数１】
2015501335.tif 000013
【００９２】
本明細書で使用するとき、用語「炭化水素ポリマー基」は、炭素及び水素のみを含むポリマー性基を示す。
【００９３】
本明細書で使用するとき、「エチレン部分」は、二価のＣＨ2ＣＨ2部分を意味する。
【００９４】
本明細書で使用するとき、用語「シロキシル残基」は、ポリジアルキルシロキサン部分を意味する。
【００９５】
本明細書で使用するとき、用語ＳｉＯn/2は、酸素原子とケイ素原子との比を表す。例えば、ＳｉＯ1/2は、平均して、１つの酸素原子が２つのケイ素原子間で共有されていることを意味する。同様に、ＳｉＯ2/2は、平均して、２つの酸素原子が２つのケイ素原子間で共有されていることを意味し、ＳｉＯ3/2は、平均して、３つの酸素原子が２つのケイ素原子間で共有されることを意味する。
【００９６】
本明細書で使用するとき、用語「実質的にない」、「〜を実質的に含まない」及び／又は「実質的に含まない」は、示された材料が必要最低限であり、組成物の一部を形成するために意図的に組成物に添加されず、又は、好ましくは、分析的に検出可能な濃度で存在しないことを意味する。示された材料が、意図的に含まれる別の材料の１つ中に不純物としてのみ存在する組成物を含むことを意味する。
【００９７】
本明細書の全体を通じて与えられるすべての最大の数値限定は、それよりも小さい数値限定を、そのようなより小さい数値限定があたかも本明細書に明確に記載されているものと同様にして包含するものと理解すべきである。本明細書の全体を通じて与えられるすべての最小数値限定は、それよりも大きいすべての数値限定を、あたかもそれらの大きい数値限定が本明細書に明確に記載されているものと同様にして含むものである。本明細書の全体を通じて与えられるすべての数値範囲は、そのようなより広い数値範囲内に含まれるそれよりも狭いすべての数値範囲を、あたかもそれらのより狭い数値範囲がすべて本明細書に明確に記載されているものと同様にして含むものである。
【００９８】
ＩＩ．有益剤エマルションを含む消費者製品組成物
出願人らは、消費者製品の製造時に、成分を混合する順序が、最終的な組成物の付着性能に大きく影響し得ることを認めている。理論に束縛されるものではないが、カチオン性付着助剤が最も効率的に機能するために、最初に有益剤上に吸着させなくてはならないと考えられる。カチオン性付着助剤を疎水性有益剤と乳化すると、アニオン性界面活性剤を含有し得る副組成物中の成分の残部に、これらの成分を混合する前に、付着助剤の有益剤上への予備吸着を可能にする。
【００９９】
ほとんどの洗浄製品が比較的大量のアニオン性界面活性剤を含有するが、有益剤及び付着助剤が比較的低濃度であることを考慮すると、アニオン性界面活性剤などの成分を含み得る組成物に、これらの成分を別々に加える場合、付着助剤の有益剤上への結合は難しい場合がある。例えば、高濃度のアニオン性界面活性剤及びアニオン性界面活性剤とカチオン性付着ポリマーとの間の強い相互作用（静電的）などの因子によって、弱い相互作用をする低濃度カチオン性ポリマーと疎水性有益剤との間の会合よりも、アニオン性界面活性剤とカチオン性付着ポリマーとの間の会合の方が起こりやすい可能性がある。
【０１００】
更に、疎水性有益剤上に吸着される可能性のあるアニオン性界面活性剤の量が、溶液相中に溶解したままの界面活性剤の量（すなわち非吸着）よりもずっと少ないため、カチオン性付着ポリマーは、有益剤上に予備吸着された任意の界面活性剤分子とよりも、溶解された界面活性剤分子と複合体を会合／形成する（すなわち、アニオン性界面活性剤に富んだ溶液中のアニオン性複合体）可能性が最も高い。形成可能性のある任意のカチオン性ポリマー−アニオン性界面活性剤複合体よりも更に高い濃度で存在しているため、アニオン性界面活性剤は、ポリマー−界面活性剤複合体よりもはるかに容易に疎水性有益剤に吸着することができ、カチオン性付着ポリマーが相当程度で有益剤を吸着できないようにする。したがって、アニオン性界面活性剤に富んだ洗浄製品組成物の成分としてこれらの２種類の材料が別々に添加されると、疎水性有益剤は界面活性剤に富んだ溶液中に単に溶解できる。
【０１０１】
当該技術分野において理論的には、カチオン性付着ポリマーと疎水性有益剤との間の会合は、洗浄製品がすすぎプロセスの工程中に大きく希釈される時のみに達成されることが多い。しかしながら、この状況では、添加した付着ポリマー及び有益剤の大部分が、最適な希釈レベルに到達する前にすすぎ落とされるであろう。
【０１０２】
疎水性有益剤の最終用途の効果（例えば、ヘアコンディショニング、布地柔軟化、芳香剤伸展）を効率的に送達するには、有益剤を、処理される基材上に実質的に付着させるだけではなく、所望の最終用途の利益を提供するのに好適な物理的形状で利用可能でなくてはならない。例えば、シリコーンなどの疎水性物質を毛髪上又は布地上に付着させると、毛髪又は布地表面の疎水変性の原因となり、次にヘアコンディショニング又は布地柔軟化効果として顕在化する効果につながる。
【０１０３】
一態様では、本発明は、有益剤と、有益剤の表面に結合したカチオン性付着助剤と、を含む、有益剤エマルションを提供する。一態様では、有益剤は疎水性である。特定の態様では、エマルションは界面活性剤を実質的に含まない。
【０１０４】
別の態様では、本発明は、洗浄又は表面コンディショニング消費者製品組成物の製造方法を提供する。この方法は、（ａ）有益剤エマルションを準備する工程と、（ｂ）副組成物を準備する工程と、（ｃ）前記エマルションと前記副組成物を混合して消費者製品組成物を形成する工程と、を含む。副組成物は、エマルションと組み合わせて最終消費者製品組成物を形成する成分の残部を含む。副組成物は、エマルションと別々に又は共に組み合わせて最終消費者製品を形成できる１つ以上の別の組成物を含んでよい。特定の実施形態では、副組成物は、溶媒（例えば、水などの親水性溶媒）及び／又は界面活性剤、並びに任意のその他所望の成分を含む。
【０１０５】
有益剤（例えば、疎水性有益剤）とカチオン性付着助剤との間の吸着は、副組成物への添加に先立ち、エマルション組成物中で行われる。エマルションが水性又は他の親水性溶液、特に界面活性剤を含むものに分散されるとき、付着助剤を有益剤に予備吸着させることによって、エマルション構成成分の付着効率及び分散安定性（すなわち、凝集抵抗性及び合体抵抗性）が促進される。
【０１０６】
特定の実施形態では、有益剤をカプセル様エンクロージャ内に封入でき、別の実施形態では、有益剤は封入されない。封入によって、表面処理に利用可能な有益剤の量を制限する場合があるが、更に有益剤と他の成分間の有害な相互作用を防ぐ場合もある。したがって、封入の必要性は、例えば、有害な成分相互作用の影響に対する、カプセル壁を通って分散できる又は破裂によって漏出できる有益剤濃度によって決まるであろう。
【０１０７】
一態様では、エマルションは水中油型エマルションの形態であり、エマルションは、有益剤であってよい、又は有益剤に加えるものであってよい少なくとも１種の疎水性液体を含む。疎水性有益剤を、疎水性液体中に均一に分散できる。例えば、一実施形態では、エマルションは、水中油型エマルション中の乳化油滴の形態であり、このとき付着助剤は、水中油型エマルション（すなわち、エマルション）を副組成物と混合する前に、有益剤相を水相中に乳化する乳化剤として作用する。
【０１０８】
一実施形態では、界面活性剤は、アニオン性、非イオン性、双性イオン性、カチオン性、両性、及びこれらの混合物からなる群から選択することができる。特定の実施形態では、界面活性剤はアニオン性界面活性剤を含む。
【０１０９】
一実施形態では、疎水性有益剤は、シリコーン、芳香剤、皮膚軟化剤、抗菌剤、日焼け止め剤、脂質、油、炭化水素、ワックス、疎水変性顔料、無機化合物、及びこれらの混合物からなる群から選択される。
【０１１０】
別の態様では、本発明は、消費者製品組成物の形態で送達できるエマルションと、基材を接触させる工程を含む、基材上への有益剤の付着方法を提供する。別の態様では、本発明は、毛髪、皮膚、及び布地からなる群から選択される基材と、最終消費者製品組成物を接触させる工程を含む、ヘアコンディショニング、皮膚保湿、布地柔軟化、又は布地防しわ特性の供給方法を提供する。
【０１１１】
本明細書に記載される消費者製品組成物は、内部に含有される１つ以上の有益剤、望ましくは疎水性有益剤を毛髪、皮膚、及び布地上に、実質的に付着かつ定着させる、シャンプー、ボディーウォッシュ、液状石鹸、洗濯洗剤、及び布地柔軟剤などの洗浄及び／又は表面コンディショニング製品としての使用に好適である。
【０１１２】
一実施形態では、疎水性有益剤及びカチオン性ポリマー付着助剤は、当該技術分野において既知の技術を用いて単に混合され、本発明のエマルションを形成する。所望により、疎水性有益剤への付着助剤の吸着を干渉しない親水性溶媒及び／又はその他成分が、エマルション中に存在してもよい。
【０１１３】
疎水性有益剤は、所望の最終用途の利益のための任意の好適な剤であってよい。例えば、有益剤は、シリコーン、芳香剤、皮膚軟化剤、抗菌剤、日焼け止め剤、脂質、油、炭化水素、ワックス、疎水変性顔料、無機化合物、及びこれらの混合物からなる群から選択されてよい。
【０１１４】
一実施形態では、疎水性有益剤及び／又はエマルションは、水中油型（Ｏ／Ｗ）エマルションの形態で調製される。特定の実施形態では、エマルションの疎水性有益剤は、疎水性液体中に均一に分散される。別の実施形態では、疎水性有益剤自体が疎水性液体として働く。
【０１１５】
カチオン性ポリマー付着助剤は、水相などの親水性相中に有益剤相を乳化させるための乳化剤として働くことができる。あるいは、別の乳化剤を用いて、疎水性有益剤を親水性（例えば、水）相と乳化してもよい。例えば、いくつかの実施形態では、有益剤乳化剤は、界面活性、つまり非水溶性アニオン性ポリマーを含む非水溶性粒子状物質を含んでよい。一実施形態では、アニオン性ポリマーは、水中油型エマルションの油相の重量に基づき、０．１重量％〜５重量％の範囲で含まれる。あるいは、いくつかの実施形態では、乳化剤は、アニオン性界面活性剤溶液に不溶性の、水溶性高分子量カチオン性ポリマーを含んでよい。当該技術分野において既知の高せん断攪拌法を用いて、本明細書で想到されるエマルションを形成してよい。
【０１１６】
また、最終用途の消費者製品で所望される特定の性質に応じて、疎水性有益剤（つまり乳化疎水性有益剤）のカチオン性ポリマー付着助剤への吸着に悪影響を及ぼさない任意の成分を、複数のエマルション及び／又は１つのエマルションに含めてもよい。
【０１１７】
最終消費者製品組成物を形成するため、エマルションを、界面活性剤を含む副組成物と組み合わせる。一実施形態では、消費者製品組成物は、０．５重量％〜９５重量％の界面活性剤を含む。いくつかの実施形態では、界面活性剤はアニオン性界面活性剤を含む。所望の任意の成分を、副組成物、相溶する場合はエマルション中に含めてよく、又は消費者製品組成物に別々に加えてよい。当該技術分野において既知の混合方法を用いて、本明細書の消費者製品組成物を形成してよい。
【０１１８】
消費者製品組成物は、任意の所望の形態であってよい。例えば、組成物の形態は、シャンプー、ボディーウォッシュ、洗剤、抗菌ウォッシュ、及び硬質表面洗浄剤からなる群から選択されてよい。
【０１１９】
また本発明は、本発明の消費者製品組成物と基材を接触させる工程を含む、毛髪、皮膚、又は布地などの基材上への疎水性有益剤の付着方法も提供する。このような消費者製品は、ヘアコンディショニング、皮膚保湿、布地柔軟化、又は布地防しわ特性などの効果を送達できる。
【０１２０】
ＩＩＩ．オルガノポリシロキサン付着助剤
本発明は、次式：
ＭwＤxＴyＱz
を有するブロック状カチオン性オルガノポリシロキサンを提供し、式中、
Ｍ＝［ＳｉＲ1Ｒ2Ｒ3Ｏ1/2］、［ＳｉＲ1Ｒ2Ｇ1Ｏ1/2］、［ＳｉＲ1Ｇ1Ｇ2Ｏ1/2］、［ＳｉＧ1Ｇ2Ｇ3Ｏ1/2］、又はこれらの組み合わせであり、
Ｄ＝［ＳｉＲ1Ｒ2Ｏ2/2］、［ＳｉＲ1Ｇ1Ｏ2/2］、［ＳｉＧ1Ｇ2Ｏ2/2］又はこれらの組み合わせであり、
Ｔ＝［ＳｉＲ1Ｏ3/2］、［ＳｉＧ1Ｏ3/2］又はこれらの組み合わせであり、
Ｑ＝［ＳｉＯ4/2］であり、
ｗ＝１〜（２＋ｙ＋２ｚ）の整数であり、
ｘ＝５〜１５，０００の整数であり、
ｙ＝０〜９８の整数であり、
ｚ＝０〜９８の整数であり、
Ｒ1、Ｒ2及びＲ3は、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ、Ｃ1〜Ｃ32置換アルコキシ、Ｃ1〜Ｃ32アルキルアミノ、及びＣ1〜Ｃ32置換アルキルアミノからなる群からそれぞれ独立して選択され、
少なくとも１つのＭ、Ｄ、又はＴは、少なくとも１つの部分Ｇ1、Ｇ2又はＧ3を組み込み、
Ｇ1、Ｇ2、及びＧ3は、次式：
【０１２１】
【化１２】
2015501335.tif 000014
からそれぞれ独立して選択され、式中、
Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から選択される二価基を含み、ただし、Ｘが繰り返しアルキレンオキシド部分を含まない場合、Ｘが、Ｐ、Ｎ及びＯからなる群から選択されるヘテロ原子を更に含んでよく、
Ｒ4は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アルキルアリールからなる群から選択される同一の又は異なる一価基を含み、
Ｅは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｅが繰り返しアルキレンオキシド部分を含まない場合、Ｅが、Ｐ、Ｎ、及びＯからなる群から選択されるヘテロ原子を更に含んでよく、
Ｅ’は、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｅ’が繰り返しアルキレンオキシド部分を含まない場合、Ｅ’が、Ｐ、Ｎ、及びＯからなる群から選択されるヘテロ原子を更に含んでよく、
ｐは、１〜５０から独立して選択される整数であり、
ｎは、１又は２から独立して選択される整数であり、
少なくとも１つのＧ1、Ｇ2、又はＧ3が正に荷電されるとき、Ａ-tは好適な電荷均衡アニオン（１つ又は複数）であり、電荷均衡アニオン（１つ又は複数）の全電荷であるｋは、部分Ｇ1、Ｇ2又はＧ3の正味電荷と等しくかつ反対であり、ここでｋ≦ｐ*（２／ｔ）＋１であり、ｔは１、２、又は３から独立して選択される整数であり、オルガノポリシロキサン分子中のカチオン電荷の総数がアニオン電荷の総数と釣り合う。
【０１２２】
一実施形態では、少なくとも１つのＥ又はＥ’はエチレン部分を含まず、別の実施形態では、Ｅ又はＥ’部分はエチレン部分ではない。
【０１２３】
本発明のオルガノポリシロキサンは、０．０４ｍｅｑ／ｇ〜１２ｍｅｑ／ｇ、又は０．０４ｍｅｑ／ｇ〜４ｍｅｑ／ｇ、又は１ｍｅｑ／ｇ〜１２ｍｅｑ／ｇの電荷密度を有してよい。一実施形態では、ｗは２〜５０の整数であり、別の実施形態では、ｗは２に等しい。別の実施形態では、ｘは１０〜４，０００、又は４０〜２，０００の整数である。いくつかの実施形態では、ｗは２に等しく、ｘは２０〜１，０００の整数であり、ｙ及びｚは０に等しい。
【０１２４】
各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から独立して選択される二価基であってよい。あるいは、各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、及びＣ6〜Ｃ32置換アリールアルキレンからなる群から独立して選択される二価基であってよい。
【０１２５】
特定の実施形態では、Ａ-tは、Ｃｌ-、Ｂｒ-、Ｉ-、硫酸メチル、トルエンスルホネート、カルボキシレート、ホスフェート、水酸化物、アセテート、ホルメート、カーボネート、ニトレート、及びこれらの組み合わせからなる群から選択されてよい。別の実施形態では、Ａ-tは、Ｃｌ-、Ｂｒ-、Ｉ-、硫酸メチル、トルエンスルホネート、カルボキシレート、ホスフェート及びこれらの組み合わせからなる群から選択される。
【０１２６】
Ｅ及びＥ’はそれぞれ、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から独立して選択される二価基であってよい。あるいは、Ｅ及びＥ’はそれぞれ、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、及びＣ6〜Ｃ32置換アリールアルキレンからなる群から独立して選択される二価基であってよい。
【０１２７】
いくつかの実施形態では、少なくとも１つのＥ又はＥ’は、次のもの：
【０１２８】
【化１３】
2015501335.tif 000015
からなる群から独立して選択され、式中、
Ｒ6は、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から選択される二価基を含み、ただし、Ｒ6が繰り返しアルキレンオキシド部分を含まない場合、Ｒ6が、Ｐ、Ｎ、及びＯからなる群から選択されるヘテロ原子を更に含んでよく、
ｕは３〜３２から独立して選択される整数であり、
Ｒ9は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アルキルアリールからなる群から独立して選択される同一の又は異なる一価基を含む。
【０１２９】
本発明のオルガノポリシロキサンの特定の実施形態では、少なくとも１つのＥ又はＥ’は、エチレン基であってよい。別の実施形態では、少なくとも１つのＥ又はＥ’は、３個以上の炭素原子を含む。各Ｒ4は異なる基であってよく、及び／又はいくつかの実施形態では、少なくとも１つのＲ4はメチル基であってよい。
【０１３０】
一実施形態では、Ｇ1、Ｇ2及びＧ3は同一であり、別の実施形態では、Ｇ1及びＧ2は同一で、一方Ｇ3が異なっており、別の実施形態では、Ｇ1、Ｇ2、及びＧ3のそれぞれが異なっている。少なくとも１つのＧ1、Ｇ2又はＧ3において、ｐは、１〜２５、又は１〜１３、又は１〜５から独立して選択される整数であってよい。更に、少なくとも１つのＧ1、Ｇ2又はＧ3において、ｋは、０〜１０１、又は２〜５０から独立して選択される整数であってよい。少なくとも一実施形態では、ｙ＝ｚ＝０である。いくつかの実施形態では、オルガノポリシロキサン分子中に存在するアミンの５０％〜１００％、又は７０％〜１００％、又は９０％〜１００％が四級化されてよい。
【０１３１】
当業者は、本発明のブロック状オルガノポリシロキサンは、多くの異なる実施形態を包含することを認識するであろう。この目的のために、ｙ及びｚがゼロに等しいとき、本発明のブロック状オルガノポリシロキサンは次式：
ＭwＤx
からなる群から独立して選択され、式中、
Ｍ＝［ＳｉＲ1Ｒ2Ｒ3Ｏ1/2］、［ＳｉＲ1Ｒ2Ｇ1Ｏ1/2］、［ＳｉＲ1Ｇ1Ｇ2Ｏ1/2］、［ＳｉＧ1Ｇ2Ｇ3Ｏ1/2］、又はこれらの組み合わせであり、
Ｄ＝［ＳｉＲ1Ｒ2Ｏ2/2］であり
ｗ＝１〜２から独立して選択される整数であり、
ｘ＝５〜１５，０００から独立して選択される整数であり、
Ｒ1、Ｒ2及びＲ3は、Ｈ、ＯＨ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、Ｃ6〜Ｃ32置換アルキルアリール、Ｃ1〜Ｃ32アルコキシ、Ｃ1〜Ｃ32置換アルコキシ、Ｃ1〜Ｃ32アルキルアミノ、及びＣ1〜Ｃ32置換アルキルアミノからなる群からそれぞれ独立して選択される。
【０１３２】
少なくとも１つのＭ又はＤは、少なくとも１つの部分Ｇ1、Ｇ2又はＧ3を組み込み、Ｇ1、Ｇ2、及びＧ3は、次式：
【０１３３】
【化１４】
2015501335.tif 000016
から独立して選択され、式中、
Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｘが繰り返しアルキレンオキシド部分を含まない場合、Ｘが、Ｐ、Ｎ、及びＯからなる群から選択されるヘテロ原子を更に含んでよい。
Ｒ4は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アルキルアリールからなる群から選択される同一の又は異なる一価基を含む。
Ｅは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｅが繰り返しアルキレンオキシド部分を含まない場合、Ｅが、Ｐ、Ｎ、及びＯからなる群から選択されるヘテロ原子を更に含んでよい。
Ｅ’は、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド及び開環グリシジルからなる群から独立して選択される二価基を含み、ただし、Ｅ’が繰り返しアルキレンオキシド部分を含まない場合、Ｅ’が、Ｐ、Ｎ、及びＯからなる群から選択されるヘテロ原子を更に含んでよい。更に、ｐは、１〜５０から独立して選択される整数であり、ｎは、１又は２から独立して選択される整数である。少なくとも１つのＧ1、Ｇ2、又はＧ3が正に荷電されるとき、Ａ-tは好適な電荷均衡アニオン（１つ又は複数）であり、電荷均衡アニオン（１つ又は複数）の全電荷であるｋは、各部分Ｇ1、Ｇ2又はＧ3の正味電荷と等しくかつ反対であり、更に各部分Ｇについて、ｋ≦（ｐ*２）／ｔ＋１である。この実施形態では、Ｅ及びＥ’は異なる部分であり、ｔは１、２、又は３から独立して選択される整数であり、オルガノポリシロキサン分子中のカチオン電荷の総数がアニオン電荷の総数と釣り合う。
【０１３４】
オルガノポリシロキサンは、０．０４ｍｅｑ／ｇ〜１２ｍｅｑ／ｇ、又は０．０４ｍｅｑ／ｇ〜４ｍｅｑ／ｇ、又は１ｍｅｑ／ｇ〜１２ｍｅｑ／ｇの電荷密度を有してよい。いくつかの実施形態では、ｗは２に等しい。更に、ｘは、１０〜４，０００、又は４０〜２，０００から独立して選択される整数であってよい。
【０１３５】
更に、各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から独立して選択される二価基であってよく、あるいは、各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、及びＣ6〜Ｃ32置換アリールアルキレンからなる群から独立して選択される二価基であってよい。
【０１３６】
各Ａ-tは、Ｃｌ-、Ｂｒ-、Ｉ-、硫酸メチル、トルエンスルホネート、カルボキシレート、ホスフェート、水酸化物、アセテート、ホルメート、カーボネート、ニトレート、及びこれらの組み合わせからなる群から、又はＣｌ-、Ｂｒ-、Ｉ-、硫酸メチル、トルエンスルホネート、カルボキシレート、ホスフェート、及びこれらの組み合わせからなる群から独立して選択されてよい。
【０１３７】
各Ｅは、同一の又は異なる基であってよい。いくつかの実施形態では、各Ｅは異なる基である。各Ｅは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から独立して選択される二価基であってよい。あるいは、各Ｘは、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、及びＣ6〜Ｃ32置換アリールアルキレンからなる群から独立して選択される二価基であってよい。
【０１３８】
一実施形態では、少なくとも１つのＥ又はＥ’は、次のもの：
【０１３９】
【化１５】
2015501335.tif 000017
からなる群から独立して選択され、式中、
Ｒ6は、Ｃ1〜Ｃ32アルキレン、Ｃ1〜Ｃ32置換アルキレン、Ｃ5〜Ｃ32又はＣ6〜Ｃ32アリーレン、Ｃ5〜Ｃ32又はＣ6〜Ｃ32置換アリーレン、Ｃ6〜Ｃ32アリールアルキレン、Ｃ6〜Ｃ32置換アリールアルキレン、Ｃ1〜Ｃ32アルコキシ、Ｃ1〜Ｃ32置換アルコキシ、Ｃ1〜Ｃ32アルキレンアミノ、Ｃ1〜Ｃ32置換アルキレンアミノ、開環エポキシド、及び開環グリシジルからなる群から選択される二価基を含み、ただし、Ｒ6が繰り返しアルキレンオキシド部分を含まない場合、Ｒ6が、Ｐ、Ｎ、及びＯからなる群から選択されるヘテロ原子を更に含んでよく、
ｕは３〜３２から独立して選択される整数であり、
Ｒ9は、Ｈ、Ｃ1〜Ｃ32アルキル、Ｃ1〜Ｃ32置換アルキル、Ｃ5〜Ｃ32又はＣ6〜Ｃ32アリール、Ｃ5〜Ｃ32又はＣ6〜Ｃ32置換アリール、Ｃ6〜Ｃ32アルキルアリール、及びＣ6〜Ｃ32置換アルキルアリールからなる群から選択される同一の又は異なる一価基を含み、ｕは３〜３２から独立して選択される整数である。
【０１４０】
更に、いくつかの実施形態では、少なくとも１つのＥ又はＥ’基はエチレン基である。別の実施形態では、少なくとも１つのＥ又はＥ’は、３個以上の炭素原子を含む。いくつかの実施形態では、各Ｒ4は異なる基であり、及び／又は少なくとも１つのＲ4はメチル基である。少なくとも１つのＧ1、Ｇ2又はＧ3において、ｐは、１〜２５、又は１〜１３、又は１〜５から独立して選択される整数である。少なくとも１つのＧ1、Ｇ2又はＧ3において、ｋは、０〜２０１、又は０〜５０から独立して選択される整数である。
【０１４１】
一実施形態では、Ｅは、３個以上の炭素原子、又は４個以上の炭素原子、又は５個以上の炭素原子、又は４〜３２個の炭素原子を有する一級アルキル鎖である。理論によって制限されることなく、Ｅがちょうど２個の炭素原子を有する一級アルキル鎖である実施形態では、部分Ｇは、脱離反応の可能性に対して不安定であり得ると考えられる。これは、反応してアルケンを生成する非共有電子対によって、好ましくない脱離反応が起こる可能性があるからである。したがって、Ｅ部分として３個未満の炭素原子を有する物質は、不安定であることがあり、好ましくない。
【０１４２】
別の実施形態では、部分Ｅは、異なる長さの異なる基から独立して選択され、鎖に沿って間隔及び電荷密度を制御できる。特定の用途では、密に配置されたこれらの電荷を有することが望ましい場合があり、別の用途では、遠くに離れて配置されたこれらの電荷を有することが望ましい場合がある。荷電部分Ｇは、オルガノポリシロキサンのシリコーン部分から離れていてよく、より具体的には、シロキサン部分の末端部に配置されてよい。理論によって制限されることなく、終末シロキサン部分の末端部に配置される電荷を「ブロック状」に維持することによって、処理された基材の表面からシロキサン部分を突き出すことができ、その結果、処理された基材がより滑らかで柔らかい感触になると考えられる。
【０１４３】
荷電オルガノポリシロキサンは、特に水性製品中への配合が難しい場合もあり、通常は乳化が必要である。長いスペーサーを用いると、オルガノポリシロキサンを含む水性組成物の水性媒体中で濃縮されず、より分散された電荷密度が可能になる。この結果、配合中にオルガノポリシロキサンを良好に分散できる。長いスペーサーによって、より分子全体に分散された電荷を可能にする。
【０１４４】
更に、一実施形態では、本発明のオルガノポリシロキサンは複数の部分Ｅを含み、交互のパターンで配置されてよい。次式では、部分Ｅ及びＥ’が交互になっている例を示し、ここではＥ及びＥ’は異なっている（例えば、Ｅ＝Ｃ2でＥ’＝Ｃ10である）。
【０１４５】
【化１６】
2015501335.tif 000018
【０１４６】
理論によって制限されることなく、種々のＥ部分を変え及び／又は交互にすることによって、四級部分に沿って電荷密度を更に制御することができると考えられる。これにより、オルガノポリシロキサンを狙って付着させることができる。したがって、様々な交互のスペーサーを使用することによって、本発明は、所望の最終用途及び基材に対して、特に適応させた材料を提供するカスタマイズ性を有する。
【０１４７】
重要なことに、本明細書に開示される本オルガノポリシロキサンの製造プロセスに従って、複数の異なる及び／又は交互のＥ部分を使用すると、特定の複数及び／又は交互のＥ部分パターンが所望されるようになることがある。例えば、製造が可能な合成方法の１つは、交互のＥ部分をもたらす。かかる例では、第１の前記Ｅ部分をビスハライド化合物に、第２のＥ部分（すなわちＥ’）をビスアミンに組み込むことを含む。
【０１４８】
一実施形態では、Ｘは、任意のヘテロ原子を含まない（例えば、任意のヘテロ原子を実質的に含まない）炭化水素部分である。理論によって制限されるものではないが、反応性末端基の存在によって、時間と共に分解する、若しくは組成物中の他の物質と反応する傾向、又は使用環境において不安定化因子の悪影響を受ける傾向によって、貯蔵安定性がない不安定な製品をもたらすと考えられる。
【０１４９】
一実施形態では、オルガノポリシロキサン末端部分は、任意のヘテロ原子を含まない（例えば、任意のヘテロ原子を実質的に含まない）炭化水素基である。理論によって制限されることなく、本発明のオルガノポリシロキサンのアルキル末端基は、分解性又は反応性が高くなく、よって、より安定で、好適により長い貯蔵寿命を有する組成物が得られると考えられる。
【０１５０】
ＩＶ．オルガノポリシロキサンの製造方法
本発明の実施形態を次のように製造できる。ある量のアミノシリコーンを不活性雰囲気下で清浄な容器に加える。所望により、イソプロパノール又はテトラヒドロフランなどの溶媒を加える。反応液を任意に混合し、ある量のジアミン、及びアミン化合物のアミノ官能基と反応可能な二官能性有機化合物を、同時に又は連続的に加える。例えば、ジアミンを最初に加え、アミノ官能基と反応可能な二官能性有機化合物を次に加え、所望のオルガノポリシロキサンを得ることができる。代わりに、これらの試薬逆の順序で加えてもよい。
【０１５１】
試薬に対して適切な温度で反応させる。例えば、アミノ官能基と反応可能な二官能性有機化合物がジクロリドのとき、比較的高温（典型的には６０℃超、多くの場合８０℃超）で反応させてよい。代わりに、アミノ官能基と反応可能な二官能性有機化合物がジブロミドのとき、室温（例えば、２１℃）などの比較的低温で反応させてよい。代わりに、アミノ官能基と反応可能な二官能性有機化合物が活性化ジクロリドのとき、室温（例えば、２１℃）などの比較的低温で反応させてよい。当業者は、アミノ官能基と反応可能な特定の二官能性有機化合物好適な反応条件を理解しているであろう。
【０１５２】
また、上記製造プロセスは、Ｌａｎｇｅ（米国特許第７，５６３，８５６号）によっても一般的に記載されている。当業者は、Ｌａｎｇｅが開示する一般的プロセスが、本発明のオルガノポリシロキサンの製造のため、いかに本開発に再適用できるかについて理解するであろう。
【０１５３】
一実施形態では、溶媒を加えずに反応を行い、本発明のオルガノポリシロキサン製造のための実質的に溶媒を含まないプロセスをもたらす。
【０１５４】
別の実施形態では、反応を行った後に過剰のアミンが添加される。理論によって制限されることなく、過剰のアミンは、アミノ官能基と反応可能な任意の残留二官能性有機化合物の反応性基を消費すると考えられる。
【０１５５】
別の実施形態では、反応混合物はアミン含有分子と更に反応する。かかるアミンの非限定例として、アンモニア、メチルアミン、ジメチルアミン、トリメチルアミン又はトリエチルアミンが挙げられる。理論によって制限されることなく、この更なる反応は、未反応のアルキル（akyl）−ハライド官能基を保護すると考えられる。
【０１５６】
別の実施形態では、反応混合物は、オルガノポリシロキサンのアミン官能基と反応可能な一官能性有機種と更に反応する。かかる一官能性有機種の非限定例として、臭化メチル、ヨウ化メチル、及び臭化エチルが挙げられる。理論によって制限されることなく、この更なる反応は、末端アミン官能基を含む、オルガノポリシロキサンの任意の残留中性アミン基の四級化を促進すると考えられる。
【０１５７】
Ｖ．効果剤
有益剤は、ヘアケア、スキンケア、布地ケア、及び／又は審美的若しくは感覚的特性促進効果をもたらすものなど、疎水性化合物、油、油溶性又は分散性化合物、及び水不混和性化合物からなる群から選択することができる。
【０１５８】
本明細書に記載される組成物及び方法では、処理される基材（例えば、毛髪、皮膚、又は布地）に有益剤として、良い、つまり有益な効果を提供できる、非水溶性であるが油溶性／混和性／分散性の固体及び液体、並びに油性材料が挙げられる。典型的な有益剤として、次のもの、つまり、シリコーンオイル、樹脂、並びに、線状及び環状ポリジメチルシロキサン、アミノ変性された、アルキル、アリール、及びアルキルアリールシリコーンオイルなどのこれらの変性物；芳香剤、香料、並びに精油及び樹脂；有機日焼け止め活性物質、例えば、オクチルメトキシシンナメート；抗菌剤、例えば、２−ヒドロキシ−４，２，４−トリクロロジフェニルエーテル；エステル溶媒；例えば、ミリスチン酸イソプロピル；脂質及び脂質様物質、例えば、コレステロール；炭化水素、例えば、パラフィン、ペトロラタム、及び鉱油；魚及び植物油；疎水性植物抽出物；治療剤及びスキンケア剤；ワックス；並びに、疎水的に変性された表面を有する無機化合物を含む及び／又は油若しくは疎水性液体中に分散された顔料；並びにこれらの組み合わせを挙げることができるが、これらに限定されない。
【０１５９】
一実施形態では、疎水性有益剤は、本明細書に記載される組成物中に、消費者製品組成物の前記エマルションの０．１重量％〜２５重量％、又は０．１重量％〜２０重量％、又は０．１重量％〜１５、又は０．１重量％〜１０重量％、又は０．１重量％〜５重量％、又は０．１重量％〜１重量％、又は０．２５重量％〜２５重量％、又は０．５重量％〜２０重量％、又は１重量％〜１５重量％の量で含まれる。
【０１６０】
シリコーンコンディショニング剤
追加のコンディショニング剤、特に非カチオン性シリコーンを含むシリコーンが組成物に含まれてよい。コンディショニング剤は、特別なコンディショニング効果を毛髪及び／又は皮膚に与えるために用いられるいかなる物質も包含する。ヘアトリートメント組成物において、好適なコンディショニング剤は、光沢、柔軟性、適合性、静電気防止特性、濡れたときの扱い、損傷、扱い易さ、ボリューム、及び脂っぽさに関連する効果を１つ以上もたらすものである。本発明の組成物に有用なコンディショニング剤は、典型的には、乳化液体粒子を形成する非水溶性の水分散性不揮発性液体を含む。本組成物に用いるのに好適なコンディショニング剤は、一般にシリコーン（例えば、シリコーンオイル、カチオン性シリコーン、シリコーンガム、屈折率の高いシリコーン、及びシリコーン樹脂）、有機コンディショニングオイル（例えば、炭化水素油、ポリオレフィン、及び脂肪酸エステル）若しくはこれらの組み合わせとして特徴付けられるコンディショニング剤、又はさもなければ本明細書の水性界面活性剤マトリックス中に液状の分散した粒子を形成するコンディショニング剤である。これらのコンディショニング剤は、物理的及び化学的に組成物の必須成分と適合すべきであり、さもなければ過度に製品の安定性、審美性、又は性能を損なうべきではない。
【０１６１】
組成物中の追加のコンディショニング剤の濃度は、所望のコンディショニング効果を提供するのに十分でなくてはならず、また当業者には明白である。このような濃度は、コンディショニング剤、所望のコンディショニング性能、コンディショニング剤粒子の平均粒径、その他の構成成分の種類及び濃度、並びにその他の同様の要因により様々であり得る。
【０１６２】
本発明の組成物の追加のコンディショニング剤は、不溶性シリコーンコンディショニング剤であってよい。シリコーンコンディショニング剤粒子は、揮発性シリコーン、不揮発性シリコーン、又はこれらの組み合わせを含み得る。一態様では、不揮発性シリコーンコンディショニング剤が採用される。揮発性シリコーンが存在する場合、典型的にはシリコーンゴムや樹脂のような、市販の形態の不揮発性シリコーン物質成分のための溶媒又はキャリアとしてのそれらの使用に付随する。シリコーンコンディショニング剤粒子は、シリコーン流体コンディショニング剤を含んでもよく、またシリコーン流体の付着効率を改善するか又は毛髪の光沢度を高めるための他の成分（シリコーン樹脂など）を更に含んでもよい。
【０１６３】
シリコーンコンディショニング剤の濃度は、典型的には、０．０１％〜１０％、０．１％〜８％、０．１％〜５％、又は更に０．２％〜３％の範囲である。適したシリコーンコンディショニング剤及びシリコーンのための任意の懸濁剤の非限定例は、米国再発行特許第３４，５８４号、米国特許第５，１０４，６４６号、及び米国特許第５，１０６，６０９号に記載されている。本発明の組成物に用いるシリコーンコンディショニング剤は、典型的には、２５℃で測定するとき、２×１０-5ｍ2／ｓ〜２ｍ2／ｓ（２０センチストークス〜２，０００，０００センチストークス（「ｃｓｔ」））、１×１０-3ｍ2／ｓ〜１．８ｍ2／ｓ（１，０００ｃｓｔ〜１，８００，０００ｃｓｔ）、５×１０-2ｍ2／ｓ〜１．５ｍ2／ｓ（５０，０００ｃｓｔ〜１，５００，０００ｃｓｔ）、又は更に０．１ｍ2／ｓ〜１．５ｍ2／ｓ（１００，０００ｃｓｔ〜１，５００，０００ｃｓｋ）の粘度を有する。
【０１６４】
分散したシリコーンコンディショニング剤粒子は、典型的には、０．０１μｍ〜５０μｍの範囲の数平均粒径を有する。毛髪に小粒子を適用するには、数平均粒子径は、典型的には、０．０１μｍ〜４μｍ、０．０１μｍ〜２μｍ、又は更に０．０１μｍ〜０．５μｍの範囲である。毛髪に大粒子を適用するには、数平均粒子径は、典型的には、４μｍ〜５０μｍ、６μｍ〜３０μｍ、９μｍ〜２０μｍ、又は更に１２μｍ〜１８μｍの範囲である。
【０１６５】
シリコーン流体としてはシリコーンオイルを挙げることができ、これらは２５℃で測定するとき、１ｍ2／ｓ（１，０００，０００ｃｓｔ）未満、５×１０-6ｍ2／ｓ〜１ｍ2／ｓ（５ｃｓｔ〜１，０００，０００ｃｓｔ）、又は更に１×１０-4ｍ2／ｓ〜０．６ｍ2／ｓ（１００ｃｓｔ〜６００，０００ｃｓｔ）の粘度を有する流動性のシリコーン物質である。本発明の組成物に用いるのに好適なシリコーンオイルには、ポリアルキルシロキサン、ポリアリールシロキサン、ポリアルキルアリールシロキサン、ポリエーテルシロキサンコポリマー、及びこれらの混合物が挙げられる。また毛髪コンディショニング特性を有する他の不溶性不揮発性シリコーン流体を使用してもよい。
【０１６６】
追加のシリコーンコンディショニング剤として、アミノシリコーンを挙げてよい。アミノシリコーンは、本明細書で提供されるように、少なくとも１つの第一級アミン、第二級アミン、第三級アミン、又は第四級アンモニウム基を含むシリコーンである。有用なアミノシリコーンは、アミノシリコーンの０．５重量％未満、０．２重量％未満、又は更に０．１重量％未満の窒素を有し得る。アミノシリコーン中の窒素（アミン官能基）の濃度が高くなるほど、摩擦低下が生じにくくなり、またその結果、アミノシリコーンからのコンディショニング効果が減少する傾向がある。いくつかの製品形態においては、本発明にしたがってより高い濃度の窒素も許容範囲であることを理解すべきである。
【０１６７】
一態様では、本発明において使用されるアミノシリコーンは、最終組成物に組み込まれた時点で、５０μ未満の粒径を有する。粒径測定は、最終組成物中の分散液滴を対象とする。粒径は、ＨｏｒｉｂａのＬＡ−９３０モデルレーザー散乱粒径分布分析器（Ｈｏｒｉｂａ  Ｉｎｓｔｒｕｍｅｎｔｓ，Ｉｎｃ．）を使用して、レーザー光線散乱技術により測定することができる。
【０１６８】
一実施形態では、アミノシリコーンは、典型的には、１×１０-3ｍ2／ｓ〜１ｍ2／ｓ（１，０００ｃｓｔ（センチストークス）〜１，０００，０００ｃｓｔ）、１×１０-2〜０．７ｍ2／ｓ（１０，０００〜７００，０００ｃｓｔ）、５×１０-2ｍ2／ｓ〜０．５ｍ2／ｓ（５０，０００ｃｓｔ〜５００，０００ｃｓｔ）、又は更に０．１ｍ2／ｓ〜０．４ｍ2／ｓ（１００，０００ｃｓｔ〜４００，０００ｃｓｔ）の粘度を有する。本実施形態はまた、例えば以下のセクションＦ．（１）において記載する物質のような低粘度の流体を含んでもよい。本明細書に記載のアミノシリコーンの粘度は、２５℃で測定される。
【０１６９】
別の実施形態では、アミノシリコーンは、典型的には、１×１０-3ｍ2／ｓ〜０．１ｍ2／ｓ（１，０００ｃｓｔ〜１００，０００ｃｓｔ）、２×１０-3ｍ2／ｓ〜５×１０-2ｍ2／ｓ（２，０００ｃｓｔ〜５０，０００ｃｓｔ）、４×１０-3ｍ2／ｓ〜４×１０-2ｍ2／ｓ（４，０００ｃｓｔ〜４０，０００ｃｓｔ）、又は更に６×１０-3ｍ2／ｓ〜３×１０-2ｍ2／ｓ（６，０００ｃｓｔ〜３０，０００ｃｓｔ）の粘度を有する。
【０１７０】
アミノシリコーンは、典型的には、０．０５重量％〜２０重量％、０．１重量％〜１０重量％、及び又は更に０．３重量％〜５重量％の濃度で本発明の組成物中に含有される。
【０１７１】
本発明の組成物に用いるのに好適な他のシリコーン流体は、不溶性シリコーンゴム及び／又は樹脂である。シリコーンゴムは、２５℃で測定するとき、１ｍ2／ｓ（１，０００，０００ｃｓｋ）以上の粘度を有するポリオルガノシロキサン物質である。本発明の組成物に用いられるシリコーンゴムの具体的な非限定例としては、ポリジメチルシロキサン、（ポリジメチルシロキサン）（メチルビニルシロキサン）コポリマー、ポリ（ジメチルシロキサン）（ジフェニルシロキサン）（メチルビニルシロキサン）コポリマー、及びこれらの混合物が挙げられる。シリコーン樹脂は、高度に架橋したポリマーシロキサン系である。架橋は、シリコーン樹脂の製造中に三官能性及び四官能性シランを一官能性又は二官能性又はその両方のシランと共に組み込むことによって導入される。
【０１７２】
特にシリコーン物質及びシリコーン樹脂は、「ＭＤＴＱ」命名法として当業者に既知の省略命名法のシステムによって便利に同定することができる。このシステム下では、シリコーンは、シリコーンを構成する種々のシロキサンモノマー単位の存在によって記載される。つまり、記号Ｍは一官能性単位（ＣＨ3）3ＳｉＯ1/2を示し、Ｄは二官能性単位（ＣＨ3）2ＳｉＯを示し、Ｔは三官能性単位（ＣＨ3）ＳｉＯ3/2を示し、Ｑは四又は五官能性単位ＳｉＯ2を示す。単位記号のプライム符号（例えばＭ’、Ｄ’、Ｔ’、及びＱ’）は、メチル以外の置換基を表し、出てくる度に具体的に定義されなければならない。
【０１７３】
一態様において、本発明の組成物に用いるシリコーン樹脂としては、ＭＱ、ＭＴ、ＭＴＱ、ＭＤＴ及びＭＤＴＱ樹脂が挙げられるが、これらに限定されない。一態様において、メチルは、極めて好適なシリコーン置換基である。別の態様では、シリコーン樹脂は、典型的にはＭＱ樹脂であり、Ｍ：Ｑ比は、典型的には０．５：１．０〜１．５：１．０であり、シリコーン樹脂の平均分子量は、典型的には１０００〜１０，０００である。
【０１７４】
本発明の組成物に用いるのに好適なその他の不揮発性不溶性シリコーン流体コンディショニング剤は、屈折率が少なくとも１．４６、少なくとも１．４８、少なくとも１．５２、又は更に少なくとも１．５５である「高屈折率シリコーン」として既知のものである。ポリシロキサン流体の屈折率は、一般に１．７０未満、典型的には１．６０未満であろう。これと関連して、ポリシロキサン「流体」は、油、並びにゴム、及び環状シリコーンを含む。本発明の組成物に用いるのに適したシリコーン流体は、米国特許第２，８２６，５５１号、米国特許第３，９６４，５００号、及び米国特許第４，３６４，８３７号に開示されている。
【０１７５】
他の変性シリコーン又はシリコーンコポリマーも本明細書で有用である。これらの例としては、米国特許第６，６０７，７１７号及び同第６，４８２，９６９号に開示されているシリコーン系第四級アンモニウム化合物（ケナン第四級化合物（Kennan quats））；末端第四級シロキサン；米国特許第５，８０７，９５６号及び同第５，９８１，６８１号に開示されているシリコーンアミノポリアルキレンオキシドブロックコポリマー；米国特許第６，２０７，７８２号に開示されている親水性シリコーンエマルション；米国特許第７，４６５，４３９号に開示されている１つ以上の架橋した熊手又は櫛型シリコーンコポリマーセグメントから構成されるポリマーが挙げられる。本明細書において有用な更なる変性シリコーン又はシリコーンコポリマーは、米国特許出願公開第２００７／０２８６８３７（Ａ１）号及び同第２００５／００４８５４９（Ａ１）号に記載されている。
【０１７６】
本発明の代替実施形態において、上で述べられたシリコーン系第四級アンモニウム化合物は、米国特許第７，０４１，７６７号及び米国特許第７，２１７，７７７号並びに米国特許出願公開第２００７／００４１９２９（Ａ１）号に記載されているシリコーンポリマーと組み合わされてもよい。
【０１７７】
有機油
本発明の組成物は、コンディショニング剤として、単独で、又は（本明細書に記載の）シリコーンなどのその他のコンディショニング剤と組み合わせてのいずれかで、０．０５％〜３％、０．０８％〜１．５％、又は更に０．１％〜１％の少なくとも１つの有機コンディショニング油も含んでもよい。好適なコンディショニング油には、炭化水素油、ポリオレフィン及び脂肪酸エステルが挙げられる。好適な炭化水素油には、ポリマー及びそれらの混合物を含む、環状炭化水素、直鎖脂肪族炭化水素（飽和又は不飽和）、及び分枝鎖脂肪族炭化水素（飽和又は不飽和）などの少なくとも１０個の炭素原子を有する炭化水素油が挙げられるが、これらに限定されない。直鎖炭化水素油は、典型的にはＣ12〜Ｃ19である。分枝鎖炭化水素油（炭化水素ポリマーを包含する）は典型的には１９個より多い炭素原子を含有する。好適なポリオレフィンには、液体ポリオレフィン、液体ポリ−α−オレフィン、又は更には水素化液体ポリ−α−オレフィンが含まれる。本明細書に用いるポリオレフィンは、Ｃ4〜Ｃ14又は更にＣ6〜Ｃ12の重合によって調製できる。好適な脂肪酸エステルには、少なくとも１０個の炭素原子を有する脂肪酸エステルが挙げられるが、これに限定されない。これらの脂肪酸エステルとしては、脂肪酸又はアルコールに由来するヒドロカルビル鎖とのエステル（例えばモノエステル、多価アルコールエステル、及びジ−及びトリ−カルボン酸エステル）が挙げられる。この脂肪酸エステルのヒドロカルビル基は、アミド及びアルコキシ部分（例えばエトキシ又はエーテル結合等）のようなその他の適合性のある官能基を包含するか又はそこへ共有結合してもよい。
【０１７８】
他のコンディショニング剤
Ｐｒｏｃｔｅｒ  ＆  Ｇａｍｂｌｅ  Ｃｏｍｐａｎｙの米国特許第５，６７４，４７８号及び同第５，７５０，１２２号に記載のコンディショニング剤も、本明細書の組成物への使用に好適である。同様に本明細書で使用するのに好適であるのは、米国特許第４，５２９，５８６号、同第４，５０７，２８０号、同第４，６６３，１５８号、同第４，１９７，８６５号、同第４，２１７、９１４号、同第４，３８１，９１９号、及び同第４，４２２、８５３号に記載されているコンディショニング剤である。
【０１７９】
脂肪族アルコール、酸及び／又はエステル
本発明の組成物は、１つ以上の脂肪族アルコール、酸及びエステルを含んでよい。本発明の組成物は、組成物の０．０５重量％〜１４重量％、好ましくは０．５重量％〜１０重量％、及びより好ましくは１重量％〜８重量％の量の脂肪族アルコール、酸及び／又はエステルを含んでよい。
【０１８０】
本発明で使用するのに好適な脂肪族アルコール、酸及び／又はエステルとして、１８〜７０個の炭素原子、一実施形態では１８〜６０個の炭素原子、別の実施形態では１８〜５０個の炭素原子、更に別の実施形態では１８〜４０個の炭素原子、更に別の実施形態では１８〜２２個の炭素原子を有するものが挙げられる。これらの脂肪族アルコール、酸及び／又はエステルは、直鎖又は分枝鎖アルコールであってよく、飽和又は不飽和であってよい。
【０１８１】
好適な脂肪族アルコールの非限定例として、ステアリルアルコール、アラキジルアルコール、ベヘニルアルコール、Ｃ２１脂肪族アルコール（１−ヘンイコサノール）、Ｃ２３脂肪族アルコール（１−トリコサノール）、Ｃ２４脂肪族アルコール（リグノセリルアルコール、１−テトラコサノール）、Ｃ２６脂肪族アルコール（１−ヘキサコサノール）、Ｃ２８脂肪族アルコール（１−オクタコサノール）、Ｃ３０脂肪族アルコール（１−トリアコンタノール）、Ｃ２０〜４０アルコール（例えば、Ｎｅｗ  Ｐｈａｓｅ  Ｔｅｃｈｎｏｌｏｇｉｅｓから入手可能なＰｅｒｆｏｒｍａｃｏｌ  ３５０及び４２５アルコール）、Ｃ３０〜５０アルコール（例えば、Ｐｅｒｆｏｒｍａｃｏｌ  ５５０アルコール）、Ｃ４０〜６０アルコール（例えば、Ｐｅｒｆｏｒｍａｃｏｌ  ７００アルコール）、及びこれらの混合物が挙げられる。
【０１８２】
１８〜７０個の炭素原子を有する１つ以上の脂肪族アルコールを含む異なる脂肪族アルコールの混合物は、ある程度の量の１種以上の脂肪族アルコールも含んでよく、又は、１８個未満の炭素原子、又は７０個超の炭素原子を有する他の脂肪族両親媒性物質も依然として本発明の範囲内であると考えられるが、ただし、得られる分散ゲルネットワーク相が、少なくとも３８℃の融解転移温度を有する場合に限る。本発明における使用に好適なかかる脂肪族アルコールは、天然若しくは植物起源であってよく、又は合成起源であってよい。
【０１８３】
フケ防止活性物質
本発明の組成物はまた、抗ふけ剤を含有してもよい。好適な、抗ふけ有効成分の非限定的な例としては、抗菌性有効成分、ピリジンチオン塩、アゾール、硫化セレン、微粒子イオウ、角質溶解性酸、サリチル酸、オクトピロックス（ピロクトンオラミン）、コールタール、及びこれらの組み合わせが挙げられる。一態様において、抗ふけ活性物質は、典型的にはピリジンチオン塩である。このようなフケ防止微粒子は組成物の必須成分と物理的及び化学的に適合する必要があり、さもなければ製品の安定性、審美性又は性能を過度に損なってはならない。
【０１８４】
ピリジンチオンのフケ防止剤は、例えば、米国特許第２，８０９，９７１号；米国特許第３，２３６，７３３号；米国特許第３，７５３，１９６号；米国特許第３，７６１，４１８号；及び米国特許第４，３４５，０８０号；米国特許第４，３２３，６８３号；米国特許第４，３７９，７５３号；及び米国特許第４，４７０，９８２号に記載されている。ＺＰＴを本明細書の組成物でフケ防止微粒子として使用すると、毛髪の成長又は再生の刺激若しくは調節又はその両方が行われるか、又は脱毛が低減若しくは阻害されるか、又は毛髪がより濃く若しくは豊かに見える可能性があると想到される。
【０１８５】
保湿剤
本発明の組成物は、保湿剤を含有してもよい。本明細書における保湿剤は、多価アルコール、水溶性アルコキシル化非イオン性ポリマー、及びこれらの混合物からなる群より選択される。保湿剤は、本明細書で使用するとき、典型的には０．１％〜２０％、又は更に０．５％〜５％の濃度で使用される。
【０１８６】
スキンケア活性物質
組成物は、哺乳類の皮膚の状態及び／又は外観を調節及び／又は改善するのに有用な、少なくとも１つのスキンケア有効成分を含み得る。スキンケア有効成分は、油又は水中で可溶性であり得、主に油相中及び／又は水相中に存在し得る。好適な活性物質としては、ビタミン、ペプチド、糖アミン、日焼け防止剤、オイルコントロール剤、日焼け活性物質、抗ニキビ活性物質、落屑活性物質、抗セルライト活性物質、キレート剤、美白剤、フラボノイド、タンパク質分解酵素抑制剤、非ビタミン酸化防止剤及び基スカベンジャー、育毛調整剤、しわ防止活性物質、抗皮膚萎縮防止活性物質、鉱物、フィトステロール及び／又は植物ホルモン、チロシナーゼ抑制剤、抗炎症剤、Ｎ−アシルアミノ酸化合物、抗菌剤、並びに抗カビ剤が挙げられるが、これらに限定されない。
【０１８７】
組成物は、０．００１％〜１０％、あるいは、０．０１％〜５％の少なくとも１種のビタミンを含んでよい。本明細書で、「ビタミン」とは、ビタミン、プロビタミン、並びにそれらの塩、異性体及び誘導体を意味する。好適なビタミンの非限定例として、ビタミンＢ化合物（Ｂ１化合物、Ｂ２化合物、Ｂ３化合物、例えばナイアシンアミド、ナイアシンニコチン酸、トコフェリルニコチネート、Ｃ1〜Ｃ18ニコチン酸エステル、及びニコチニルアルコール；Ｂ５化合物、例えばパンテノールつまり「プロＢ５」、パントテン酸、パントテニル；Ｂ６化合物、例えばピロキシジン、ピリドキサル、ピリドキサミン；カルニチン、チアミン、リボフラビンを含む）；ビタミンＡ化合物、並びにビタミンＡのすべての天然及び／又は合成類似体、例えば、レチノイド、レチノール、レチニルアセテート、レチニルパルミテート、レチノイン酸、レチナールデヒド、レチニルプロピオネート、カロチノイド（プロビタミンＡ）、及びビタミンＡの生物活性を持つ他の化合物；ビタミンＤ化合物；ビタミンＫ化合物；ビタミンＥ化合物、つまりトコフェロール、例えばソルビン酸トコフェロール、酢酸トコフェロール、その他トコフェロール及びトコフェリル化合物のエステル；ビタミンＣ化合物、例えばアスコルビン酸、脂肪酸のアスコルビルエステル、及びアスコルビン酸誘導体、例えば、アスコルビン酸リン酸マグネシウム及びアスコルビン酸リン酸ナトリウムなどのリン酸アスコルビル、アスコルビルグルコシド、並びにアスコルビン酸ソルベート；並びに、ビタミンＦ化合物、例えば飽和及び／又は不飽和脂肪酸が挙げられる。一実施形態において、本組成物は、ビタミンＢ化合物、ビタミンＣ化合物、ビタミンＥ化合物及びこれらの混合物からなる群から選択されるビタミンを含み得る。あるいは、ビタミンは、ナイアシンアミド、トコフェリルニコチネート、ピロキシジン、パンテノール、ビタミンＥ、ビタミンＥアセテート、リン酸アスコルビル、アスコルビルグルコシド、及びこれらの混合物からなる群から選択される。
【０１８８】
本組成物は１つ以上のペプチドを含んでもよい。本明細書で、「ペプチド」とは、１０個以下のアミノ酸を含有するペプチド類、その誘導体類、異性体類、及び金属イオン類（例えば、銅、亜鉛、マンガン及びマグネシウム）のような他の種との錯体を指す。本明細書で使用するとき、ペプチドとは、天然起源ペプチド及び合成ペプチドの両方を指す。一実施形態では、ペプチドは、ジ−、トリ−、テトラ−、ペンタ−、及びヘキサ−ペプチド、それらの塩類、異性体、誘導体、並びにそれらの混合物である。有用なペプチド誘導体の例としては、大豆タンパク質由来のペプチド、カルノシン（β−アラニン−ヒスチジン）、パルミトイル−リジン−トレオニン（ｐａｌ−ＫＴ）及びパルミトイル−リジン−トレオニン−トレオニン−リジン−セリン（ｐａｌ−ＫＴＴＫＳ、ＭＡＴＲＩＸＹＬ（登録商標）として知られている組成物内で入手可能）、パルミトイル−グリシン−グルタミン−プロリン−アルギニン（ｐａｌ−ＧＱＰＲ、ＲＩＧＩＮ（登録商標）として知られている組成物内で入手可能）、これら３つはＳｅｄｅｒｍａ（Ｆｒａｎｃｅ）から入手可能、アセチル−グルタメート−グルタメート−メチオニン−グルタミン−アルギニン−アルギニン（Ａｃ−ＥＥＭＱＲＲ；Ａｒｇｉｒｅｌｉｎｅ（登録商標））、並びにＣｕ−ヒスチジン−グリシン−グリシン（Ｃｕ−ＨＧＧ、ＩＡＭＩＮ（登録商標）としても知られている）が挙げられるが、これらに限定されない。組成物は、１×１０-7％〜２０％、あるいは、１×１０-6％〜１０％、あるいは、１×１０-5％〜５％のペプチドを含んでよい。
【０１８９】
本組成物は、アミノ糖としても知られる糖アミン、及びそれらの塩類、異性体、互変異性体、及び誘導体を含んでもよい。糖アミンは、合成でも天然起源でもよく、純粋な化合物又は化合物の混合物（例えば、自然源からの抽出物、又は合成物質の混合物）として用いることができる。例えば、グルコサミンは、一般に多くの甲殻類の中に見出されており、真菌源由来であることもできる。糖アミンの例としては、グルコサミン、Ｎ−アセチルグルコサミン、マンノサミン、Ｎ−アセチルマンノサミン、ガラクトサミン、Ｎ−アセチルガラクトサミン、これらの異性体（例えば、立体異性体）、及びこれらの塩（例えば、ＨＣｌ塩）が挙げられる。スキンケア組成物において有用なその他の糖アミン化合物には、Ｙｕらに発行された米国特許第６，１５９，４８５号に記載のものが挙げられる。一実施形態では、組成物は、０．０１％〜１５％、あるいは０．１％〜１０％、あるいは０．５％〜５％の糖アミンを含んでよい。
【０１９０】
本組成物は、１つ以上の日焼け止め活性物質（日焼け止め剤）及び／又は紫外線吸収剤を含んでもよい。本明細書において、好適な日焼け止め活性物質には、油溶性日焼け防止剤、不溶性日焼け防止剤、及び水溶性日焼け防止剤が挙げられる。特定の実施形態では、組成物は、組成物の１重量％〜２０重量％、あるいは２重量％〜１０重量％の日焼け止め活性物質及び／又は紫外線吸収剤を含んでもよい。正確な量は、選択した日焼け止め活性物質及び／又は紫外線吸収剤並びに所望の太陽光線保護指数（ＳＰＦ）に応じて変化し、当業者の知識と判断の範囲内である。
【０１９１】
好適な油溶性日焼け止め剤の非限定的な例としては、ベンゾフェノン−３、ビス−エチルヘキシルオキシフェノールメトキシフェニルトリアジン、ブチルメトキシジベンゾイル−メタン、ジエチルアミノヒドロキシ−ベンゾイルヘキシルベンゾエート、ドロメトリゾールトリシロキサン、エチルヘキシルメトキシ−シンナメート、エチルヘキシルサリチレート、エチルヘキシルトリアゾン、オクトクリレン、ホモサレート、ポリシリコーン−１５、並びにこれらの誘導体及び混合物が挙げられる。
【０１９２】
好適な不溶性日焼け止め剤の非限定的な例としては、メチレンビス−ベンゾトリアゾリルテトラメチルブチル−フェノール、二酸化チタン、酸化亜鉛セリウム、酸化亜鉛、並びにこれらの誘導体及び混合物が挙げられる。
【０１９３】
好適な水溶性日焼け止め剤の非限定的な例としては、フェニルベンズイミダゾールスルホン酸（ＰＢＳＡ）、テレフタルイリデンジカンファースルホン酸、（Ｍｅｘｏｒｙｌ（商標）ＳＸ）、ベンゾフェノン−４、ベンゾフェノン−５、ベンジリデンカンファースルホン酸、シンナミドプロピル−トリモニウムクロリド、メトキシシンナミド−プロピルエチルジモニウムクロリドエーテル、ビスエチルフェニルトリアミノトリアジンスチルベンジスルホン酸二ナトリウム、ジスチリルビフェニルジスルホン酸二ナトリウム、フェニルジベンズイミダゾールテトラスルホン酸二ナトリウム、メトキシシンナミド−プロピルヒドロキシスルタイン、メトキシシンナミド−プロピルラウルジモニウムトシレート、ＰＥＧ−２５  ＰＡＢＡ（ｐ−アミノ安息香酸）、ポリクオタニウム−５９、ＴＥＡ−サリチレート、並びにこれらの塩、誘導体及び混合物が挙げられる。
【０１９４】
本組成物は、皮膚の油、即ち皮脂の生成を調整するため及び油性皮膚の外観を改善するために、１つ以上の化合物を含んでもよい。好適なオイルコントロール剤の例としては、サリチル酸、デヒドロ酢酸、過酸化ベンゾイル、ビタミンＢ３化合物（例えば、ナイアシンアミド又はトコフェリルニコチネート）、それらの異性体、エステル、塩、並びにこれらの誘導体及び混合物が挙げられる。組成物は、０．０００１％〜１５％、あるいは０．０１％〜１０％、あるいは０．１％〜５％、あるいは０．２％〜２％のオイルコントロール剤を含んでよい。
【０１９５】
本組成物は日焼け活性物質を含んでもよい。組成物は、組成物の０．１重量％〜２０重量％、２重量％〜７重量％、又はあるいは３重量％〜６重量％の日焼け活性物質を含んでよい。好適な日焼け活性物質としてはジヒドロキシアセトンが挙げられ、これはＤＨＡ又は１，３−ジヒドロキシ−２−プロパノンとしても知られている。
【０１９６】
本組成物は、安全で有効な量の１つ以上の抗ニキビ活性物質を含んでもよい。有用な抗ニキビ活性物質の例としては、レゾルシノール、イオウ、サリチル酸、エリスロマイシン、亜鉛、及び過酸化ベンゾイルが挙げられる。好適な抗ニキビ活性物質は、米国特許第５，６０７，９８０号に更に詳細に記載されている。本組成物は、組成物の例えば０．０１重量％〜１０重量％、０．５重量％〜５重量％、あるいは０．１重量％〜２重量％の、安全かつ有効な量の落屑活性物質を含んでもよい。例えば、落屑活性物質は、皮膚の質感（例えば、滑らかさ）を改善する傾向がある。好適な落屑系は、スルフヒドリル化合物及び双性イオン性界面活性剤を含んでもよく、米国特許第５，６８１，８５２号に記載されている。別の好適な落屑系は、サリチル酸及び双性イオン性界面活性剤を含んでもよく、米国特許第５，６５２，２２８号に記載されている。
【０１９７】
本組成物は、安全で有効な量の抗セルライト剤を含んでもよい。好適な剤としては、キサンチン化合物（例えば、カフェイン、テオフィリン、テオブロミン、及びアミノフィリン）を挙げることができるが、これらに限定されない。
【０１９８】
スキンケア組成物は、組成物の例えば０．１％〜１０％又は１％〜５％の、安全かつ有効な量のキレート化剤を含んでもよい。例示的なキレート化剤は、米国特許第５，４８７，８８４号に開示されている。好適なキレート化剤は、フリルジオキシム及び誘導体である。
【０１９９】
本組成物は皮膚美白剤を含んでもよい。組成物は、組成物の０．１重量％〜１０重量％、０．２重量％〜５重量％、あるいは０．５重量％〜２重量％の皮膚美白剤を含んでよい。好適な皮膚美白剤としては、コウジ酸、アルブチン、トラネキサム酸、アスコルビン酸及び誘導体（例えば、マグネシウムアスコルビルホスフェー若しくはナトリウムアスコルビルホスフェート又はアスコルビルホスフェートのその他の塩類）、アスコルビルグルコシド等が挙げられる。その他の好適な皮膚美白物質としては、ウンデシレノイルフェニルアラニン（ＳＥＰＰＩＣからのＳｅｐｉｗｈｉｔｅ（登録商標））、アロエシン、Ａｃｔｉｗｈｉｔｅ（登録商標）（Ｃｏｇｎｉｓ）、及びＥｍｂｌｉｃａ（登録商標）（Ｒｏｎａ）が挙げられる。
【０２００】
本組成物はフラボノイドを含んでもよい。フラボノイドは合成物質であってもよいし、又は更に誘導体化することもできる自然源からの抽出物として得ることができる。好適なフラボノイドの種類の例は、米国特許第６，２３５，７７３号に開示されている。
【０２０１】
本組成物は、例えば、ヘキサミジン化合物（hexaminide compound）、バニリンアセテート、メンチルアントラニレート、ダイズトリプシン阻害因子、ボーマン−バーク阻害剤、及びこれらの混合物が挙げられるがこれらに限定されないプロテアーゼ阻害剤を含んでもよい。スキンケア組成物は、ヘキサミジン化合物、その塩、及び誘導体を含み得る。本明細書で使用する場合、「ヘキサミジン化合物」とは、次式を有する化合物を意味する：
【０２０２】
【化１７】
2015501335.tif 000019
式中、Ｒ1及びＲ2は任意であるか、又は有機酸（例えば、スルホン酸など）である。特に好適なヘキサミジン化合物は、ヘキサミジンジイセチオネートである。
【０２０３】
本組成物は、非ビタミン酸化防止剤及び基スカベンジャー、育毛調整剤、しわ防止活性物質、抗皮膚萎縮防止活性物質、鉱物、フィトステロール及び／又は植物ホルモン、チロシナーゼ抑制剤、抗炎症剤、Ｎ−アシルアミノ酸化合物、抗菌活性物質又は抗真菌活性物質、並びに他の有用なスキンケア活性物質等の、その他の任意成分を含んでよく、これらは、米国特許公開第２００６／０２７５２３７（Ａ１）号及び同第２００４／０１７５３４７（Ａ１）号に更に詳細に記載されている。
【０２０４】
布地柔軟化活性化合物
本発明の布地又はホームケア組成物は、布地柔軟化活性物質を含んでよい。かかる布地柔軟化活性物質は、主要な活性物質として、次式：
｛Ｒ4-m−Ｎ+−［Ｘ−Ｙ−Ｒ1］m｝Ｘ-
式中、各Ｒ、水素、短鎖Ｃ1〜Ｃ6のいずれか、一態様では、Ｃ1〜Ｃ3アルキル又はヒドロキシアルキル基、例えば、メチル、エチル、プロピル、ヒドロキシエチルなど、ポリ（Ｃ2〜3アルコキシ）、ポリエトキシ、ベンジル、又はこれらの混合物を含んでよく、各Ｘは、独立して、（ＣＨ2）ｎ、ＣＨ2−ＣＨ（ＣＨ3）−又はＣＨ−（ＣＨ3）−ＣＨ2−であってよく、各Ｙは、−Ｏ−（Ｏ）Ｃ−、−Ｃ（Ｏ）−Ｏ−、−ＮＲ−Ｃ（Ｏ）−、又は−Ｃ（Ｏ）−ＮＲ−を含んでよく、各ｍは２又は３であってよく、各ｎは１〜４、一態様では２であってよく、各Ｒ1における炭素の合計が（ただし、Ｙが−Ｏ−（Ｏ）Ｃ−又は−ＮＲ−Ｃ（Ｏ）−である場合はプラス１）、Ｃ12〜Ｃ22、又はＣ14〜Ｃ20であってよく、各Ｒ1における炭素の合計が（ただし、Ｙが−Ｏ−（Ｏ）Ｃ−又は−ＮＲ−Ｃ（Ｏ）−である場合はプラス１）、Ｃ12〜Ｃ22、又はＣ14〜Ｃ20であってよく、各Ｒ1は、ヒドロカルビル又は置換ヒドロカルビル基であり、Ｘ-は、任意の柔軟剤に相溶性のあるアニオンを含んでよい。一態様では、柔軟剤に相溶性のあるアニオンは、塩化物、臭化物、硫酸メチル、硫酸エチル、硫酸及び硝酸を含み得る。別の態様では、柔軟剤に相溶性のあるアニオンは、塩化物又は硫酸メチルを含み得る。
【０２０５】
別の態様では、布地柔軟化活性物質は、次の一般式：
［Ｒ3Ｎ＋ＣＨ2ＣＨ（ＹＲ1）（ＣＨ2ＹＲ1）］Ｘ-
を有し得、式中、各Ｙ、Ｒ、Ｒ1、及びＸ-は、直前に布地柔軟化活性物質について特定したものと同じ意味を有する。このような化合物には、次式：
［ＣＨ3］3Ｎ(+)［ＣＨ2ＣＨ（ＣＨ2Ｏ（Ｏ）ＣＲ1）Ｏ（Ｏ）ＣＲ1］Ｃ１(-)
を有するものが挙げられ、式中、各Ｒは、メチル又はエチル基を含み得る。一態様では、各Ｒ1は、Ｃ15〜Ｃ19基を含んでもよい。本明細書で使用するとき、ジエステルが明記される場合、それは存在するモノエステルを包含することができる。
【０２０６】
これらの種類の作用剤及びこれらの一般的な製造方法は、米国特許第４，１３７，１８０号に開示されている。好適な「プロピル」エステル第四級アンモニウム布地柔軟剤活性物質の例は、式１，２−ジ（アシルオキシ）−３−トリメチルアンモニオプロパンクロリドを有する。
【０２０７】
一態様では、布地柔軟化活性物質は、次の一般式：
［Ｒ4-m−Ｎ+−Ｒ1m］Ｘ-
を有し得、式中、各Ｒ、Ｒ1、ｍ及びＸ-は、先に布地柔軟化活性物質について特定したものと同じ意味を有する。
【０２０８】
更なる態様では、布地柔軟化活性物質は、次の式：
【０２０９】
【化１８】
2015501335.tif 000020
を含み得、式中、各Ｒ及びＲ1は、上記布地柔軟化活性物質に対する定義を有し、Ｒ2は、Ｃ1〜6アルキレン基、一態様ではエチレン基を含んでよく、Ｇは、酸素原子又は−ＮＲ−基を含んでよく、Ａ-は以下に定義されるとおりである。
【０２１０】
更なる態様では、布地柔軟化活性物質は、次の式：
【０２１１】
【化１９】
2015501335.tif 000021
を含み得、式中、Ｒ1、Ｒ2及びＧは上記のように定義される。
【０２１２】
更なる態様では、布地柔軟化活性物質は、脂肪酸とジアルキレントリアミンとの例えば分子量比２：１の縮合反応生成物を含んでよい。
【０２１３】
かかる布地柔軟化活性物質の非限定例として、Ｎ，Ｎ−ビス（ステアロイル−オキシ−エチル）Ｎ，Ｎ−ジメチルアンモニウムクロリド、Ｎ，Ｎ−ビス（タローイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウム硫酸メチルが挙げられる。
【０２１４】
上記に開示されている柔軟剤活性物質の組み合わせが、本明細書で使用するのに好適であることが理解されよう。
【０２１５】
本明細書の任意のカチオン性布地柔軟剤活性物質はアニオンなどの対イオンを更に含み、電気的中性をもたらすことが、当業者に理解され得る。ほとんどの場合、これらの塩において電気的中性をもたらすために使用されるアニオンは、強酸由来のものであり、特に、塩化物、臭化物、又はヨウ化物のようなハロゲン化物由来のものである。しかし、硫酸メチル、硫酸エチル、酢酸、ギ酸、硫酸、炭酸等の他のアニオンを使用してもよい。一態様では、アニオンは、塩化物又は硫酸メチルを含んでもよい。いくつかの態様では、アニオンは、二重又は複数の電荷を持ってよい。
【０２１６】
一態様では、布地ケア及び／又はトリートメント組成物は、ポリグリセロールエステル（ＰＧＥ）、油系糖誘導体、及びワックスエマルションからなる群から選択される第２の柔軟化剤を含んでもよい。好適なＰＧＥとしては、米国特許第６１／０８９，０８０号に開示されているものが挙げられる。好適な油系糖誘導体及びワックスエマルションとしては、米国特許出願公開第２００８−０２３４１６５（Ａ１）公報に開示されているものが挙げられる。
【０２１７】
一態様では、本組成物は、０．００１％〜０．０１％の不飽和アルデヒドを含んでもよい。一態様では、本組成物は、不飽和アルデヒドを本質的に含まない。理論により束縛されるものではないが、本組成物は、アミノ含有作用剤について多くの場合発生する黄変効果が生じにくい。
【０２１８】
香料
任意の香料成分は、香油、香油の混合物、香料マイクロカプセル、圧力活性化香料マイクロカプセル、水分活性化香料マイクロカプセル、及びこれらの混合物からなる群から選択される構成成分を含んでよい。かかる香料マイクロカプセル組成物は、０．０５％〜５％、又は０．１％〜１％の封入物質を含んでよい。次に、香料コアは、香料及び所望により希釈剤を含んでもよい。
【０２１９】
圧力活性化香料マイクロカプセルは通常、コア材料が香油又は香油の混合物を更に含む、コアシェル構造を含む。コアを取り囲んでマイクロカプセルを形成するシェル材料は、任意の好適なポリマー材料であることができ、それは、コア（一般に、液体コア）内の材料及びシェルの外側基材と接触する場合がある材料に対して不透過性又は実質的に不透過性である。一態様では、マイクロカプセルのシェルを作る材料は、ホルムアルデヒドを含んでもよい。メラミン−ホルムアルデヒド樹脂又は尿素−ホルムアルデヒド樹脂などのホルムアルデヒド系樹脂は、それらの広範囲の利用可能性及び合理的コスト故に、香料封入にとって特に魅力的である。
【０２２０】
水分活性化香料マイクロカプセルは、香料キャリアと、カプセル化香料組成物と、を含み、前記香料キャリアは、シクロデキストリン、デンプンマイクロカプセル、多孔質キャリアマイクロカプセル、及びこれらの混合物からなる群から選択でき、前記カプセル化香料組成物は、低揮発性香料成分、高揮発性香料成分、及びこれらの混合物を含んでよい。
（１）プロ香料；
（２）低嗅覚閾値香料成分、前記低嗅覚閾値香料成分は、正味の総香料組成物の２５重量％未満を占めてもよい；
（３）これらの混合物。
【０２２１】
開示される多重使用布地コンディショニング組成物において有用であり得る好適な水分活性化香料担体は、シクロデキストリンを含み得る。本明細書で使用するとき、用語「シクロデキストリン」は、６〜１２個のグルコース単位を含有する非置換シクロデキストリン、特に、β−シクロデキストリン、γ−シクロデキストリン、α−シクロデキストリン、及び／若しくはこれらの誘導体、並びに／又はこれらの混合物などの既知のシクロデキストリンのいずれかを含む。好適なシクロデキストリンのより詳細な説明は、米国特許第５，７１４，１３７号に提供されている。本明細書において好適なシクロデキストリンとしては、β−シクロデキストリン、γ−シクロデキストリン、α−シクロデキストリン、置換β−シクロデキストリン、及びこれらの混合物が挙げられる。一態様において、シクロデキストリンは、β−シクロデキストリンを含んでもよい。香料分子は、シクロデキストリン分子の空洞中に封入されて、一般にシクロデキストリン／香料錯体と呼ばれる分子マイクロカプセルを形成する。シクロデキストリン／香料錯体中の香料充填量は、シクロデキストリン／香料錯体の３重量％〜２０重量％、又は５重量％〜１８重量％、又は７重量％〜１６重量％を含んでよい。
【０２２２】
シクロデキストリン／香料錯体は、カプセル化香料分子をしっかりと保持し、それにより香料拡散及び／又は香料損失を防止して、多重使用布地コンディショニング組成物の臭気強度を低減することができる。しかしながら、シクロデキストリン／香料錯体は、水分の存在下ではいくらかの香料分子を容易に放出することができるので、長く続く香料効果を提供することができる。調製法の非限定的な例は、米国特許第５，５５２，３７８号及び同第５，３４８，６６７号に提供されている。
【０２２３】
移染防止剤
本組成物はまた、組成物の０．０００１重量％、０．０１重量％、０．０５重量％〜１０重量％、２重量％、又は更に１重量％の１種以上の移染防止剤、例えばポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物を含んでもよい。
【０２２４】
増白剤
組成物は更に、増白剤（「蛍光増白剤」とも呼ばれる）を含んでもよく、紫外線を吸収し「青色」の可視光として再放出する化合物が含まれる、蛍光を呈する任意の化合物を含み得る。有用な増白剤の非限定例としては、スチルベンの誘導体又は４，４’−ジアミノスチルベン、ビフェニル、５員複素環（例えば、トリアゾール、ピラゾリン、オキサゾール、イミダゾールなど）、又は６員複素環（クマリン、ナフタルアミド、ｓ−トリアジンなど）が挙げられる。カチオン性、アニオン性、非イオン性、両性及び双極イオン性増白剤が使用できる。好適な増白剤としては、商標名Ｔｉｎｏｐａｌ−ＵＮＰＡ−ＧＸ（登録商標）でＣｉｂａ  Ｓｐｅｃｉａｌｔｙ  Ｃｈｅｍｉｃａｌｓ  Ｃｏｒｐｏｒａｔｉｏｎ（Ｈｉｇｈ  Ｐｏｉｎｔ，ＮＣ）により市販されているものが挙げられる。
【０２２５】
漂白剤系
本明細書に用いるのに好適な漂白剤系は、１種以上の漂白剤を含有する。好適な漂白剤の非限定的な例としては、触媒金属錯体、活性化過酸素供給源、漂白活性化剤、漂白促進剤、光漂白剤（photobleaches）漂白酵素、フリー基反応開始剤、Ｈ2Ｏ2、次亜ハロゲン酸塩漂白剤、過酸素供給源（過ホウ酸塩及び／又は過炭酸塩が挙げられる）及びこれらの組み合わせが挙げられる。好適な漂白活性化剤としては、テトラアセチルエチレンジアミン、オクタノイルカプロラクタム、ベンゾイルオキシベンゼンスルホネート、ノナノイルオキシベンゼンスルホネート、ベンゾイルバレロラクタム、ドデカノイルオキシベンゼンスルホネートなどの、過加水分解性エステル及び過加水分解性イミドが挙げられる。好適な漂白増進剤としては、米国特許第５，８１７，６１４号に記載のものが挙げられる。その他の漂白剤としては、定義された安定度定数の遷移金属と配位子との金属錯体が挙げられる。このような触媒は、米国特許第４，４３０，２４３号、同第５，５７６，２８２号、同第５，５９７，９３６号及び同第５，５９５，９６７号に記載されている。
【０２２６】
ＶＩ．任意の補助剤
組成物は更に、特定の製品形態に所望される１つ以上の補助剤材料を含んでよい。本発明の目的のために以下に例示される補助剤の非限定的な一覧は、本発明の組成物での使用に好適であり、例えば、性能を補助若しくは向上させるために、洗浄される基材の処理のために、又は香料、着色剤、染料などを用いる場合のように組成物の審美性を変化させるために、望ましくは本発明の特定の実施形態に組み込むことができる。このような補助剤は、本出願人らの香料及び／又は香料系を介して供給される構成成分に追加されると理解される。このような追加成分の正確な性質、及びそれを組み込む濃度は、組成物の物理的形態及び使用されるべき作業の性質に依存する。好適な補助剤物質としては、界面活性剤、ビルダー、キレート化剤、移染抑制剤、分散剤、酵素、及び酵素安定剤、触媒物質、漂白活性化剤、ポリマー系分散剤、粘土及び汚れ除去／再付着防止剤、増白剤、泡抑制剤、染料、追加の香料及び香料送達系、構造弾性化剤、柔軟剤、キャリア、ヒドロトロープ、加工助剤、及び／又は色素が挙げられるが、これらに限定されない。下記開示に加えて、このような他の補助の好適な例、及び使用濃度は、米国特許第５，５７６，２８２号、同第６，３０６，８１２（Ｂ１）号及び同第６，３２６，３４８（Ｂ１）号に見られ、これらは参照により組み込まれる。
【０２２７】
注目すべきは、上で説明した有益剤及び本明細書で示す補助剤は、多くの場合、任意の補助剤及び有益剤の両方として機能することである。更に、所望の最終用途の効果に応じて、有益剤は任意の補助剤の代わりにその機能を果たすことができ、また逆も同じである。したがって、一方に挙げられたものは他方から排除されず、むしろ重複する。
【０２２８】
以下に挙げる材料は、本発明の種々消費者製品組成物の配合に用いるのに好適な代表的な様々な成分であるが、限定的又は網羅的であることを意図するものではない。
【０２２９】
親水性溶媒
使用に好適な親水性溶媒として、水及び親水性有機液体、並びにこれらの混合物が挙げられる。親水性有機液体の非限定例として、グリセロール、エタノール、イソプロパノール、プロピレングリコール、ブチレングリコール、ヘキシレングリコール、ポリエチレングリコール、及びこれらの混合物が挙げられる。一実施形態では、親水性溶媒は、水、アルコール、グリコール、グリセリン、及びこれらの組み合わせからなる群から選択される。
【０２３０】
一実施形態では、親水性溶媒の濃度は、消費者製品組成物の０．１重量％〜９５重量％、又は１〜９０重量％、又は３〜９０重量％の範囲内であり得る。
【０２３１】
界面活性剤
本発明の組成物は、１種以上の界面活性剤を含み得る。界面活性剤構成成分は、本発明のパーソナルケア組成物に包含されて、洗浄性能を提供する。洗浄性界面活性剤は、アニオン性洗浄性界面活性剤、双性イオン性若しくは両性界面活性剤、又はこれらの組合せから選択されてよい。本明細書の組成物中で用いるのに好適な界面活性剤構成成分として、ヘアケア、布地ケア、表面ケア又は他のパーソナルケア及び／若しくはホームケア洗浄組成物に用いるために既知のものが挙げられる。
【０２３２】
好適な非イオン性界面活性剤として、アルキレンオキシド、通常はエチレンオキシド、通常は６〜３０個のエチレンオキシド基を有する脂肪族の一級又は二級、直鎖又は分枝鎖アルコール又はフェノールが挙げられるが、これらに限定されない。その他好適な非イオン性界面活性剤として、モノ−又はジ−アルキルアルカノールアミド、アルキルポリグルコシド、及びポリヒドロキシ脂肪酸アミドが挙げられる。
【０２３３】
好適なアニオン性界面活性剤の非限定例は、アルキルサルフェート、アルキルエーテルサルフェート、アルカリルスルホネート、アルキルスクシナート、アルキルスルホスクシナート、Ｎ−アルキル（alkoyl）サルコシネート、アルキルホスフェート、アルキルエーテルホスフェート、アルキルエーテルカルボキシレート、及びα−オレフィンスルホネートのナトリウム、アンモニウム、並びにモノ−、ジ−、及びトリ−エタノールアミン塩である。アルキル基は通常、８〜１８個の炭素原子を含有し、不飽和であってよい。アルキルエーテルサルフェート、アルキルエーテルホスフェート、及びアルキルエーテルカルボキシレートは、分子あたり１〜１０個のエチレンオキシド又はプロピレンオキシド単位を含有してよく、好ましくは、分子あたり２〜３個のエチレンオキシド単位を含有してよい。アニオン性界面活性剤の例として、ラウリル硫酸ナトリウム又はアンモニウム、及びラウリルエーテル硫酸ナトリウム又はアンモニウムが挙げられる。本発明で有用な好適なアニオン性界面活性剤は通常、組成物の５重量％〜５０重量％、好ましくは８重量％〜３０重量％、より好ましくは１０重量％〜２５重量％、更により好ましくは１２重量％〜２２重量％の範囲で用いられる。
【０２３４】
好適なカチオン性界面活性剤の非限定例として、好ましくは四級アミン基である少なくとも１つのアミン基及び、好ましくは長鎖炭化水素基である少なくとも１つの炭化水素基を含有する水溶性又は水分散性又は非水溶性化合物が挙げられる。炭化水素基は、ヒドロキシル化及び／又はアルコキシル化されてよく、エステル及び／又はアミド及び／又は芳香族基を含んでよい。炭化水素基は、完全に飽和されてよく、又は不飽和であってよい。
【０２３５】
一実施形態では、界面活性剤の濃度は、消費者製品組成物の０．５重量％〜９５重量％、又は２重量％〜９０重量％、又は３重量％〜９０重量％の範囲であってよい。
【０２３６】
本明細書の組成物に用いるのに好適な双性イオン性又は両性界面活性剤としては、ヘアケア又は他のパーソナルクレンジング組成物での使用が既知の界面活性剤が挙げられる。かかる両性界面活性剤の濃度は、好ましくは０．５％〜２０％、好ましくは１％〜１０％の範囲である。好適な双性イオン性又は両性界面活性剤の非限定例は、米国特許第５，１０４，６４６号及び同第５，１０６，６０９号（共にＢｏｌｉｃｈ，Ｊｒ．ら）に記載されている。
【０２３７】
本発明で用いるのに好適な両性界面活性剤として、アルキル及びアシル基が８〜１８個の炭素原子を有する、アルキルアミンオキシド、アルキルベタイン、アルキルアミドプロピルベタイン、アルキルスルホベタイン、アルキルグリシネート、アルキルカルボキシグリシネート、アルキルアンホプロピオネート、アルキルアミドプロピルヒドロキシスルタイン、アシルタウレート、及びアシルグルタメートを挙げてよい。
【０２３８】
本組成物に用いるのに好適なその他のアニオン性、双極イオン性、両性、カチオン性、非イオン性又は任意の更なる界面活性剤の非限定的な例は、Ｍ．Ｃ．Ｐｕｂｌｉｓｈｉｎｇ  Ｃｏ．により発行されたＭｃＣｕｔｃｈｅｏｎ’ｓ，Ｅｍｕｌｓｉｆｉｅｒｓ  ａｎｄ  Ｄｅｔｅｒｇｅｎｔｓ，１９８９  Ａｎｎｕａｌ、並びに米国特許第３，９２９，６７８号、第２，６５８，０７２号、第２，４３８，０９１号、及び第２，５２８，３７８号に記載されている。
【０２３９】
懸濁化剤
本発明の組成物は、非水溶性物質を組成物中に分散された形態に懸濁するために、又は組成物の粘度を変性するために有効な濃度で懸濁剤を更に含んでもよい。かかる濃度は、０．１％〜１０％、又は更に０．３％〜５．０％の範囲である。
【０２４０】
顔料
本発明の組成物はまた、Ｃ．Ｉ．名を有するもののような水溶性の成分を包含する、無機、ニトロソ、モノアゾ、ジスアゾ（disazo）、カロチノイド、トリフェニルメタン、トリアリールメタン、キサンテン、キノリン、オキサジン、アジン、アントラキノン、インジゴイド、チオンインジゴイド、キナクリドン、フタロシアニン（phthalocianine）、植物の色、天然の色などの、顔料物質を含有してもよい。
【０２４１】
ゲルマトリックス
いくつかの実施形態では、脂肪族アルコールは、分散ゲルネットワーク相（すなわち、最終組成物中に組み込まれて分散されている相）の形態で存在してよい。一実施形態では、二級カチオン性界面活性剤は、高融点脂肪族化合物及び水性キャリアと共に、ゲルマトリックスを形成する。ゲルマトリックスは、様々なコンディショニング効果、例えば、濡れた毛髪に塗布されている間の滑らかな感触、並びに乾いた毛髪における柔らかさ及びしっとり感をもたらすのに適している。
【０２４２】
本発明の組成物は、組成物の０．１重量％超、好ましくは１重量％〜６０重量％、及びより好ましくは５重量％〜４０重量％の量の分散した脂肪族アルコールゲルネットワーク相を含んでよい。
【０２４３】
本発明のゲルネットワーク構成成分は、第２の界面活性剤を含んでよい。本明細書で使用するとき、「第２の界面活性剤」とは、脂肪族アルコール及び水と組み合わせて、シャンプー組成物の他の構成要素と区別したプレミックスとして本発明のゲルネットワークを形成する１種以上の界面活性剤を指す。第２の界面活性剤は、パーソナルケア組成物の任意の乳化界面活性剤及び／又は任意の界面活性剤とは区別され、これらに加えられる。しかしながら、第２の界面活性剤は、上記の界面活性剤構成成分のために選択されるものと同一又は異なる種類の１つの界面活性剤又は複数の界面活性剤であってよい。
【０２４４】
本発明の組成物は、シャンプー組成物の０．０１重量％〜１５重量％、好ましくは０．１重量％〜１０重量％、及びより好ましくは０．３重量％〜５重量％の量で、予め形成された分散ゲルネットワーク相の一部として、第２の界面活性剤を含んでよい。
【０２４５】
好適な第２の界面活性剤としては、アニオン性、双性イオン性、両性、カチオン性及び非イオン性界面活性剤が挙げられる。好ましくは、第２の界面活性剤は、アニオン性、カチオン性、及び非イオン性界面活性剤、並びにこれらの混合物から選択される。本発明で使用するのに好適な第２の界面活性剤に関して追加の説明は、米国特許出願公開２００６／００２４２５６  Ａ１号を参照されたい。
【０２４６】
更に、本発明の実施形態では、炭素原子１６〜２２個の鎖長の疎水性末端基を有する特定の第２の界面活性剤を選択し、分散ゲルネットワーク相を生じるために、少なくとも３８℃の融解転移温度を得ることに関与してよい。このような第２の界面活性剤では、疎水性末端基は、アルキル、アルケニル（最大３つの二重結合を含む）、アルキル芳香族、又は分枝状アルキルであってよい。このような実施形態では、第２の界面活性剤が、脂肪族アルコールに対して１：５〜５：１の重量比でゲルネットワーク構成成分中に存在することが好ましい。上で指定した種類の２種以上の界面活性剤の混合物を、本発明の第２の界面活性剤として使用してよい。
【０２４７】
ゲルマトリックスの一実施形態では、第２の界面活性剤はカチオン性界面活性剤であってよく、カチオン性の第２の界面活性剤及び高融点脂肪族化合物は、カチオン性界面活性剤と高融点脂肪族化合物の重量比が、１：１〜１：１０、又は更に１：１〜１：６の範囲であるような濃度で含まれてよい。
【０２４８】
また、ゲルネットワーク構成成分は、水又は好適な溶媒を含んでもよい。水又は好適な溶媒、及び第２の界面活性剤は、共に脂肪族アルコールの膨潤に関与する。このことは同様に、ゲルネットワークの形成、及び安定性を導く。本明細書で使用するとき、用語「好適な溶媒」とは、本発明のゲルネットワークの形成において、水の代わりに又は水と組み合わせて使用することができるあらゆる溶媒を指す。
【０２４９】
本発明の組成物は、本発明に従う脂肪族アルコール及び第２の界面活性剤と組み合わせるときに、ゲルネットワークを得るのに好適な量で、予め形成された分散ゲルネットワーク相の一部として、水又は好適な溶媒を含む。一実施形態では、本発明の組成物は、予め形成された分散ゲルネットワーク相の一部として、シャンプー組成物の少なくとも０．０５重量％の水又は好適な溶媒を含む。別の実施形態では、組成物は、予め形成された分散ゲルネットワーク相の一部として、水又は好適な溶媒を、脂肪族アルコールの量に対して、少なくとも１：１の重量比の量で含む。
【０２５０】
ビルダー
組成物はまた、０．１重量％〜８０重量％のビルダーを含んでもよい。液体形態の組成物は、一般的に１重量％〜１０重量％のビルダー構成成分を含有する。顆粒状形態の組成物は、一般的に１重量％〜５０重量％のビルダー構成成分を含有する。洗剤ビルダーは、当該技術分野において周知であり、例えばリン酸塩、並びに様々な有機及び無機無リンビルダーを含むことができる。本明細書において有用な水溶性無リン有機ビルダーには、様々なアルカリ金属、アンモニウム、並びに置換アンモニウムのポリアセテート、カルボキシレート、ポリカルボキシレート、及びポリヒドロキシスルホネートが挙げられる。ポリアセテートビルダー及びポリカルボキシレートビルダーの例には、エチレンジアミン四酢酸、ニトリロ三酢酸、オキシジコハク酸、メリト酸、ベンゼンポリカルボン酸、及びクエン酸の、ナトリウム塩、カリウム塩、リチウム塩、アンモニウム塩、及び置換アンモニウム塩がある。本明細書での使用に好適な他のポリカルボン酸塩は、米国特許第４，１４４，２２６号及び同第４，２４６，４９５号に記載のポリアセタールカルボキシレートである。その他のポリカルボキシレートビルダーは、米国特許第４，６６３，０７１号に記載の、酒石酸モノスクシナートと酒石酸ジスクシナートとの組み合わせを含む、オキシジスクシナートビルダー組成物及びエーテルカルボキシレートビルダー組成物であり、液体洗剤に使用されるビルダーは米国特許第４，２８４，５３２号に記載のものであり、１つの好適なビルダーとしてはクエン酸が挙げられる。好適な非リン系の無機ビルダーとしては、シリケート、アルミノシリケート、ボレート及びカーボネート、例えばナトリウム及びカリウム炭酸塩、重炭酸塩、セスキ炭酸塩、四ホウ酸塩十水和物が挙げられ、シリケートは、アルカリ金属酸化物に対して重量比０．５〜４．０又は１．０〜２．４のＳｉＯ２を有する。ゼオライトなどのアルミノシリケートもまた有用である。このような材料、及び洗剤ビルダーとしてのこれらの使用は、米国特許第４，６０５，５０９号により詳細に説明されている。
【０２５１】
分散剤
組成物は、ホモ重合酸若しくは共重合酸又はその塩である０．１重量％〜１０重量％の分散剤として好適な水溶性有機材料を含有してもよく、ポリカルボン酸は、２個以下の炭素原子により互いに分離した少なくとも２つのカルボキシ基を含有し得る。分散剤は、米国特許４，５９７，８９８号、同第４，６７６，９２１号、同第４，８９１，１６０号、同第４，６５９，８０２号及び同第４，６６１，２８８号に記載されるようなポリアミンのアルコキシル化誘導体及び／又はそれらの四級化誘導体であってもよい。
【０２５２】
酵素
組成物は、洗浄性能、及び／又は布地ケア効果をもたらす１種以上の洗剤酵素を含有してもよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ、及び／又はセルラーゼのような従来の適用可能な酵素をアミラーゼと組み合わせた混液であってもよい。酵素は、その技術分野で教示される濃度、例えば、Ｎｏｖｏｚｙｍｅｓ及びＧｅｎｅｎｃｏｒのような供給元によって推奨される濃度で使用することができる。組成物中の典型的な濃度は、０．０００１％〜５％である。酵素が存在する場合、酵素は非常に低い濃度、例えば０．００１％以下で使用することができ、又は重質洗濯洗剤処方では、酵素をより高濃度、例えば０．１％以上で使用することができる。一部の消費者の「非生物学的な」洗剤に対する好みにより、組成物は酵素含有及び酵素不含のいずれかあるいはその両方であり得る。
【０２５３】
キレート剤
組成物は、シトレート；窒素含有Ｐ不含アミノカルボキシレート、例えば、ＥＤＤＳ、ＥＤＴＡ及びＤＴＰＡ；アミノホスフォナート、例えば、ジエチレントリアミンペンタメチレンホスホン酸及びエチレンジアミンテトラメチレンホスホン酸；窒素不含ホスホネート、例えば、ＨＥＤＰ；並びに窒素又は酸素含有Ｐ−不含カルボキシレート不含キレート剤、例えば、漂白剤触媒系での使用が既知のものなどの特定の大環状Ｎ−配位子の一般的な部類の化合物といった、５％未満、又は０．０１％〜３％のキレート剤を含有してよい。
【０２５４】
安定剤
組成物は、１種以上の安定剤及び増粘剤を含有してよい。任意の好適な濃度の安定剤を使用することができ、代表的な濃度として、組成物の０．０１重量％〜２０重量％、０．１重量％〜１０重量％、又は０．１重量％〜３重量％が挙げられる。本明細書に用いるのに好適な安定剤の非限定的な例としては、結晶性ヒドロキシル含有安定化剤、トリヒドロキシステアリン、硬化油、又はこれらに類するもの、及びこれらの組み合わせが挙げられる。一部の態様では、結晶性ヒドロキシル含有安定化剤は非水溶性のワックス様の物質（脂肪酸、脂肪酸エステル又は脂肪石鹸が挙げられる）であり得る。他の態様では、結晶性ヒドロキシル含有安定化剤は、硬化ヒマシ油誘導体（例えばヒマシワックス）などのヒマシ油誘導体であってよい。ヒドロキシル含有安定剤は、米国特許第６，８５５，６８０号及び同第７，２９４，６１１号に開示されている。他の安定剤としては、ガム及び他の同様の多糖（例えば、ジェランガム、カラギーナンガム、及び他の既知の種類の増粘剤及びレオロジー添加剤）などの増粘安定剤が挙げられる。この部類の例示の安定剤としては、ガム型ポリマー（例えば、キサンタンガム）、ポリビニルアルコール及びこれらの誘導体、セルロース及びこれらの誘導体（セルロースエーテル及びセルロースエステルなど）、並びにタマリンドガム（例えば、キシログルカンポリマーを含む）、グアーガム、イナゴマメゴム（一部の態様ではガラクトマンナンポリマーを含む）、及びその他の産業用ガム及びポリマーが挙げられる。
【０２５５】
他の成分
使用される消費者製品（例えば、シャンプー、液状石鹸、ボディーウォッシュ、洗濯洗剤、布地柔軟剤）の形態に応じて、これら組成物は、８〜２２個の炭素原子を有する脂肪族アルコール、脂肪酸のエチレングリコールエステル（例えば、エチレングリコールジステアレート）などの乳白剤又は真珠光沢剤（pearlescers）、粘度調整剤、緩衝剤つまりｐＨ調整化学物質、架橋及び非架橋ポリマーを含む水溶性ポリマー、起泡増進剤、香料、染料、着色剤又は顔料、ハーブ抽出物、防腐剤、ヒドロトロープ（hydrotopes）、酵素、漂白剤、布地コンディショナー、蛍光増白剤、酸化防止剤、安定剤、分散剤、汚れ放出剤、防しわ剤、キレート剤、防食剤、並びに歯洗浄及びホワイトニング剤、並びにこれらの混合物から選択される成分を更に含有してよい。
【０２５６】
ＶＩＩ．製品形態
一態様では、本明細書に開示される消費者製品はパーソナルケア組成物であってよい。このような組成物は、皮膚及び／又は毛髪に適用され、洗浄及び／又はコンディショニング処理を提供できる。本組成物は、例えば、バー、液体、エマルション、シャンプー、ゲル、粉末、スティック、ヘアコンディショナー（洗い流すタイプ及び洗い流さないタイプ）、ヘアトニック、ペースト、毛髪着色剤、スプレー、ムース、並びにその他の整髪製品として配合することができる。
【０２５７】
一態様では、本明細書に開示される消費者製品は布地及び／又はホームケア組成物であってよい。このような組成物は、布地、硬質表面、セラミックス、ガラス、木材などに適用され、洗浄及び／又はコンディショニング処理を提供できる。本組成物は、バー、液体、エマルション、ゲル、粉末、スティック、ペースト、スプレー、ムースなどとして配合することができる。
【０２５８】
本発明の態様としては、洗濯洗剤組成物（例えば、ＴＩＤＥ（商標））、硬質表面洗浄剤（例えば、ＭＲ  ＣＬＥＡＮ（商標））、自動食器洗浄用液体（例えば、ＣＡＳＣＡＤＥ（商標））、食器洗浄用液体（例えば、ＤＡＷＮ（商標））、及び床洗浄剤（例えば、ＳＷＩＦＦＥＲ（商標））における本明細書に開示されるオルガノシリコーンポリマーの使用が挙げられる。洗浄組成物の非限定的な例としては、米国特許第４，５１５，７０５号、同第４，５３７，７０６号、同第４，５３７，７０７号、同第４，５５０，８６２号、同第４，５６１，９９８号、同第４，５９７，８９８号、同第４，９６８，４５１号、同第５，５６５，１４５号、同第５，９２９，０２２号、同第６，２９４，５１４号、及び同第６，３７６，４４５号に記載されるようなものを挙げることができる。
【０２５９】
本明細書に開示される布地又はホームケア組成物は、典型的には、水性洗浄操作での使用中に、洗浄水のｐＨが６．５〜１２、又は７．５〜１０．５となるように配合される。液体食器洗浄製品の処方は、典型的には６．８〜９．０のｐＨを有する。洗浄製品は、典型的には、７〜１２のｐＨを有するように処方される。推奨される使用量でのｐＨを制御する技術には、緩衝剤、アルカリ、酸などの使用を含み、当業者には周知である。
【０２６０】
ＶＩＩＩ．組成物の製造方法
本発明の組成物の任意の好適な製造方法を使用してよい。一実施形態では、オルガノポリシロキサンコンディショニングポリマーは、組成物中に存在する他の成分とブレンドされる。別の実施形態では、本発明のオルガノポリシロキサンを、任意に、オルガノポリシロキサンコンディショニングポリマー上に不利益に吸着しない他の成分と事前乳化し、当該技術分野において既知の標準的な方法に従って、その後最終組成物の他の構成成分とブレンドする。事前乳化実施形態の典型的な手順には、オルガノポリシロキサンコンディショニング剤を、溶媒（例えば、水などの親水性溶媒）の一部と事前乳化し、その後最終消費者製品処方に含まれている溶媒の残部及び他の材料を添加することを含む。
【０２６１】
当業者は、多くのその他方法のうち任意のものを用いて、本発明のオルガノシロキサンポリマーを含む組成物を製造できると認識いているだろう。例えば、オルガノポリシロキサンコンディショニングポリマーを別の工程で事前乳化する必要はなく、むしろ所望に応じて、製造プロセスの任意の時点で乳化できる。代わりに、ポリマーが組成物のキャリア中に可溶性かどうかによって、オルガノシロキサンポリマーを全く乳化する必要がない場合がある。代わりに、キャリアが固体又は半固体の場合、オルガノシロキサンコンディショニングポリマーをキャリアに直接適用してもよい。
【０２６２】
同様に、オルガノポリシロキサン（roganopolysiloxane）コンディショニングポリマーを含む組成物は、本明細書で説明した任意の非限定的成分（ingredeitns）及び／又は成分種を含む多くの成分のうち任意のものを含んでよい。前記任意の成分の組み込みの詳細は、当業者にとって既知であり、本発明の洗浄及び／又はトリートメント組成物は、任意の好適な形態に配合でき、配合者に選択される任意のプロセスによって調製でき、それらの非限定例は、米国特許第５，８７９，５８４号、同第５，６９１，２９７号、同第５，５７４，００５号、同第５，５６９，６４５号、同第５，５６５，４２２号、同第５，５１６，４４８号、同第５，４８９，３９２号、及び同第５，４８６，３０３号に記載されており、これらはすべて参照として本明細書に組み込まれる。
【０２６３】
ＩＸ．使用方法
本明細書に開示される特定の消費者製品を用いて、生理的基材及び非生理的基材を含む基材、とりわけ、基材又は布地を洗浄又は処理することができる。典型的には、基材の少なくとも一部を、未希釈の形態又は液体、例えば洗浄液中に希釈される本出願人らの組成物の実施形態と接触させ、その後、所望により基材を洗浄及び／又はすすいでもよい。１つの態様では、基材が任意で洗浄及び／又はすすがれ、本発明による粒子に、又は前記粒子を含む組成物に接触され、次に任意で洗浄及び／又はすすがれる。本発明の目的に関して、洗浄としては、限定するものではないが、こすり洗い及び機械的撹拌が挙げられる。布地は、標準的な消費者の使用条件で洗濯又は処理することが可能な大部分の任意の布地を含んでよい。開示される組成物を含み得る液体は、３〜１１．５のｐＨを有してよい。こうした組成物は、典型的には溶液中で５００ｐｐｍ〜１５，０００ｐｐｍの濃度で使用される。洗浄溶媒が水であるとき、水温は、典型的には、５℃〜９０℃の範囲であり、基材が布地を含むとき、水と布地との割合は、典型的には、１：１〜３０：１である。
【実施例】
【０２６４】
次の実施例は、本発明の範囲内の好ましい典型的な実施形態について更に説明して実証するものである。これらの実施例はあくまで例示を目的として与えられるものであって、本発明を限定するものとして解釈されるべきではない。実施例には、本発明の趣旨及び範囲から逸脱することなく多くの変形例が可能である。成分は化学名で識別し、そうでない場合には以下で定義する。
【０２６５】
実施例１〜１４：オルガノポリシロキサン
本発明のオルガノポリシロキサンを、アミノ官能基と反応可能な次の二官能性有機化合物を用いて、以下のように調製した。
【０２６６】
ジブロモ化合物：
清浄な容器に、表１に示す量のシリコーン（Ｇｅｌｅｓｔ  Ｃｏ．（Ｍｏｒｒｉｓｖｉｌｌｅ，ＰＡ）から入手可能）、及び示される量のジアミン（Ｓｉｇｍａ−Ａｌｄｒｉｃｈ（Ｍｉｌｗａｕｋｅｅ，ＷＩ）から入手可能）、及びシリコーン量と同量のイソプロパノール（Ｓｉｇｍａ−Ａｌｄｒｉｃｈ（Ｍｉｌｗａｕｋｅｅ，ＷＩ）から入手可能）を加える。サンプルを、３０ｒｐｍで１時間攪拌することによって混合し、続いてある量のジブロミド（Ｓｉｇｍａ−Ａｌｄｒｉｃｈ（Ｍｉｌｗａｕｋｅｅ，ＷＩ）から入手可能）を加えて、２５℃において、３０ｒｐｍで２時間攪拌することによって混合する。その後、サンプルを５０℃で１６時間加熱する。
【０２６７】
上記説明に従って、示される量を用いて表１のサンプルを調製する。各サンプルのシリコーン出発物質は末端アミノシリコーンであり、終末シリコーン原子とアミン窒素との間にプロペニル部分を有する。アミノ官能基と反応可能な二官能性有機化合物は、ジクロリド、ジブロミド、及び活性化ジクロリドからなる群から選択される、ジハライドの群から選択される。ジアミンは、ＴＭＨＤＡ（テトラメチル−ヘキサン−ジアミン）及びＴＭＥＤＡ（テトラメチル−エタン−ジアミン）からなる群から選択された。実施例１〜１３及び１６〜１７のジアミン構造はＴＭＨＤＡである。実施例１４〜１５のジアミン構造はＴＭＥＤＡである。
【０２６８】
【表１】
2015501335.tif 000022
１＝Ｇｅｌｅｓｔ  Ｃｏｍｐａｎｙ（Ｍｏｒｒｉｓｖｉｌｌｅ，ＰＡ）から入手可能なアミノシリコーン出発物質のカタログ番号
２＝Ｓｈｉｎ−Ｅｔｓｕ  Ｓｉｌｉｃｏｎｅ（Ｔｏｋｙｏ，Ｊａｐａｎ）から入手可能なアミノシリコーン出発物質のカタログ番号
【０２６９】
表２の実施例では、以下のとおりである。
ｗ＝２
ｙ＝ｚ＝０
Ｒ1及びＲ2＝メチル
Ｘ＝プロピレン
ｎ＝２
【０２７０】
【表２】
2015501335.tif 000023
*平均ｍが＜１のとき、すべてのＭ基が荷電基Ｇを持つとは限らない。これらの代表的な場合において、荷電基Ｇを持たないＭ基は、プロピルアミノ基としてＲ3基を有するであろう。また、これらの代表的な場合において、平均ｍが２未満である一方で、各荷電基Ｇの各個々のｍは２以上である場合がある。
【０２７１】
実施例２９：非イオン性乳化剤の存在下で作製された粒子（２種類のＨＬＢのもの）
（ＨＬＢ＝親水性親油性バランス）
【０２７２】
低ＨＬＢ界面活性剤／乳化剤を用いるＨ2Ｏ／シリコーンエマルションの調製物は、その後希釈中に反転されてシリコーン／Ｈ２Ｏエマルションを形成する。
【０２７３】
【表３】
2015501335.tif 000024
【０２７４】
ＩＫＡ  Ｔ２５  Ｕｌｔｒａ−Ｔｕｒｒａｘ分散機（出力３００Ｗ）及びＩＫＡ分散用部品（Ｓ２５Ｎ−２５Ｇ）を用いて、非プラスチック製容器内にシリコーン流体及びポリマーを加える。５分間５００ＲＰＭで混合する。乳化剤＃１を加え、５分間５００ＲＰで混合する。別の容器で乳化剤＃２及び水をブレンドし、完全に分散するまで混合する。水＋乳化剤＃２組成物を３等分の量ずつ、シリコーン／ポリマー／乳化剤＃１組成物に加える。各量を加えた後、３，０００ＲＰＭで均質かつ均一な稠度になるまで混合する。すべての水＋乳化剤＃２を混合した後、氷酢酸を加えてｐＨを調整し、２０分間３，０００ＲＰＭで混合する。
【０２７５】
実施例３０：非イオン性乳化剤（１非イオン性界面活性剤／乳化剤）
単一の乳化剤による調製物の調製方法
【０２７６】
【表４】
2015501335.tif 000025
【０２７７】
ＩＫＡ  Ｔ２５  Ｕｌｔｒａ−Ｔｕｒｒａｘ分散機（出力３００Ｗ）及びＩＫＡ分散用部品（Ｓ２５Ｎ−２５Ｇ）を用いて、非プラスチック製容器内で乳化剤＃１及び水をブレンドし、完全に分散するまで混合する。別の非プラスチック製容器では、流体及びポリマーをブレンドする。５分間５００ＲＰＭで混合する。シリコーンポリマー組成物を、約１０グラム／分で、一定に３，０００ＲＰＭで混合しながら水／乳化剤＃１組成物に加える。組成物全体を２０分間３，０００ＲＰＭで混合する。氷酢酸を加えてｐＨを調整し、３分間３，０００ＲＰＭで混合する。
【０２７８】
実施例３１：ポリマー乳化剤（界面活性剤／乳化剤不添加）
ポリマー乳化剤調製方法を用いる単一の乳化剤による調製物
【０２７９】
【表５】
2015501335.tif 000026
【０２８０】
ポリマーを水に加え、シリコーン流体に加えないこと以外は、実施例２の調製方法に従う。
【０２８１】
実施例３１：ポリマー乳化剤（界面活性剤／乳化剤不添加）
ポリマー乳化剤調製方法を用いる単一の乳化剤による調製物。ポリマーをシリコーンに加え、総水分量の５％をシリコーン＋ポリマー組成物に加えること以外は、材料及び濃度は実施例２と同じである。
【０２８２】
【表６】
2015501335.tif 000027
【０２８３】
実施例３２：重質液体洗剤
以下の重質（heaving duty）液体洗剤を、従来のプロセスによって以下に記載する成分を混合することによって製造する。かかる重質液体洗剤を用いて布地を洗濯し、その後自然乾燥及び／又は乾燥機によって乾燥する。乾燥前及び／又は乾燥中に、かかる布地を布地向上剤で処理してもよい。かかる布地の外観は汚れが取れており、柔らかな感触を有する。
【０２８４】
【表７】
2015501335.tif 000028
1  Ｓｈｅｌｌ  Ｃｈｅｍｉｃａｌｓ（Ｈｏｕｓｔｏｎ，ＴＸ）から入手可能。
2  Ｄｅｇｕｓｓａ  Ｃｏｒｐｏｒａｔｉｏｎ（Ｈｏｐｅｗｅｌｌ，ＶＡ）から入手可能。
3  Ｓｈｅｌｌ  Ｃｈｅｍｉｃａｌｓ（Ｈｏｕｓｔｏｎ，ＴＸ）から入手可能。
4  Ｔｈｅ  Ｐｒｏｃｔｅｒ  ＆  Ｇａｍｂｌｅ  Ｃｏｍｐａｎｙ（Ｃｉｎｃｉｎｎａｔｉ，ＯＨ）から入手可能。
5  Ｇｅｎｅｎｃｏｒ  Ｉｎｔｅｒｎａｔｉｏｎａｌ（Ｓｏｕｔｈ  Ｓａｎ  Ｆｒａｎｃｉｓｃｏ，ＣＡ）から入手可能。
6  Ｃｉｂａ  Ｓｐｅｃｉａｌｔｙ  Ｃｈｅｍｉｃａｌｓ（Ｈｉｇｈ  Ｐｏｉｎｔ，ＮＣ）から入手可能。
7  商品名ＬＵＴＥＮＳＩＴ（登録商標）として販売、ＢＡＳＦ（Ｌｕｄｗｉｇｓｈａｆｅｎ，Ｇｅｒｍａｎｙ）から入手可能、国際公開第０１／０５８７４号に記載。
8  Ｎｉｐｐｏｎ  Ｓｈｏｋｋａｂａｉから入手可能
9  アミノ官能シリコーン；ＫＦ８６９、ＫＦ８６７、Ｓｈｉｎ−Ｅｔｓｕ  Ｓｉｌｉｃｏｎｅｓ（Ｔｏｋｙｏ，Ｊａｐａｎ）；Ｇｉｌｅｓｔ（Ｍｏｒｒｉｓｖｉｌｌｅ，ＰＡ，ＵＳＡ）から入手可能な粘度が０．００５、０．０１ｍ2／ｓ（５０００、１００００Ｃｓｔ）のポリジメチルシロキサン、及びＤｏｗ  Ｃｏｒｎｉｎｇ  Ｃｏｒｐｏｒａｔｉｏｎ（Ｍｉｄｌａｎｄ，ＭＩ）から入手可能な０．０６ｍ2／ｓ（６０，０００センチストークス（centistroke））のもの。
11  安定剤、香料、染料、レオロジー変性剤、乳白剤、洗浄ポリマーを含んでよいが、これらに限定されない
【０２８５】
実施例３３：重質液体洗剤
【０２８６】
【表８】
2015501335.tif 000029
1  Ｓｈｅｌｌ  Ｃｈｅｍｉｃａｌｓ（Ｈｏｕｓｔｏｎ，ＴＸ）から入手可能。
2  Ｄｅｇｕｓｓａ  Ｃｏｒｐｏｒａｔｉｏｎ（Ｈｏｐｅｗｅｌｌ，ＶＡ）から入手可能。
3  Ｓｈｅｌｌ  Ｃｈｅｍｉｃａｌｓ（Ｈｏｕｓｔｏｎ，ＴＸ）から入手可能。
4  Ｔｈｅ  Ｐｒｏｃｔｅｒ  ＆  Ｇａｍｂｌｅ  Ｃｏｍｐａｎｙ（Ｃｉｎｃｉｎｎａｔｉ，ＯＨ）から入手可能。
5  Ｇｅｎｅｎｃｏｒ  Ｉｎｔｅｒｎａｔｉｏｎａｌ（Ｓｏｕｔｈ  Ｓａｎ  Ｆｒａｎｃｉｓｃｏ，ＣＡ）から入手可能。
6  Ｃｉｂａ  Ｓｐｅｃｉａｌｔｙ  Ｃｈｅｍｉｃａｌｓ（Ｈｉｇｈ  Ｐｏｉｎｔ，ＮＣ）から入手可能。
7  商品名ＬＵＴＥＮＳＩＴ（登録商標）として販売、ＢＡＳＦ（Ｌｕｄｗｉｇｓｈａｆｅｎ，Ｇｅｒｍａｎｙ）から入手可能、国際公開第０１／０５８７４号に記載。
8  Ｎｉｐｐｏｎ  Ｓｈｏｋｋａｂａｉから入手可能
9  アミノ官能シリコーン；ＫＦ８６９、ＫＦ８６７、Ｓｈｉｎ−Ｅｔｓｕ  Ｓｉｌｉｃｏｎｅｓ（Ｔｏｋｙｏ，Ｊａｐａｎ）；Ｇｉｌｅｓｔ（Ｍｏｒｒｉｓｖｉｌｌｅ，ＰＡ，ＵＳＡ）から入手可能な粘度が０．００５、０．０１ｍ2／ｓ（５０００、１００００Ｃｓｔ）のＣＦ４２ａポリジメチルシロキサン、及びＤｏｗ  Ｃｏｒｎｉｎｇ  Ｃｏｒｐｏｒａｔｉｏｎ（Ｍｉｄｌａｎｄ，ＭＩ）から入手可能な０．０６ｍ2／ｓ（６０，０００センチストークス）のもの。
10  安定剤、香料、染料、レオロジー変性剤、乳白剤、洗浄ポリマーを含んでよいが、これらに限定されない
【０２８７】
実施例３４：布地向上剤
以下は、本発明の組成物の非限定例であり、かかる組成物は、本明細書に開示される１つ以上の製造プロセスによって製造される。
【０２８８】
【表９】
2015501335.tif 000030
*  あるいは、材料が類似しているため、実施例１２のオルガノポリシロキサンが実施例３と置き換えられている。
【０２８９】
【表１０】
2015501335.tif 000031
a  Ｎ，Ｎ−ジ（タローオイルオキシエチル）−Ｎ，Ｎ−ジメチルアンモニウムクロライド。
b  メチル−ビス（タローアミドエチル）−２−ヒドロキシエチルアンモニウムメチルサルフェート。
c  脂肪酸とメチルジエタノールアミンとのモル比１．５：１での反応生成物を塩化メチルで四級化して得られる、Ｎ，Ｎ−ビス（ステアロイル−オキシ−エチル）Ｎ，Ｎ−ジメチルアンモニウムクロライドとＮ−（ステアロイル−オキシ−エチル）Ｎ−ヒドロキシエチルＮ，Ｎジメチルアンモニウムクロライドとの１：１モル混合物。
Z  ヨウ素価が４０である脂肪酸とメチル／ジイソプロピルアミンとの、脂肪酸のアミンに対するモル比が１．８６〜２．１である反応生成物であって、硫酸メチルで四級化された反応生成物。
d  Ｎａｔｉｏｎａｌ  Ｓｔａｒｃｈから商品名ＨＹＬＯＮ  ＶＩＩ（登録商標）として入手可能なカチオン性高アミローストウモロコシデンプン
e  Ｃｉｂａから商品名Ｒｈｅｏｖｉｓ  ＣＤＥとして入手可能なカチオン性ポリマー
f  米国特許第５，５７４，１７９号、第１５段、１〜５行目に記載の式を有する、エチレンオキシドとテレフタレートとのコポリマーであって、式中、各Ｘはメチルであり、各ｎは４０であり、ｕは４であり、各Ｒ１は本質的に１，４−フェニレン部分であり、各Ｒ２は、本質的にエチレン、１，２−プロピレン部分、又はこれらの混合物である。
g  Ｗａｃｋｅｒ製のＳＥ３９
h  ジエチレントリアミン五酢酸。
i  Ｒｏｈｍ  ａｎｄ  Ｈａａｓ  Ｃｏ．から入手可能なＫｏｒａｌｏｎｅ  Ｂ−１１９、「ＰＰＭ」は、「百万分率」である。
j  Ｄｏｗ  Ｃｏｒｎｉｎｇ  Ｃｏｒｐ．から商品名ＤＣ２３１０として入手可能なシリコーン消泡剤
l  ＢＡＳＦから商品名Ｌｕｐａｓｏｌとして入手可能なポリエチレンイミン
m  アミノ官能シリコーン；ＫＦ８６９、ＫＦ８６７、Ｓｈｉｎ−Ｅｔｓｕ  Ｓｉｌｉｃｏｎｅｓ（Ｔｏｋｙｏ，Ｊａｐａｎ）；Ｇｉｌｅｓｔ（Ｍｏｒｒｉｓｖｉｌｌｅ，ＰＡ，ＵＳＡ）から入手可能な粘度が０．００５、０．０１ｍ2／ｓ（５０００、１００００Ｃｓｔ）のポリジメチルシロキサン、並びにＤｏｗ  Ｃｏｒｎｉｎｇ  Ｃｏｒｐｏｒａｔｉｏｎ（Ｍｉｄｌａｎｄ，ＭＩ）から入手可能な０．０００３５及び０．０６ｍ2／ｓ（３５０及び６０，０００センチストークス）のもの。
【０２９０】
実施例３５：ヘアケアコンディショナー組成物
以下は、本発明の組成物の非限定例であり、かかる組成物は、本明細書に開示される１つ以上の製造プロセスによって製造される。
【０２９１】
【表１１】
2015501335.tif 000032
1アミノ官能シリコーン；ＫＦ８６９、ＫＦ８６７、Ｓｈｉｎ−Ｅｔｓｕ  Ｓｉｌｉｃｏｎｅｓ（Ｔｏｋｙｏ，Ｊａｐａｎ）；Ｇｉｌｅｓｔ（Ｍｏｒｒｉｓｖｉｌｌｅ，ＰＡ，ＵＳＡ）から入手可能な粘度が０．００５、０．０１ｍ2／ｓ（５０００、１００００Ｃｓｔ）のポリジメチルシロキサン、及びＤｏｗ  Ｃｏｒｎｉｎｇ  Ｃｏｒｐｏｒａｔｉｏｎ（Ｍｉｄｌａｎｄ，ＭＩ）から入手可能な０．０００３５、０．００５、０．０６ｍ2／ｓ（３５０、５０００、６０，０００センチストークス）のもの。
3ベヘントリモニウムメトサルフェート／イソプロピルアルコール：Ｃｌａｒｉａｎｔから入手可能なＧｅｎａｍｉｎ  ＢＴＭＳ
4ステアラミドプロピルジメチルアミン
5セチルアルコール：Ｓｈｉｎ  Ｎｉｈｏｎ  Ｒｉｋａから入手可能なＫｏｎｏｌ（商標）シリーズ
6ステアリルアルコール：Ｓｈｉｎ  Ｎｉｈｏｎ  Ｒｉｋａから入手可能なＫｏｎｏｌ（商標）シリーズ
7メチルクロロイソチアゾリノン／メチルイソチアゾリノン：Ｒｏｈｍ  ＆  Ｈａａｓより入手可能なＫａｔｈｏｎ（商標）ＣＧ
8パンテノール：Ｒｏｃｈｅから入手可能
9パンテニルエチルエーテル：Ｒｏｃｈｅから入手可能
【０２９２】
有益剤付着の評価
毛髪：
毛髪見本を表１１のヘアコンディショナー処方で処理する。すすぎ後、毛髪見本を室温で風乾してから小片に切断し、毛髪１グラムあたりの付着したシリコーン量の測定のために分析する。結果を以下の表１３及び１４に示す。
【０２９３】
【表１２】
2015501335.tif 000033
*活性物質と付着助剤の比は１６：１
【０２９４】
【表１３】
2015501335.tif 000034
*活性物質の組み合わせと付着助剤の比は１６：１
【０２９５】
布地向上剤：
本発明の布地向上剤で処理したテリー織のタオル、並びに高度対照及び低度対照を官能試験員の前のテーブル上にランダムな順序で置く。各官能試験員は、各自が選択した任意の方法で取り扱った各タオルの感触を質問され、様々な異なる感触の特徴（例えば、絹のような、滑らかな、ふわふわしたなど）で各タオルを評価する。各官能試験員は、関連する特徴について１（最も好ましくない）〜１０（最も好ましい）のスケールで各タオルを評価する。本発明の製品で処理されたタオルは、白さの保持度を失わずに柔軟性効果を示した。
【０２９６】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【０２９７】
相互参照されるか又は関連するすべての特許又は特許出願、及び本願が優先権又はその利益を主張する任意の特許出願又は特許を含む、本願に引用されるすべての文書を、特に除外すること又は限定することを明言しないかぎりにおいて、その全容にわたって本願に援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０２９８】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
有益剤と、カチオン性付着助剤と、を含む有益剤エマルジョンであって、
前記カチオン性付着助剤が、
次式：
ＭｗＤｘＴｙＱｚ
を有するオルガノポリシロキサンであり、
式中、
Ｍ＝［ＳｉＲ１Ｒ２Ｒ３Ｏ１／２］、［ＳｉＲ１Ｒ２Ｇ１Ｏ１／２］、［ＳｉＲ１Ｇ１Ｇ２Ｏ１／２］、［ＳｉＧ１Ｇ２Ｇ３Ｏ１／２］、又はこれらの組み合わせであり、
Ｄ＝［ＳｉＲ１Ｒ２Ｏ２／２］、［ＳｉＲ１Ｇ１Ｏ２／２］、［ＳｉＧ１Ｇ２Ｏ２／２］又はこれらの組み合わせであり、
Ｔ＝［ＳｉＲ１Ｏ３／２］、［ＳｉＧ１Ｏ３／２］又はこれらの組み合わせであり、
Ｑ＝［ＳｉＯ４／２］であり、
ｗ＝１〜（２＋ｙ＋２ｚ）の整数であり、
ｘ＝５〜１５，０００の整数であり、
ｙ＝０〜９８の整数であり、
ｚ＝０〜９８の整数であり、
Ｒ１、Ｒ２及びＲ３が、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ、Ｃ１〜Ｃ３２アルキルアミノ、及びＣ１〜Ｃ３２置換アルキルアミノからなる群からそれぞれ独立して選択され、
少なくとも１つのＭ、Ｄ、又はＴが、少なくとも１つの部分Ｇ１、Ｇ２又はＧ３を組み込み、Ｇ１、Ｇ２、及びＧ３が、次式：
【化１】
2015501335.tif 000042
からそれぞれ独立して選択され、
式中、
Ｘが、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド、及び開環グリシジルからなる群から選択される二価基を含み、ただし、Ｘが繰り返しアルキレンオキシド部分を含まない場合、Ｘが、Ｐ、Ｎ及びＯからなる群から選択されるヘテロ原子を更に含んでよく、
各Ｒ４が、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アルキルアリールからなる群から独立して選択される同一の又は異なる一価基を含み、
Ｅが、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価基を含み、ただし、Ｅが繰り返しアルキレンオキシド部分を含まない場合、Ｅが、Ｐ、Ｎ、及びＯからなる群から選択されるヘテロ原子を更に含んでよく、
Ｅ’が、Ｃ１〜Ｃ３２アルキレン、Ｃ１〜Ｃ３２置換アルキレン、Ｃ５〜Ｃ３２又はＣ６〜Ｃ３２アリーレン、Ｃ５〜Ｃ３２又はＣ６〜Ｃ３２置換アリーレン、Ｃ６〜Ｃ３２アリールアルキレン、Ｃ６〜Ｃ３２置換アリールアルキレン、Ｃ１〜Ｃ３２アルコキシ、Ｃ１〜Ｃ３２置換アルコキシ、Ｃ１〜Ｃ３２アルキレンアミノ、Ｃ１〜Ｃ３２置換アルキレンアミノ、開環エポキシド及び開環グリシジルからなる群から選択される二価基を含み、ただし、Ｅ’が繰り返しアルキレンオキシド部分を含まない場合、Ｅ’が、Ｐ、Ｎ、及びＯからなる群から選択されるヘテロ原子を更に含んでよく、
ｐが、１〜５０から独立して選択される整数であり、
ｎが、１又は２から独立して選択される整数であり、
少なくとも１つのＧ１、Ｇ２、又はＧ３が正に荷電されるとき、Ａ−ｔは好適な電荷均衡アニオン（１つ又は複数）であり、電荷均衡アニオン（１つ又は複数）の全電荷であるｋは、部分Ｇ１、Ｇ２又はＧ３の正味電荷と等しくかつ反対であり、ここでｔは１、２、又は３から独立して選択される整数であり、ｋ≦（ｐ＊２／ｔ）＋１であり、オルガノポリシロキサン分子中のカチオン電荷の総数がアニオン電荷の総数と釣り合い、
少なくとも１つのＥがエチレン部分を含まない、有益剤エマルション。
【請求項２】
前記オルガノポリシロキサンが、０．１ｍｅｑ／ｇ〜１２ｍｅｑ／ｇ、又は０．２〜７ｍｅｑ／ｇ、又は０．４〜５の電荷密度を有する、請求項１に記載のエマルション。
【請求項３】
前記オルガノポリシロキサンのシロキシル残基が、１，０００〜３０，０００ダルトンの分子量を有する、請求項１又は２に記載のエマルション。
【請求項４】
更に、前記オルガノポリシロキサンが０．１ｍｅｑ／ｇ〜８ｍｅｑ／ｇの電荷密度を有し、前記オルガノポリシロキサンのシロキシル残基が１，０００〜３０，０００ダルトンの分子量を有する、請求項１〜３のいずれか一項に記載のエマルション。
【請求項５】
前記カチオン性オルガノポリシロキサン付着助剤が、前記有益剤上に吸着される、請求項１〜４のいずれか一項に記載のエマルション。
【請求項６】
前記有益剤が疎水性である、請求項１〜５のいずれか一項に記載のエマルション。
【請求項７】
前記有益剤が、シリコーン、ビニルポリマー、ポリエーテル、炭化水素ワックス含有材料、炭化水素液体、流体糖ポリエステル、流体糖ポリエーテル、及びこれらの混合物からなる群から選択される材料を含む、請求項１〜６のいずれか一項に記載のエマルション。
【請求項８】
有益剤とオルガノポリシロキサンの比が、１０００：１〜１：１、又は５００：１〜５：１、又は２５０：１〜５：１、又は１００：１〜５：１、又は１００：１〜１０：１である、請求項１〜７のいずれか一項に記載のエマルション。
【請求項９】
有益剤とオルガノポリシロキサンの比が、４０：１〜２０：１、又は３０：１〜１５：１である、請求項１〜８のいずれか一項に記載のエマルション。
【請求項１０】
（ａ）請求項１〜９のいずれか一項に記載のエマルションと、
（ｂ）副組成物と、を含む、消費者製品組成物。
【請求項１１】
前記組成物が、カチオン性、アニオン性、両性、非イオン性、及びこれらの組み合わせからなる群から選択される界面活性剤を含む、請求項１０に記載の消費者製品組成物。
【請求項１２】
前記副組成物が、カチオン性、アニオン性、両性、非イオン性、及びこれらの組み合わせからなる群から選択される界面活性剤を含む、請求項１０又は１１に記載の消費者製品組成物。
【請求項１３】
前記エマルションが、シリコーン、ビニルポリマー、ポリエーテル、炭化水素ワックス含有材料、炭化水素液体、流体糖ポリエステル、流体糖ポリエーテル、及びこれらの混合物からなる群から選択される有益剤を含む、請求項１０〜１２のいずれか一項に記載の消費者製品組成物。
【請求項１４】
粘土、金属酸化物、シリコーン、及びマイクロカプセルからなる群から選択される第２の有益剤を含む、請求項１０〜１３のいずれか一項に記載の消費者製品組成物。
【請求項１５】
前記シリコーン材料有益剤が、ポリジメチルシロキサン、アミノシリコーン、カチオン性シリコーン、シリコーンポリエーテル、環状シリコーン、シリコーン樹脂、フッ素化シリコーン、及びこれらの混合物からなる群から選択される、請求項１３に記載の消費者製品組成物。
【請求項１６】
請求項１５に記載の消費者製品組成物であって、
ａ）前記ポリジメチルシロキサンが、１×１０−５ｍ２／ｓ〜２ｍ２／ｓ（１０センチストークス（ｃＳｔ）〜２，０００，０００ｃＳｔ）、５×１０−５ｍ２／ｓ〜１ｍ２／ｓ（５０ｃＳｔ〜１，０００，０００ｃＳｔ）、５×１０−４ｍ２／ｓ〜０．１ｍ２／ｓ（５００ｃＳｔ〜１００，０００ｃＳｔ）、又は７．５×１０−４ｍ２／ｓ〜１×１０−３ｍ２／ｓ（７５０ｃＳｔ〜１０００ｃＳｔ）の粘度を有し、
ｂ）前記アミノシリコーンが、１×１０−４ｍ２／ｓ〜０．３ｍ２／ｓ（１００ｃＳｔ〜３００，０００ｃＳｔ）、５×１０−４ｍ２／ｓ〜０．２ｍ２／ｓ（５００ｃＳｔ〜２００，０００ｃＳｔ）、７．５×１０−４ｍ２／ｓ〜５×１０−２ｍ２／ｓ（７５０ｃＳｔ〜５０，０００ｃＳｔ）、又は１×１０−３ｍ２／ｓ〜５×１０−３ｍ２／ｓ（１０００ｃＳｔ〜５０００ｃＳｔ）の粘度を有し、
ｃ）前記カチオン性シリコーンが、１×１０−４ｍ２／ｓ〜１ｍ２／ｓ（１００ｃＳｔ〜１，０００，０００ｃＳｔ）、５×１０−４ｍ２／ｓ〜０．５ｍ２／ｓ（５００ｃＳｔ〜５００，０００ｃＳｔ）、７．５×１０−４ｍ２／ｓ〜５×１０−２ｍ２／ｓ（７５０ｃＳｔ〜５０，０００ｃＳｔ）、又は１×１０−３ｍ２／ｓ〜５×１０−３０．００５ｍ２／ｓ（１０００ｃＳｔ〜５０００ｃＳｔ）の粘度を有し、
ｄ）前記シリコーンポリエーテルが、１×１０−４ｍ２／ｓ〜１ｍ２／ｓ（１００ｃＳｔ〜１，０００，０００ｃＳｔ）、５×１０−４ｍ２／ｓ〜０．５ｍ２／ｓ（５００ｃＳｔ〜５００，０００ｃＳｔ）、７．５×１０−４ｍ２／ｓ〜５×１０−２ｍ２／ｓ（７５０ｃＳｔ〜５０，０００ｃＳｔ）、又は１×１０−３ｍ２／ｓ〜５×１０−３ｍ２／ｓ（１０００ｃＳｔ〜５０００ｃＳｔ）の粘度を有し、
ｅ）前記環状シリコーンが、１×１０−５ｍ２／ｓ〜１×１０−２ｍ２／ｓ（１０ｃＳｔ〜１０，０００ｃＳｔ）、５×１０−５ｍ２／ｓ〜５×１０−３ｍ２／ｓ（５０ｃＳｔ〜５，０００ｃＳｔ）、１×１０−４ｍ２／ｓ〜２×１０−３ｍ２／ｓ（１００ｃＳｔ〜２，０００ｃＳｔ）、又は２×１０−４ｍ２／ｓ〜１×１０−３ｍ２／ｓ（２００ｃＳｔ〜１０００ｃＳｔ）の粘度を有し、
ｆ）前記シリコーン樹脂が、１×１０−５ｍ２／ｓ〜１×１０−２ｍ２／ｓ（１０ｃＳｔ〜１０，０００ｃＳｔ）、５×１０−５ｍ２／ｓ〜５×１０−３ｍ２／ｓ（５０ｃＳｔ〜５，０００ｃＳｔ）、１×１０−４〜２×１０−３２ｍ２／ｓ（１００ｃＳｔ〜２，０００ｃＳｔ）、又は２×１０−４ｍ２／ｓ〜１×１０−３ｍ２／ｓ（２００ｃＳｔ〜１０００ｃＳｔ）の粘度を有し、
ｇ）前記フッ素化シリコーンが、１×１０−４ｍ２／ｓ〜０．３ｍ２／ｓ（１００ｃＳｔ〜３００，０００ｃＳｔ）、５×１０−４ｍ２／ｓ〜０．２ｍ２／ｓ（５００ｃＳｔ〜２００，０００ｃＳｔ）、７．５×１０−４ｍ２／ｓ〜０．０５ｍ２／ｓ（７５０ｃＳｔ〜５０，０００ｃＳｔ）、又は１×１０−３ｍ２／ｓ〜５×１０−４ｍ２／ｓ（１０００ｃＳｔ〜５０００ｃＳｔ）の粘度を有する、消費者製品組成物。
【請求項１７】
請求項１５に記載の組成物であって、
前記シリコーン有益剤材料が次の構造：
［Ｒ”１Ｒ”２Ｒ”３ＳｉＯ１／２］（ｃ＋２）［（Ｒ”４Ｓｉ（Ｘ−Ｚ）Ｏ２／２］ｇ［Ｒ”４Ｒ”４ＳｉＯ２／２］ｒ［Ｒ”４ＳｉＯ３／２］ｃ
であり、式中、
ｃが０〜９８の整数であり、一態様では、ｃが０〜４８の整数であり、一態様では、ｃが０であり、
ｇが０〜２００の整数であり、一態様では、ｇが０〜５０の整数であり；ｇ＝０のとき、少なくとも１つのＲ”１、Ｒ”２又はＲ”３＝Ｘ”−Ｚ”であり、
ｒが４〜５，０００の整数であり、一態様では、ｒが１０〜４，０００の整数であり、別の態様では、ｒが５０〜２，０００の整数であり、
Ｒ”１、Ｒ”２及びＲ”３がそれぞれ、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ”−Ｚ”からなる群から独立して選択され、
各Ｒ”４が、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシからなる群から独立して選択され、
各Ｘ”−Ｚ”について、
Ｘ”が、２〜１２個の炭素原子を含む二価アルキレン基を含み、
前記オルガノシロキサン中の少なくとも１つのＺ”が、
Ｒ”５；
【化２】
2015501335.tif 000043
からなる群から選択され、
前記オルガノシリコーン中の各追加のＺ”が、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｒ”５、
【化３】
2015501335.tif 000044
からなる群から独立して選択され、
各Ｒ”５が、Ｈ；Ｃ１〜Ｃ３２アルキル；Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール又はＣ６〜Ｃ３２アルキルアリール、又はＣ６〜Ｃ３２置換アルキルアリール、−（ＣＨＲ”６−ＣＨＲ”６−Ｏ−）ｂ−ＣＨＲ”６−ＣＨＲ”６−Ｌ及びシロキシル残基からなる群から独立して選択され、
ｂが０〜５００の整数であり、一態様では、ｂが０〜２００の整数であり、一態様では、ｂが０〜５０の整数であり、
各Ｒ６が、Ｈ又はＣ１〜Ｃ１８アルキルから独立して選択され、
各Ｌが、−Ｏ−Ｃ（Ｏ）−Ｒ７又は−Ｏ−Ｒ７；
【化４】
2015501335.tif 000045
から独立して選択され、
各Ｒ７は、独立して、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アリール、並びにシロキシル残基からなる群から選択され、
各Ｔ”が、Ｈ；
【化５】
2015501335.tif 000046
から独立して選択され、前記オルガノシリコーン中の各ｖが、１〜１０の整数であり、一態様では、ｖが１〜５の整数であり、前記オルガノシリコーン中の各Ｚのすべての添え字ｖの合計が、１〜３０、又は１〜２０、又は１〜１０の整数であり、ただし、分子中の部分Ｔの合計が６を超えないものである、組成物。
【請求項１８】
前記オルガノシリコーン有益剤が、ペンダントアミノシリコーン又は末端アミノシリコーンを含む、請求項１７に記載の組成物。
【請求項１９】
請求項１８に記載の組成物であって、
前記オルガノシリコーンが、次の構造：
［Ｒ”１Ｒ”２Ｒ”３ＳｉＯ１／２］（ｃ＋２）［（Ｒ”４Ｓｉ（Ｘ−Ｋ）Ｏ２／２］ｇ［Ｒ”４Ｒ”４ＳｉＯ２／２］ｒ［Ｒ”４ＳｉＯ３／２］ｃ
を有するペンダントアミノシリコーンを含み、
式中、
ｃが０〜９８の整数であり、一態様では、ｃが０〜４８の整数であり、一態様では、ｃが０であり、
ｇが０〜２００の整数であり、一態様では、ｇが０〜５０の整数であり、ｇ＝０のとき、少なくとも１つのＲ”１、Ｒ”２又はＲ”３＝Ｘ”−Ｋ”であり、
ｈが４〜５，０００の整数であり、一態様では、ｈが１０〜４，０００の整数であり、別の態様では、ｈが５０〜２，０００の整数であり、
Ｒ”１、Ｒ”２及びＲ”３がそれぞれ、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ、Ｃ１〜Ｃ３２置換アルコキシ及びＸ”−Ｋ”からなる群から独立して選択され、
各Ｒ”４が、Ｈ、ＯＨ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、Ｃ１〜Ｃ３２アルコキシ及びＣ１〜Ｃ３２置換アルコキシからなる群から独立して選択され、
各Ｘ−Ｋについて、Ｘが、２〜１２個の炭素原子を含む二価アルキレン基を含み、一態様では、各二価アルキレン基が、−（ＣＨ２）ｓ−からなる群から独立して選択され、このときｓが２〜８の整数、又は２〜４の整数であり、
各Ｋが、
【化６】
2015501335.tif 000047
からなる群から独立して選択され、各Ｑ”が、独立して、Ｈ又はＣ１〜Ｃ３２直鎖又は分枝鎖、置換又は非置換炭化水素であり、ただし、Ｋ”が第四級アンモニウム化合物のとき、Ｑ”がアミド、イミン、又は尿素部分ではあり得ず、Ｑ”がアミド、イミン、又は尿素部分の場合には、前記アミド、イミン、又は尿素部分として同じ窒素に結合する任意の追加のＱ”が、Ｈ又はＣ１〜Ｃ６アルキルでなければならず、一態様では、前記追加のＱ”がＨであり、
Ｘが上で定義され、
Ｋ”について、Ａｈ−は好適な電荷均衡アニオンであり、一態様では、Ａｈ−が、Ｃｌ−、Ｂｒ−、Ｉ−、硫酸メチル、トルエンスルホネート、カルボキシレート、及びホスフェートからなる群から選択され、前記オルガノシリコーンの少なくとも１つのＱ”が、
【化７】
2015501335.tif 000048
から独立して選択され、
陽イオン性に荷電したＫ”について、Ａ”ｈ−が好適な電荷均衡アニオンであり、一態様では、Ａ”ｈ−が、Ｃｌ−、Ｂｒ−、Ｉ−、硫酸メチル、トルエンスルホネート、カルボキシレート及びホスフェートからなる群から選択され、
式中、各Ｒ”５が、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、−（ＣＨＲ６−ＣＨＲ６−Ｏ−）ｂ−Ｌ及びシロキシル残基からなる群から独立して選択され、
各Ｒ６は、独立して、Ｈ、Ｃ１〜Ｃ１８アルキルから選択され、
各Ｌは、独立して、−Ｃ（Ｏ）−Ｒ７又はＲ７から選択され、
Ｒ７が、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール及びシロキシル残基からなる群から独立して選択され、
ｂが０〜５００の整数であり、一態様では、ｂが１〜２００の整数であり、一態様では、ｂが１〜５０の整数である、組成物。
【請求項２０】
ペンダントアミノシリコーンが、１０００ダルトン〜１，０００，０００ダルトン、１０，０００ダルトン〜１００，０００ダルトン、又は１５，０００ダルトン〜５０，０００ダルトンの分子量を有する、請求項１９に記載の組成物。
【請求項２１】
０．１重量％〜２５重量％、又は０．１重量％〜２０重量％、又は０．１重量％〜１５、又は０．１重量％〜１０重量％、又は０．１重量％〜５重量％、又は０．１重量％〜１重量％、又は０．２５重量％〜２５重量％、又は０．５重量％〜２０重量％、又は１重量％〜１５重量％の前記エマルションを含む、請求項１０〜２０のいずれか一項に記載の消費者製品組成物。
【請求項２２】
前記消費者製品組成物が、シャンプー、コンディショナー、ボディーウォッシュ（body wash）、洗剤、布地向上剤、抗菌ウォッシュ（antimicrobial wash）、及び硬質表面洗浄剤からなる群から選択される形態である、請求項１０〜２１のいずれか一項に記載の消費者製品組成物。
【請求項２３】
シリコーン、芳香剤、皮膚軟化剤、抗菌剤、日焼け止め剤、脂質、油、炭化水素、ワックス、疎水変性顔料、無機化合物、及びこれらの混合物からなる群から選択される疎水性有益剤を含む、請求項１０〜２２のいずれか一項に記載の消費者製品組成物。
【請求項２４】
布地柔軟化又は布地防しわ特性の提供方法であって、布地を、請求項１〜２３のいずれか一項に記載の組成物と接触させる工程を含む、方法。
【請求項２５】
基材上への疎水性有益剤の付着方法であって、前記基材を請求項１〜２３のいずれか一項に記載の組成物と接触させる工程を含む、方法。
【請求項２６】
前記消費者製品組成物が、コンディショナー、ボディーウォッシュ、洗剤、及び布地向上剤からなる群から選択される形態である、請求項１０〜２３のいずれか一項に記載の消費者製品組成物。
【請求項２７】
ヘアコンディショニング又は皮膚保湿特性の提供方法であって、毛髪及び皮膚からなる群から選択される基材を、請求項１〜２３のいずれか一項に記載の組成物と接触させる工程を含む、人体に対する治療方法を除く、提供方法。
【国際調査報告】
2015501335.tif 000049
2015501335.tif 000050